(57)【特許請求の範囲】
【請求項１】
協調マルチポイント（ＣｏＭＰ）動作を支援する無線通信システムにおいて端末が物理下り共有チャネル（ＰＤＳＣＨ）を介してデータを受信する方法であって、
上位層を介して、セル特定参照信号（ＣＲＳ）位置情報をそれぞれ含む１つ以上のＰＤＳＣＨリソース要素マッピング及びＱＣＬ指示子（ＰＱＩ）パラメータセットを受信するステップと、
下りリンクサブフレームで前記ＰＤＳＣＨがマップされるＰＤＳＣＨリソース要素（ＲＥ）を決定するステップと、
前記ＰＤＳＣＨ  ＲＥに基づく前記ＰＤＳＣＨを介してデータを受信するステップと、
を含み、
前記ＰＤＳＣＨは、下りリンク制御情報（ＤＣＩ）によってスケジューリングされ、
前記ＤＣＩがＤＣＩフォーマット２Ｄに従い構成される場合、前記ＰＤＳＣＨ  ＲＥは、前記１つ以上のＰＱＩパラメータセットのうち、前記ＤＣＩにより示されるＰＱＩパラメータセットに従い決定され、
前記ＤＣＩがＤＣＩフォーマット１Ａに従い構成され、前記下りリンクサブフレームがＭＢＳＦＮサブフレームである場合、前記ＰＤＳＣＨ  ＲＥは、前記１つ以上のＰＱＩパラメータセットのうち、最も低いインデックスのＰＱＩパラメータセットに従い決定される、データ受信方法。
【請求項２】
前記１つ以上のＰＱＩパラメータセットのそれぞれに含まれる前記ＣＲＳ位置情報は、ＣＲＳポートの個数情報、ＣＲＳ周波数シフト情報、及びＭＢＳＦＮサブフレーム設定情報の少なくとも１つを含む、請求項１に記載のデータ受信方法。
【請求項３】
前記ＤＣＩがＤＣＩフォーマット１Ａに従い構成され、前記下りリンクサブフレームが非−ＭＢＳＦＮサブフレームである場合、前記ＰＤＳＣＨ  ＲＥは、サービングセルのＣＲＳ設定に従い決定される、請求項１に記載のデータ受信方法。
【請求項４】
前記サービングセルのＣＲＳ設定は、前記サービングセルのＣＲＳポート個数、前記サービングセルのＣＲＳ周波数シフト、及び前記サービングセルのＭＢＳＦＮサブフレーム設定の少なくとも１つを含む、請求項３に記載のデータ受信方法。
【請求項５】
前記ＰＤＳＣＨ  ＲＥは、ＣＲＳのために用いられない、請求項１に記載のデータ受信方法。
【請求項６】
前記ＤＣＩが前記ＤＣＩフォーマット２Ｄに従い構成される場合、前記ＰＤＳＣＨ  ＲＥを決定するために用いられる前記ＰＱＩパラメータセットは、前記ＤＣＩフォーマット２ＤのＰＱＩフィールドの状態値により示される、請求項１に記載のデータ受信方法。
【請求項７】
前記ＤＣＩは、物理下り制御チャネル（ＰＤＣＣＨ）又はＥＰＤＣＣＨを介して受信される、請求項１に記載のデータ受信方法。
【請求項８】
前記１つ以上のＰＱＩパラメータセットのそれぞれは、ＣＲＳポート個数情報、ＣＲＳ周波数シフト情報、ＭＢＳＦＮサブフレーム設定情報、ＺＰ ＣＳＩ−ＲＳ設定情報、ＰＤＳＣＨ開始シンボル値、及びＮＺＰ  ＣＳＩ−ＲＳ設定情報に対応する少なくとも１つのパラメータを含む、請求項１に記載のデータ受信方法。
【請求項９】
前記端末は、送信モード１０（ＴＭ１０）と設定される、請求項１に記載のデータ受信方法。
【請求項１０】
協調マルチポイント（ＣｏＭＰ）動作を支援する無線通信システムにおいて物理下り共有チャネル（ＰＤＳＣＨ）を介してデータを受信する端末装置であって、
送信モジュールと、
受信モジュールと、
プロセッサと、
を備え、
前記プロセッサは、上位層を介して、前記受信モジュールを用いて、セル特定参照信号（ＣＲＳ）位置情報をそれぞれ含む１つ以上のＰＤＳＣＨリソース要素マッピング及びＱＣＬ指示子（ＰＱＩ）パラメータセットを受信し、下りリンクサブフレームで前記ＰＤＳＣＨがマップされるＰＤＳＣＨリソース要素（ＲＥ）を決定し、前記受信モジュールを用いて、前記ＰＤＳＣＨ  ＲＥに基づく前記ＰＤＳＣＨを介してデータを受信するように設定され、
前記ＰＤＳＣＨは、下りリンク制御情報（ＤＣＩ）によってスケジューリングされ、
前記ＤＣＩがＤＣＩフォーマット２Ｄに従い構成される場合、前記ＰＤＳＣＨ  ＲＥは、前記１つ以上のＰＱＩパラメータセットのうち、前記ＤＣＩにより示されるＰＱＩパラメータセットに従い決定され、
前記ＤＣＩがＤＣＩフォーマット１Ａに従い構成され、前記下りリンクサブフレームがＭＢＳＦＮサブフレームである場合、前記ＰＤＳＣＨ  ＲＥは、前記１つ以上のＰＱＩパラメータセットのうち、最も低いインデックスのＰＱＩパラメータセットに従い決定される、データ受信端末装置。
【請求項１１】
前記ＤＣＩフォーマット１Ａは、前記ＰＱＩフィールドに含まれない、請求項６に記載のデータ受信方法。
【発明の詳細な説明】
【技術分野】
【０００１】
以下の説明は、無線通信システムに関し、特に、アンテナポート関係を考慮した下りリンク信号送信又は受信方法及び装置に関する。
【背景技術】
【０００２】
多重入出力（Ｍｕｌｔｉ−Ｉｎｐｕｔ  Ｍｕｌｔｉ−Ｏｕｔｐｕｔ；ＭＩＭＯ）技術は、単一の送信アンテナと単一の受信アンテナを用いることから脱皮し、複数の送信アンテナと複数の受信アンテナを用いてデータの送受信効率を向上させる技術である。受信端は、単一のアンテナを用いる場合には単一のアンテナ経路（ｐａｔｈ）を通してデータを受信するが、複数のアンテナを用いる場合には複数の経路を通してデータを受信する。したがって、データの送信速度と送信量を向上させることができ、カバレッジ（ｃｏｖｅｒａｇｅ）を増大させることができる。
【０００３】
ＭＩＭＯ動作の多重化利得を高めるために、ＭＩＭＯ受信端からチャネル状態情報（Ｃｈａｎｎｅｌ  Ｓｔａｔｕｓ  Ｉｎｆｏｒｍａｔｉｏｎ；ＣＳＩ）のフィードバックを受けてＭＩＭＯ送信端で用いることができる。受信端では、送信端からの所定の参照信号（Ｒｅｆｅｒｅｎｃｅ  Ｓｉｇｎａｌ；ＲＳ）を用いてチャネル測定を行うことによってＣＳＩを決定することができる。
【発明の概要】
【発明が解決しようとする課題】
【０００４】
発展した無線通信システムでは、互いに異なるアンテナポート間の関係を様々に定義することができる。例えば、ネットワーク側の互いに異なるＲＳポートが、実際に同一の位置に存在するか否かを問わず、端末側で、互いに異なるＲＳポートがＱＣＬ（Ｑｕａｓｉ  Ｃｏ−Ｌｏｃａｔｅｄ）されていると仮定したり、又はＱＣＬされていないと仮定することができる。
【０００５】
本発明は、アンテナポートの関係（特に、ＱＣＬ関係）を考慮して、ネットワーク側から送信される下りリンク信号を端末側で正確に且つ効率的に受信する方案を提供することを目的とする。
【０００６】
本発明で達成しようとする技術的課題は、上記の技術的課題に制限されず、言及していない他の技術的課題は、以下の記載から、本発明の属する技術の分野における通常の知識を有する者に明確に理解されるであろう。
【課題を解決するための手段】
【０００７】
上記の技術的課題を解決するために、本発明の一実施例に係る無線通信システムにおいて端末が物理下り共有チャネル（ＰＤＳＣＨ）信号を受信する方法は、下りリンクサブフレームで前記ＰＤＳＣＨのマップされるリソース要素（ＲＥ）を決定するステップと、前記ＰＤＳＣＨのマップされるＲＥに基づいて前記ＰＤＳＣＨ信号を受信するステップと、を含むことができる。前記ＰＤＳＣＨは、下りリンク制御情報（ＤＣＩ）によってスケジューリングされてもよい。ここで、前記ＤＣＩがＤＣＩフォーマット１Ａによって構成され、前記下りリンクサブフレームがＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームである場合に、前記ＰＤＳＣＨのマップされるＲＥは、上位層によって設定されたＰＱＩ（ＰＤＳＣＨ  ｒｅｓｏｕｒｃｅ  ｅｌｅｍｅｎｔ  ｍａｐｐｉｎｇ  ａｎｄ  Ｑｕａｓｉ  ｃｏ−ｌｏｃａｔｉｏｎ  Ｉｎｄｉｃａｔｏｒ）パラメータセットに含まれるＣＲＳ（Ｃｅｌｌ−ｓｐｅｃｉｆｉｃ  Ｒｅｆｅｒｅｎｃｅ  Ｓｉｇｎａｌ）位置情報によって決定されてもよい。
【０００８】
上記の技術的課題を解決するために、本発明の他の実施例に係る無線通信システムにおいて物理下り共有チャネル（ＰＤＳＣＨ）信号を受信する端末装置は、送信モジュールと、受信モジュールと、プロセッサと、を備えることができる。前記プロセッサは、下りリンクサブフレームで前記ＰＤＳＣＨのマップされるリソース要素（ＲＥ）を決定し、前記ＰＤＳＣＨのマップされるＲＥに基づいて前記ＰＤＳＣＨ信号を前記受信モジュールを用いて受信するように設定されてもよい。前記ＰＤＳＣＨは、下りリンク制御情報（ＤＣＩ）によってスケジューリングされてもよい。ここで、前記ＤＣＩがＤＣＩフォーマット１Ａによって構成され、前記下りリンクサブフレームがＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームである場合に、前記ＰＤＳＣＨのマップされるＲＥは、上位層によって設定されたＰＱＩ（ＰＤＳＣＨ  ｒｅｓｏｕｒｃｅ  ｅｌｅｍｅｎｔ  ｍａｐｐｉｎｇ  ａｎｄ  Ｑｕａｓｉ  ｃｏ−ｌｏｃａｔｉｏｎ  Ｉｎｄｉｃａｔｏｒ）パラメータセットに含まれるＣＲＳ（Ｃｅｌｌ−ｓｐｅｃｉｆｉｃ  Ｒｅｆｅｒｅｎｃｅ  Ｓｉｇｎａｌ）位置情報によって決定されてもよい。
【０００９】
上記の本発明に係る実施例において以下の事項を共通に適用することができる。
【００１０】
前記ＰＱＩパラメータセットに含まれる前記ＣＲＳ位置情報は、ＣＲＳポートの個数情報、ＣＲＳ周波数シフト情報、又はＭＢＳＦＮサブフレーム設定情報のうち一つ以上を含んでもよい。
【００１１】
前記ＰＱＩパラメータセットは、最も低いインデックスを有するＰＱＩパラメータセットであってもよい。
【００１２】
前記ＤＣＩがＤＣＩフォーマット１Ａによって構成され、前記下りリンクサブフレームが非−ＭＢＳＦＮサブフレームである場合に、前記ＰＤＳＣＨのマップされるＲＥは、サービングセルのＣＲＳ設定によって決定されてもよい。
【００１３】
前記サービングセルのＣＲＳ設定は、前記サービングセルのＣＲＳポート個数、前記サービングセルのＣＲＳ周波数シフト、又は前記サービングセルのＭＢＳＦＮサブフレーム設定のうち一つ以上を含んでもよい。
【００１４】
前記ＰＤＳＣＨのマップされるＲＥは、前記ＣＲＳのために用いられないＲＥであってもよい。
【００１５】
前記ＤＣＩがＤＣＩフォーマット２Ｄによって構成される場合、前記ＰＱＩパラメータセットは、前記ＤＣＩフォーマット２ＤのＰＱＩフィールドの状態値によって決定されてもよい。
【００１６】
前記ＤＣＩは、物理下り制御チャネル（ＰＤＣＣＨ）又はＥＰＤＣＣＨ（Ｅｎｈａｎｃｅｄ  ＰＤＣＣＨ）を介して受信されてもよい。
【００１７】
前記ＰＱＩパラメータセットは、ＣＲＳポート個数情報、ＣＲＳ周波数シフト情報、ＭＢＳＦＮサブフレーム設定情報、ＺＰ ＣＳＩ−ＲＳ（Ｚｅｒｏ  Ｐｏｗｅｒ  Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）設定情報、ＰＤＳＣＨ開始シンボル値、又はＮＺＰ（Ｎｏｎ−Ｚｅｒｏ  Ｐｏｗｅｒ）ＣＳＩ−ＲＳ設定情報のうち一つ以上のパラメータを含んでもよい。
【００１８】
前記端末は、送信モード１０（ＴＭ１０）と設定されてもよい。
【００１９】
本発明について前述した一般的な説明と後述する詳細な説明は例示的なものであり、請求項に記載の発明に関する更なる説明のためのものである。
【発明の効果】
【００２０】
本発明によれば、アンテナポートの関係（特に、ＱＣＬ関係）を考慮して、ネットワーク側から送信される下りリンク信号を端末側で正確に且つ効率的に受信する方案を提供することができる。
【００２１】
本発明から得られる効果は以上で言及した効果に制限されず、言及していない他の効果は、以下の記載から、本発明の属する技術の分野における通常の知識を有する者には明らかであろう。
【００２２】
本明細書に添付される図面は、本発明に関する理解を提供するためのもので、本発明の様々な実施の形態を示し、明細書の記載と共に本発明の原理を説明する。
【図面の簡単な説明】
【００２３】
【図１】無線フレームの構造を説明するための図である。
【図２】下りリンクスロットにおけるリソースグリッド（ｒｅｓｏｕｒｃｅ  ｇｒｉｄ）を示す図である。
【図３】下りリンクサブフレームの構造を示す図である。
【図４】上りリンクサブフレームの構造を示す図である。
【図５】多重アンテナを有する無線通信システムの構成図である。
【図６】一つのリソースブロック対におけるＣＲＳ及びＤＲＳの例示的なパターンを示す図である。
【図７】ＬＴＥ−Ａシステムで定義されるＤＭＲＳパターンの一例を示す図である。
【図８】ＬＴＥ−Ａシステムで定義されるＣＳＩ−ＲＳパターンの例示を示す図である。
【図９】ＣＳＩ−ＲＳが周期的に送信される方式の一例を説明するための図である。
【図１０】搬送波併合を説明するための図である。
【図１１】クロス−搬送波スケジューリング（ｃｒｏｓｓ−ｃａｒｒｉｅｒ  ｓｃｈｅｄｕｌｉｎｇ）を説明するための図である。
【図１２】本発明に係るＰＤＳＣＨ信号送受信方法を説明するためのフローチャートである。
【図１３】本発明に係る基地局装置及び端末装置の好適な実施例の構成を示す図である。
【発明を実施するための形態】
【００２４】
以下の実施例は、本発明の構成要素と特徴を所定の形態で結合したものである。各構成要素又は特徴は、特別の言及がない限り、選択的なものと考慮すればよい。各構成要素又は特徴は、他の構成要素や特徴と結合していない形態で実施されもてよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００２５】
本明細書において、本発明の実施例を、基地局と端末間のデータ送信及び受信の関係を中心に説明する。ここで、基地局は、端末と通信を直接行うネットワークの終端ノード（ｔｅｒｍｉｎａｌ  ｎｏｄｅ）としての意味を持つ。本文書で基地局によって行われるとした特定動作は、場合によっては基地局の上位ノード（ｕｐｐｅｒ  ｎｏｄｅ）によって行われることもある。
【００２６】
すなわち、基地局を含めた複数のネットワークノード（ｎｅｔｗｏｒｋ  ｎｏｄｅｓ）からなるネットワークにおいて端末との通信のために行われる様々な動作は、基地局、又は基地局以外の他のネットワークノードによって行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ＡＰ：Ａｃｃｅｓｓ  Ｐｏｉｎｔ）、遠隔無線ヘッド（Ｒｅｍｏｔｅ  Ｒａｄｉｏ  Ｈｅａｄ；ＲＲＤ）、送信ポイント（ＴＰ）、受信ポイント（ＲＰ）などの用語に置き換えてもよい。中継機は、ＲＮ（Ｒｅｌａｙ  Ｎｏｄｅ）、ＲＳ（Ｒｅｌａｙ  Ｓｔａｔｉｏｎ）などの用語に置き換えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に置き換えてもよい。
【００２７】
以下の説明で使われる特定用語は、本発明の理解を助けるために提供されるものであり、このような特定用語の使用は、本発明の技術的思想から逸脱しない範囲で他の形態に変更してもよい。
【００２８】
場合によって、本発明の概念が曖昧になることを避けるために、公知の構造及び装置は省略され、または各構造及び装置の核心機能を中心にしたブロック図の形式で図示されることもある。また、本明細書を通じて同一の構成要素には同一の図面符号を付して説明する。
【００２９】
本発明の実施例は、無線接続システムであるＩＥＥＥ ８０２システム、３ＧＰＰシステム、３ＧＰＰ ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００３０】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡはＵＭＴＳ（Ｕｎｉｖｅｒｓａｌ  Ｍｏｂｉｌｅ  ＴｅｌｅｃｏｍｍｕｎｉｃａｔｉｏｎｓＳｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部で、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ ＬＴＥの進展である。ＷｉＭＡＸは、ＩＥＥＥ ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ ＬＴＥ及び３ＧＰＰ ＬＴＥ−Ａシステムを中心に説明するが、本発明の技術的思想がこれに制限されることはない。
【００３１】
図１は、無線フレームの構造を説明するための図である。
【００３２】
セルラーＯＦＤＭ無線パケット通信システムにおいて、上り／下りリンクデータパケット送信はサブフレーム（ｓｕｂｆｒａｍｅ）単位に行われ、１サブフレームは、複数のＯＦＤＭシンボルを含む一定の時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００３３】
図１（ａ）は、タイプ１無線フレーム構造を示す図である。下りリンク無線フレームは１０個のサブフレームで構成され、１個のサブフレームは時間領域（ｔｉｍｅ  ｄｏｍａｉｎ）において２個のスロットで構成される。１個のサブフレームを送信するために掛かる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓであってもよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ ＬＴＥシステムでは、下りリンクでＯＦＤＭＡを用いるので、ＯＦＤＭシンボルが１シンボル区間を表す。ＯＦＤＭシンボルはＳＣ−ＦＤＭＡシンボル又はシンボル区間と呼ばれることもある。リソースブロック（ＲＢ）はリソース割当単位であり、１スロットにおいて複数個の連続した副搬送波（ｓｕｂｃａｒｒｉｅｒ）を含むことができる。
【００３４】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには拡張ＣＰ（ｅｘｔｅｎｄｅｄ  ＣＰ）と正規ＣＰ（ｎｏｒｍａｌ  ＣＰ）がある。例えば、ＯＦＤＭシンボルが正規ＣＰによって構成された場合、１スロットに含まれるＯＦＤＭシンボルの数は７個であってもよい。ＯＦＤＭシンボルが拡張ＣＰによって構成された場合、１ ＯＦＤＭシンボルの長さが増加するため、１スロットに含まれるＯＦＤＭシンボルの数は、正規ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合には、シンボル間干渉をより減らすために拡張ＣＰを用いることができる。
【００３５】
正規ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３６】
図１（ｂ）は、タイプ２無線フレームの構造を示す図である。タイプ２無線フレームは、２個のハーフフレーム（ｈａｌｆ  ｆｒａｍｅ）で構成され、各ハーフフレームは、５個のサブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）、及びＵｐＰＴＳ（Ｕｐｌｉｎｋ  Ｐｉｌｏｔ  Ｔｉｍｅ  Ｓｌｏｔ）で構成され、一つのサブフレームは２個のスロットで構成される。ＤｗＰＴＳ、ＧＰ及びＵｐＰＴＳで構成されるサブフレームを、特別サブフレーム（ｓｐｅｃｉａｌ  ｓｕｂｆｒａｍｅ）と呼ぶことができる。ＤｗＰＴＳは、端末での初期セル探索、同期化又はチャネル推定に用いられる。ＵｐＰＴＳは、基地局でのチャネル推定と端末の上り送信同期を取ることに用いられる。保護区間は、上りリンクと下りリンク間に下りリンク信号の多重経路遅延によって上りリンクで生じる干渉を除去するための区間である。一方、無線フレームのタイプにかかわらず、１個のサブフレームは２個のスロットで構成される。
【００３７】
無線フレームの構造は例示に過ぎず、無線フレームに含まれるサブフレームの数、サブフレームに含まれるスロットの数、又はスロットに含まれるシンボルの数は様々に変更することができる。
【００３８】
図２は、下りリンクスロットにおけるリソースグリッド（ｒｅｓｏｕｒｃｅ  ｇｒｉｄ）を示す図である。
【００３９】
同図では、１下りリンクスロットが時間領域で７個のＯＦＤＭシンボルを含み、１リソースブロック（ＲＢ）が周波数領域で１２個の副搬送波を含むとしているが、本発明はこれに制限されない。例えば、正規ＣＰ（Ｃｙｃｌｉｃ  Ｐｒｅｆｉｘ）の場合では１スロットが７ ＯＦＤＭシンボルを含むが、拡張ＣＰ（ｅｘｔｅｎｄｅｄ−ＣＰ）では１スロットが６ ＯＦＤＭシンボルを含むことができる。リソースグリッド上の各要素をリソース要素（ｒｅｓｏｕｒｃｅ  ｅｌｅｍｅｎｔ）と呼ぶ。１リソースブロックは１２×７個のリソース要素を含む。下りリンクスロットに含まれるリソースブロックの個数ＮＤＬは、下りリンク送信帯域幅による。上りリンクスロットの構造は下りリンクスロットの構造と同一であってもよい。
【００４０】
図３は、下りリンクサブフレームの構造を示す図である。
【００４１】
１サブフレーム内で第一のスロットの先頭における最大３個のＯＦＤＭシンボルは、制御チャネルが割り当てられる制御領域に該当する。残りのＯＦＤＭシンボルは、物理下り共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。
【００４２】
３ＧＰＰ ＬＴＥシステムで用いられる下り制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ ＡＣＫ／ＮＡＣＫ信号を含む。ＰＤＣＣＨで送信される制御情報を、下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクスケジューリング情報を含んだり、任意の端末グループに対する上り送信電力制御命令を含む。ＰＤＣＣＨは、下り共有チャネル（ＤＬ−ＳＣＨ）のリソース割当及び送信フォーマット、上り共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信され、端末は複数のＰＤＣＣＨをモニタすることもできる。
【００４３】
ＰＤＣＣＨは一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマットと利用可能なビット数は、ＣＣＥの個数とＣＣＥによって提供されるコーディングレート間の相関関係によって決定される。
【００４４】
基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００４５】
図４は、上りリンクサブフレームの構造を示す図である。
【００４６】
上りリンクサブフレームは、周波数領域で制御領域とデータ領域とに区別できる。制御領域には上りリンク制御情報を含む物理上り制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザーデータを含む物理上り共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットに対して互いに異なる副搬送波を占める。これを、ＰＵＣＣＨに割り当てられるリソースブロック対がスロット境界で周波数−ホップ（ｆｒｅｑｕｅｎｃｙ−ｈｏｐｐｅｄ）するという。
【００４７】
多重アンテナ（ＭＩＭＯ）システムのモデリング
図５は、多重アンテナを有する無線通信システムの構成図である。
【００４８】
図５（ａ）に示すように、送信アンテナの数をＮT個、受信アンテナの数をＮR個と増やすと、送信機又は受信機のいずれか一方のみで複数のアンテナを用いる場合とは違い、アンテナ数に比例して理論的なチャネル送信容量が増加する。したがって、送信レートを向上させ、周波数効率を画期的に向上させることができる。チャネル送信容量が増加することから、送信レートを、理論的に、単一アンテナ利用時の最大送信レート（Ｒo）にレート増加率（Ｒi）を掛けた分だけ増加させることができる。
【数１】
0006336454.tif 000002
【００４９】
例えば、４個の送信アンテナと４個の受信アンテナを用いるＭＩＭＯ通信システムでは、単一アンテナシステムに比べて理論上、４倍の伝送レートを取得することができる。多重アンテナシステムの理論的容量増加が９０年代半ばに証明されて以来、これを実質的なデータ伝送率の向上へと導くための種々の技術が現在まで活発に研究されている。それらのいくつかの技術は既に３世代移動通信と次世代無線ＬＡＮなどの様々な無線通信の標準に反映されている。
【００５０】
現在までの多重アンテナ関連研究動向をみると、様々なチャネル環境及び多元接続環境における多重アンテナ通信容量計算などと関連した情報理論側面の研究、多重アンテナシステムの無線チャネル測定及び模型導出の研究、及び伝送信頼度の向上及び伝送率の向上のための時空間信号処理技術の研究などを含め、様々な観点で活発に研究が行われている。
【００５１】
多重アンテナシステムにおける通信方法を数学的モデリングを用いてより具体的に説明する。当該システムには、ＮT個の送信アンテナとＮR個の受信アンテナが存在するとする。
【００５２】
送信信号について説明すると、ＮT個の送信アンテナがある場合に、送信可能な最大情報はＮT個である。送信情報を下記の数式２のように表現することができる。
【数２】
0006336454.tif 000003
【００５３】
【数３】
0006336454.tif 000004
【００５４】
【数４】
0006336454.tif 000005
【００５５】
【数５】
0006336454.tif 000006
【００５６】
【数６】
0006336454.tif 000007
【００５７】
【数７】
0006336454.tif 000008
【００５８】
【数８】
0006336454.tif 000009
【００５９】
一方、図５（ｂ）は、ＮT個の送信アンテナから受信アンテナｉへのチャネルを示す図である。これらのチャネルをまとめてベクトル及び行列の形態で表示することができる。図５（ｂ）で、総ＮT個の送信アンテナから受信アンテナｉに到着するチャネルは、次のように表すことができる。
【数９】
0006336454.tif 000010
【００６０】
したがって、ＮT個の送信アンテナからＮR個の受信アンテナに到着する全てのチャネルは、次のように表現することができる。
【数１０】
0006336454.tif 000011
【００６１】
【数１１】
0006336454.tif 000012
【００６２】
上述した数式モデリングによって受信信号を次の通り表現することができる。
【数１２】
0006336454.tif 000013
【００６３】
【数１３】
0006336454.tif 000014
【００６４】
行列のランク（ｒａｎｋ）は、互いに独立している（ｉｎｄｅｐｅｎｄｅｎｔ）行又は列の個数のうち最小の個数と定義される。そのため、行列のランクは行又は列の個数よりも大きいことはない。
【数１４】
0006336454.tif 000015
【００６５】
ランクの他の定義は、行列を固有値分解（Ｅｉｇｅｎ  ｖａｌｕｅ  ｄｅｃｏｍｐｏｓｉｔｉｏｎ）したとき、０でない固有値の個数と定義することができる。同様に、ランクの更に他の定義は、特異値分解（ｓｉｎｇｕｌａｒ  ｖａｌｕｅ  ｄｅｃｏｍｐｏｓｉｔｉｏｎ）したとき、０でない特異値の個数と定義することができる。したがって、チャネル行列においてランクの物理的な意味は、与えられたチャネルで互いに異なる情報を送信できる最大数ということができる。
【００６６】
本文書の説明において、ＭＩＭＯ送信における「ランク（Ｒａｎｋ）」とは、特定時点及び特定周波数リソースで独立して信号を送信できる経路の数を表し、「レイヤ（ｌａｙｅｒ）の個数」は、各経路を通して送信される信号ストリームの個数を表す。送信端は、信号の送信に用いられるランク数に対応する個数のレイヤを送信するのが一般的であるため、特別な言及がない限り、ランクはレイヤ個数と同じ意味を有する。
【００６７】
参照信号（Ｒｅｆｅｒｅｎｃｅ  Ｓｉｇｎａｌ；ＲＳ）
無線通信システムでパケットを送信する際、送信されるパケットは無線チャネルを介して送信されるため、送信過程で信号の歪みが発生しうる。歪まれた信号を受信側で正しく受信するためには、チャネル情報を用いて受信信号から歪みを補正しなければならない。チャネル情報を把握するために、送信側も受信側も知っている信号を送信し、該信号がチャネルを介して受信される際の歪み程度を用いてチャネル情報を得る方法を主に用いる。該信号をパイロット信号（Ｐｉｌｏｔ  Ｓｉｇｎａｌ）又は参照信号（Ｒｅｆｅｒｅｎｃｅ  Ｓｉｇｎａｌ）という。
【００６８】
多重アンテナを用いてデータを送受信する場合に、正しい信号を受信するためには、各送信アンテナと受信アンテナ間のチャネル状況を知る必要がある。そのために、各送信アンテナ別に異なる参照信号が存在しなければならない。
【００６９】
移動通信システムにおいて参照信号（ＲＳ）はその目的によって２種類に大別できる。その一つは、チャネル情報の取得のために用いられるＲＳであり、もう一つは、データ復調のために用いられるＲＳである。前者は、端末が下りチャネル情報を取得するためのＲＳであるため、広帯域に送信されなければならず、特定サブフレームで下りデータを受信しない端末であっても、当該ＲＳを受信及び測定可能でなければならない。このようなＲＳは、ハンドオーバーなどのための測定などのためにも用いられる。後者は、基地局が下りデータを送る時、当該リソースで併せて送るＲＳであり、端末は当該ＲＳを受信することによってチャネル推定ができ、データを復調することができる。このようなＲＳは、データの送信される領域で送信されなければならない。
【００７０】
既存の３ＧＰＰ ＬＴＥ（例えば、３ＧＰＰ ＬＴＥリリース−８）システムでは、ユニキャスト（ｕｎｉｃａｓｔ）サービスのために２種類の下りリンクＲＳを定義する。その一つは共用参照信号（Ｃｏｍｍｏｎ  ＲＳ；ＣＲＳ）であり、もう一つは、専用参照信号（Ｄｅｄｉｃａｔｅｄ  ＲＳ；ＤＲＳ）である。ＣＲＳは、チャネル状態に関する情報取得及びハンドオーバーなどのための測定などのために用いられ、セル−特定（ｃｅｌｌ−ｓｐｅｃｉｆｉｃ）ＲＳと呼ぶことができる。ＤＲＳは、データ復調のために用いられ、端末−特定（ＵＥ−ｓｐｅｃｉｆｉｃ）ＲＳと呼ぶことができる。既存の３ＧＰＰ ＬＴＥシステムで、ＤＲＳはデータ復調のみのために用いることができ、ＣＲＳは、チャネル情報取得のためにもデータ復調のためにも用いることができる。
【００７１】
ＣＲＳは、セル−特定に送信されるＲＳであり、広帯域（ｗｉｄｅｂａｎｄ）に対して毎サブフレームごとに送信される。ＣＲＳは、基地局の送信アンテナ個数によって最大４個のアンテナポートに対して送信可能である。例えば、基地局の送信アンテナが２個である場合、０番と１番のアンテナポートに対するＣＲＳを送信し、４個の場合は、０〜３番のアンテナポートに対するＣＲＳをそれぞれ送信する。
【００７２】
図６は、一つのリソースブロック対におけるＣＲＳ及びＤＲＳの例示的なパターンを示す図である。
【００７３】
図６の参照信号パターンの例示では、基地局が４個の送信アンテナを支援するシステムで一つのリソースブロック対（正規ＣＰの場合、時間上で１４個のＯＦＤＭシンボル×周波数上で１２個の副搬送波）上でＣＲＳ及びＤＲＳのパターンを示している。図６で、「Ｒ０」、「Ｒ１」、「Ｒ２」及び「Ｒ３」と表示されたリソース要素（ＲＥ）は、それぞれ、アンテナポートインデックス０、１、２及び３に対するＣＲＳの位置を表す。一方、図６で「Ｄ」と表示されたリソース要素は、ＬＴＥシステムで定義されるＤＲＳの位置を表す。
【００７４】
ＬＴＥシステムの進展した形態のＬＴＥ−Ａシステムでは、下りリンクで最大８個の送信アンテナを支援することができる。そのため、最大８個の送信アンテナに対するＲＳも支援されなければならない。ＬＴＥシステムにおける下りリンクＲＳは最大４個のアンテナポートのみに対して定義されているため、ＬＴＥ−Ａシステムにおいて基地局が４個以上最大８個の下りリンク送信アンテナを有する場合、それらのアンテナポートに対するＲＳがさらに定義されなければならない。最大８個の送信アンテナポートに対するＲＳとして、チャネル測定のためのＲＳ、データ復調のためのＲＳの両方とも考慮されなければならない。
【００７５】
ＬＴＥ−Ａシステムを設計する上で重要な考慮事項の一つは逆方向互換性（ｂａｃｋｗａｒｄ  ｃｏｍｐａｔｉｂｉｌｉｔｙ）である。逆方向互換性とは、既存のＬＴＥ端末がＬＴＥ−Ａシステムでも正しく動作するように支援することを意味する。ＲＳ送信観点からは、ＬＴＥ標準で定義されているＣＲＳが全帯域で毎サブフレームごとに送信される時間−周波数領域に最大８個の送信アンテナポートに対するＲＳを追加すると、ＲＳオーバーヘッドが過度に大きくなる。そのため、最大８個のアンテナポートに対するＲＳを新しく設計するに当たり、ＲＳオーバーヘッドを減らすことを考慮しなければならない。
【００７６】
ＬＴＥ−Ａシステムで新しく導入されるＲＳは、大きく、２種類に分類できる。その一つは、送信ランク、変調及びコーディング技法（Ｍｏｄｕｌａｔｉｏｎ  ａｎｄ  Ｃｏｄｉｎｇ  Ｓｃｈｅｍｅ；ＭＣＳ）、プリコーディング行列インデックス（Ｐｒｅｃｏｄｉｎｇ  Ｍａｔｒｉｘ  Ｉｎｄｅｘ；ＰＭＩ）などの選択のためのチャネル測定目的のＲＳであるチャネル状態情報−参照信号（Ｃｈａｎｎｅｌ  Ｓｔａｔｅ  Ｉｎｆｏｒｍａｔｉｏｎ  ＲＳ；ＣＳＩ−ＲＳ）であり、もう一つは、最大８個の送信アンテナを通して送信されるデータを復調するための目的のＲＳである復調−参照信号（ＤｅＭｏｄｕｌａｔｉｏｎ  ＲＳ；ＤＭ ＲＳ）である。
【００７７】
チャネル測定目的のＣＳＩ−ＲＳは、既存のＬＴＥシステムにおけるＣＲＳがチャネル測定、ハンドオーバーなどの測定などの目的と同時にデータ復調のために用いられるのとは違い、チャネル測定中心の目的のために設計される特徴がある。勿論、ＣＳＩ−ＲＳは、ハンドオーバーなどの測定などの目的に用いられてもよい。ＣＳＩ−ＲＳがチャネル状態に関する情報を得る目的のみに送信されるため、既存のＬＴＥシステムにおけるＣＲＳとは違い、毎サブフレームごとに送信されなくてもよい。したがって、ＣＳＩ−ＲＳのオーバーヘッドを減らすために、ＣＳＩ−ＲＳは時間軸上で間欠的に（例えば、周期的に）送信されるように設計されてもよい。
【００７８】
仮に、ある下りリンクサブフレーム上でデータが送信されると、データ送信がスケジューリングされた端末に専用で（ｄｅｄｉｃａｔｅｄ）ＤＭ ＲＳが送信される。すなわち、ＤＭＲＳは、端末特定（ＵＥ−ｓｐｅｃｉｆｉｃ）ＲＳと呼ぶこともできる。特定端末専用のＤＭ ＲＳは、当該端末がスケジューリングされたリソース領域、すなわち、当該端末に対するデータが送信される時間−周波数領域でのみ送信されるように設計することができる。
【００７９】
図７は、ＬＴＥ−Ａシステムで定義されるＤＭ ＲＳパターンの一例を示す図である。
【００８０】
図７では、下りリンクデータが送信される一つのリソースブロック対（正規ＣＰの場合、時間上で１４個のＯＦＤＭシンボル×周波数上で１２個の副搬送波）上でＤＭ ＲＳが送信されるリソース要素の位置を示している。ＤＭ ＲＳは、ＬＴＥ−Ａシステムでさらに定義される４個のアンテナポート（アンテナポートインデックス７、８、９及び１０）に対して送信することができる。互いに異なるアンテナポートに対するＤＭ ＲＳは、異なる周波数リソース（副搬送波）及び／又は異なる時間リソース（ＯＦＤＭシンボル）に位置することで区別することができる（すなわち、ＦＤＭ及び／又はＴＤＭ方式で多重化できる）。また、同一の時間−周波数リソース上に位置する互いに異なるアンテナポートに対するＤＭ ＲＳは、直交コード（ｏｒｔｈｏｇｏｎａｌ  ｃｏｄｅ）によって区別することができる（すなわち、ＣＤＭ方式で多重化できる）。図７の例示で、ＤＭ ＲＳ ＣＤＭグループ１と表示されたリソース要素（ＲＥ）にはアンテナポート７及び８に対するＤＭ ＲＳを位置させることができ、これらは、直交コードによって多重化できる。同様に、図７の例示で、ＤＭ ＲＳグループ２と表示されたリソース要素にはアンテナポート９及び１０に対するＤＭ ＲＳを位置させることができ、これらは、直交コードによって多重化できる。
【００８１】
基地局でＤＭＲＳを送信するに当たり、データに適用されるプリコーディングと同じプリコーディングがＤＭＲＳに適用される。したがって、端末でＤＭＲＳ（又は、端末−特定ＲＳ）を用いて推定されるチャネル情報は、プリコーディングされたチャネル情報である。端末は、ＤＭＲＳから推定したプリコーディングされたチャネル情報を用いて、データ復調を容易に行うことができる。しかし、端末は、ＤＭＲＳに適用されたプリコーディング情報が把握できず、ＤＭＲＳを用いては、プリコーディングされていないチャネル情報を取得することができない。端末は、ＤＭＲＳ以外の別の参照信号、すなわち、前述したＣＳＩ−ＲＳを用いて、プリコーディングされていないチャネル情報を取得することができる。
【００８２】
図８は、ＬＴＥ−Ａシステムで定義されるＣＳＩ−ＲＳパターンの例示を示す図である。
【００８３】
図８では、下りリンクデータが送信される一つのリソースブロック対（正規ＣＰの場合、時間上で１４個のＯＦＤＭシンボル×周波数上で１２個の副搬送波）上でＣＳＩ−ＲＳが送信されるリソース要素の位置を示している。ある下りリンクサブフレームで、図８（ａ）乃至８（ｅ）のいずれか一つのＣＳＩ−ＲＳパターンを用いることができる。ＣＳＩ−ＲＳは、ＬＴＥ−Ａシステムでさらに定義される８個のアンテナポート（アンテナポートインデックス１５、１６、１７、１８、１９、２０、２１及び２２）に対して送信することができる。互いに異なるアンテナポートに対するＣＳＩ−ＲＳは、異なった周波数リソース（副搬送波）及び／又は異なった時間リソース（ＯＦＤＭシンボル）に位置することで区別することができる（すなわち、ＦＤＭ及び／又はＴＤＭ方式で多重化できる）。また、同一の時間−周波数リソース上に位置する互いに異なるアンテナポートに対するＣＳＩ−ＲＳは、直交コード（ｏｒｔｈｏｇｏｎａｌ  ｃｏｄｅ）によって区別することができる（すなわち、ＣＤＭ方式で多重化できる）。図８（ａ）の例示で、ＣＳＩ−ＲＳ ＣＤＭグループ１と表示されたリソース要素（ＲＥ）にはアンテナポート１５及び１６に対するＣＳＩ−ＲＳを位置させることができ、これらは、直交コードによって多重化できる。図８（ａ）の例示で、ＣＳＩ−ＲＳ ＣＤＭグループ２と表示されたリソース要素にはアンテナポート１７及び１８に対するＣＳＩ−ＲＳを位置させることができ、これらは、直交コードによって多重化できる。図８（ａ）の例示でＣＳＩ−ＲＳ ＣＤＭグループ３と表示されたリソース要素にはアンテナポート１９及び２０に対するＣＳＩ−ＲＳを位置させることができ、これらは、直交コードによって多重化できる。図８（ａ）の例示で、ＣＳＩ−ＲＳ ＣＤＭグループ４と表示されたリソース要素にはアンテナポート２１及び２２に対するＣＳＩ−ＲＳを位置させることができ、これらは、直交コードによって多重化できる。図８（ａ）を基準にして説明した同一原理を、図８（ｂ）乃至８（ｅ）に適用することもできる。
【００８４】
図６乃至図８のＲＳパターンは単なる例示であり、本発明の様々な実施例を適用するにあって特定ＲＳパターンに限定されるものでない。すなわち、図６乃至図８と異なるＲＳパターンが定義及び使用される場合にも、本発明の様々な実施例を同一に適用することができる。
【００８５】
ＣＳＩ−ＲＳ設定（ｃｏｎｆｉｇｕｒａｔｉｏｎ）
前述したように、下りリンクで最大８個の送信アンテナを支援するＬＴＥ−Ａシステムにおいて、基地局は全てのアンテナポートに対するＣＳＩ−ＲＳを送信しなければならない。最大８個の送信アンテナポートに対するＣＳＩ−ＲＳを毎サブフレームごとに送信すると過度なオーバーヘッドにつながりうるため、ＣＳＩ−ＲＳを毎サブフレームごとに送信せず、時間軸で間欠的に送信することによってそのオーバーヘッドを減らす必要がある。そのために、ＣＳＩ−ＲＳを、一つのサブフレームの整数倍の周期で周期的に送信したり、特定送信パターンで送信することができる。
【００８６】
このとき、ＣＳＩ−ＲＳが送信される周期やパターンは、ネットワーク（例えば、基地局）が設定（ｃｏｎｆｉｇｕｒａｔｉｏｎ）することができる。ＣＳＩ−ＲＳに基づく測定を行うために、端末は必ず自身の属したセル（又は、送信ポイント（ＴＰ））のそれぞれのＣＳＩ−ＲＳアンテナポートに対するＣＳＩ−ＲＳ設定（ｃｏｎｆｉｇｕｒａｔｉｏｎ）を知っていなければならない。ＣＳＩ−ＲＳ設定は、ＣＳＩ−ＲＳが送信される下りリンクサブフレームインデックス、送信サブフレームにおける、ＣＳＩ−ＲＳリソース要素（ＲＥ）の時間−周波数位置（例えば、図８（ａ）乃至図８（ｅ）のようなＣＳＩ−ＲＳパターン）、及びＣＳＩ−ＲＳシーケンス（ＣＳＩ−ＲＳ用に用いられるシーケンスであって、スロット番号、セルＩＤ、ＣＰ長などに基づいて所定の規則に従って類似−ランダム（ｐｓｅｕｄｏ−ｒａｎｄｏｍ）に生成される）などを含むことができる。すなわち、任意の（ｇｉｖｅｎ）基地局で複数個のＣＳＩ−ＲＳ設定を用いることができ、基地局は、複数個のＣＳＩ−ＲＳ設定のうち、セル内の端末に対して用いられるＣＳＩ−ＲＳ設定を知らせることができる。
【００８７】
複数個のＣＳＩ−ＲＳ設定は、端末がＣＳＩ−ＲＳの送信電力が０でない（ｎｏｎ−ｚｅｒｏ）と仮定するＣＳＩ−ＲＳ設定を一つ含んでも含まなくてもよく、また、端末が０の送信電力であると仮定するＣＳＩ−ＲＳ設定を一つ以上含んでも含まなくてもよい。
【００８８】
また、上位層によって０の送信電力のＣＳＩ−ＲＳ設定に対するパラメータ（例えば、１６−ビットビットマップＺｅｒｏＰｏｗｅｒＣＳＩ−ＲＳパラメータ）のそれぞれのビットはＣＳＩ−ＲＳ設定（又は、ＣＳＩ−ＲＳ設定によってＣＳＩ−ＲＳを割り当て可能なＲＥ）に対応でき、端末は、当該パラメータで１に設定されるビットに対応するＣＳＩ−ＲＳ設定のＣＳＩ−ＲＳ ＲＥにおける送信電力が０であると仮定することができる。
【００８９】
また、それぞれのアンテナポートに対するＣＳＩ−ＲＳは区別される必要があるため、それぞれのアンテナポートに対するＣＳＩ−ＲＳが送信されるリソースは互いに直交（ｏｒｔｈｏｇｏｎａｌ）しなければならない。図８で説明した通り、それぞれのアンテナポートに対するＣＳＩ−ＲＳを、直交する周波数リソース、直交する時間リソース及び／又は直交するコードリソースを用いてＦＤＭ、ＴＤＭ及び／又はＣＤＭ方式で多重化できる。
【００９０】
ＣＳＩ−ＲＳに関する情報（ＣＳＩ−ＲＳ設定）を基地局がセル内の端末に知らせる時、まず、各アンテナポートに対するＣＳＩ−ＲＳがマップされる時間−周波数に関する情報を知らせなければならない。具体的に、時間に関する情報は、ＣＳＩ−ＲＳが送信されるサブフレーム番号、ＣＳＩ−ＲＳが送信される周期、ＣＳＩ−ＲＳが送信されるサブフレームオフセット、特定アンテナのＣＳＩ−ＲＳリソース要素（ＲＥ）が送信されるＯＦＤＭシンボル番号などを含むことができる。周波数に関する情報は、特定アンテナのＣＳＩ−ＲＳリソース要素（ＲＥ）が送信される周波数間隔（ｓｐａｃｉｎｇ）、周波数軸におけるＲＥのオフセット又はシフト値などを含むことができる。
【００９１】
図９は、ＣＳＩ−ＲＳが周期的に送信される方式の一例を説明するための図である。
【００９２】
ＣＳＩ−ＲＳは、一つのサブフレームの整数倍の周期（例えば、５サブフレーム周期、１０サブフレーム周期、２０サブフレーム周期、４０サブフレーム周期又は８０サブフレーム周期）で周期的に送信することができる。
【００９３】
図９では、一つの無線フレームが１０個のサブフレーム（サブフレーム番号０乃至９）で構成されている。図９では、例えば、基地局のＣＳＩ−ＲＳの送信周期が１０ｍｓ（すなわち、１０サブフレーム）であり、ＣＳＩ−ＲＳ送信オフセット（Ｏｆｆｓｅｔ）は３である場合を示している。複数セルのＣＳＩ−ＲＳが時間上で均一に分布できるように、オフセット値は、基地局ごとにそれぞれ異なる値を有することができる。１０ｍｓの周期でＣＳＩ−ＲＳが送信される場合、オフセット値は０〜９のいずれか一つを有することができる。同様に、例えば、５ｍｓの周期でＣＳＩ−ＲＳが送信される場合、オフセット値は０〜４のいずれか一つの値を有することができ、２０ｍｓの周期でＣＳＩ−ＲＳが送信される場合、オフセット値は０〜１９のいずれか一つの値を有することができ、４０ｍｓの周期でＣＳＩ−ＲＳが送信される場合、オフセット値は０〜３９のいずれか一つの値を有することができ、８０ｍｓの周期でＣＳＩ−ＲＳが送信される場合、オフセット値は０〜７９のいずれか一つの値を有することができる。このオフセット値は、所定の周期でＣＳＩ−ＲＳを送信する基地局がＣＳＩ−ＲＳ送信を開始するサブフレームの値を表す。基地局がＣＳＩ−ＲＳの送信周期とオフセット値を知らせると、端末は、その値を用いて当該サブフレーム位置で基地局のＣＳＩ−ＲＳを受信することができる。端末は、受信したＣＳＩ−ＲＳを用いてチャネルを測定し、その結果としてＣＱＩ、ＰＭＩ及び／又はＲＩ（Ｒａｎｋ  Ｉｎｄｉｃａｔｏｒ）のような情報を基地局に報告することができる。本文書で、ＣＱＩ、ＰＭＩ及びＲＩを区別して説明する場合以外は、これらを総称してＣＱＩ（又は、ＣＳＩ）ということができる。また、ＣＳＩ−ＲＳに関連した上記の情報は、セル−特定情報であり、セル内の端末に共通に適用することができる。また、ＣＳＩ−ＲＳ送信周期及びオフセットは、ＣＳＩ−ＲＳ設定別に異なるように指定することができる。例えば、後述するように、０の送信電力で送信されるＣＳＩ−ＲＳを示すＣＳＩ−ＲＳ設定及び０でない（ｎｏｎ−ｚｅｒｏ）送信電力で送信されるＣＳＩ−ＲＳを示すＣＳＩ−ＲＳ設定に対して別々のＣＳＩ−ＲＳ送信周期及びオフセットを設定することができる。
【００９４】
ＰＤＳＣＨ送信が可能な全てのサブフレームで送信されるＣＲＳとは違い、ＣＳＩ−ＲＳは、一部のサブフレームでのみ送信されるように設定することができる。例えば、上位層でＣＳＩサブフレームセットＣCSI,0及びＣCSI,1を設定することができる。ＣＳＩレファレンスリソース（すなわち、ＣＳＩ計算の基準となる所定のリソース領域）は、ＣCSI,0又はＣCSI,1のいずれかに属してもよく、ＣCSI,0及びＣCSI,1の両方に同時に属しなくてもよい。そのため、ＣＳＩサブフレームセットＣCSI,0及びＣCSI,1が上位層によって設定される場合に、端末はＣＳＩサブフレームセットのいずれにも属しないサブフレームに存在するＣＳＩレファレンスリソースに対するトリガー（又は、ＣＳＩ計算に対する指示）を受けると予想することが許容されない。
【００９５】
また、ＣＳＩレファレンスリソースは、有効な下りリンクサブフレーム上で設定されてもよい。有効な下りリンクサブフレームは、様々な要件を満たすサブフレームと設定することができる。それらの要件の一つは、周期的ＣＳＩ報告の場合に、端末に対してＣＳＩサブフレームセットが設定されると、周期的ＣＳＩ報告にリンク（ｌｉｎｋ）されるＣＳＩサブフレームセットに属するサブフレームであろう。
【００９６】
また、ＣＳＩレファレンスリソースで、端末は次のような仮定を考慮してＣＱＩインデックスを導出することができる（詳細な事項は、３ＧＰＰ ＴＳ ３６．２１３を参照する）：
−  １サブフレームの先頭３個のＯＦＤＭシンボルは制御シグナリングによって占有される
−  １次同期信号（ｐｒｉｍａｒｙ  ｓｙｎｃｈｒｏｎｉｚａｔｉｏｎ  ｓｉｇｎａｌ）、２次（ｓｅｃｏｎｄａｒｙ）同期信号又は物理放送チャネル（ＰＢＣＨ）によって用いられるリソース要素はない
−  非−ＭＢＳＦＮ（ｎｏｎ−Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームのＣＰ長
−  リダンダンシバージョン（Ｒｅｄｕｎｄａｎｃｙ  Ｖｅｒｓｉｏｎ）は０である
−  チャネル測定のためにＣＳＩ−ＲＳが用いられる場合、ＰＤＳＣＨ ＥＰＲＥ（Ｅｎｅｒｇｙ  Ｐｅｒ  Ｒｅｓｏｕｒｃｅ  Ｅｌｅｍｅｎｔ）対ＣＳＩ−ＲＳ ＥＰＲＥの比（ｒａｔｉｏ）は所定の規則に従う
−送信モード９（すなわち、最大８レイヤ送信を支援するモード）におけるＣＳＩ報告の場合に、端末に対してＰＭＩ／ＲＩ報告が設定されると、ＤＭＲＳオーバーヘッドは最近に報告されたランクに一致すると仮定する（例えば、ＤＭＲＳオーバーヘッドは、図７で説明した通り、２個以上のアンテナポート（すなわち、ランク２以下）の場合には、一つのリソースブロック対におけるＤＭＲＳオーバーヘッドが１２ ＲＥであるが、３個以上のアンテナポート（すなわち、ランク３以上）の場合には、２４ ＲＥであるから、最近に報告されたランク値に対応するＤＭＲＳオーバーヘッドを仮定してＣＱＩインデックスを計算することができる。）
−ＣＳＩ−ＲＳ及び０−電力ＣＳＩ−ＲＳに対してＲＥが割り当てられない
−ＰＲＳ（Ｐｏｓｉｔｉｏｎｉｎｇ  ＲＳ）に対してはＲＥが割り当てられない
−ＰＤＳＣＨ送信技法は、端末に対して現在設定されている送信モード（デフォルトモードであってもよい）に従う
−ＰＤＳＣＨ ＥＰＲＥ対セル−特定参照信号ＥＰＲＥの比（ｒａｔｉｏ）は所定の規則に従う
【００９７】
このようなＣＳＩ−ＲＳ設定は、例えば、ＲＲＣ（Ｒａｄｉｏ  Ｒｅｓｏｕｒｃｅ  Ｃｏｎｔｒｏｌ）シグナリングを用いて基地局が端末に知らせることができる。すなわち、専用（ｄｅｄｉｃａｔｅｄ）ＲＲＣシグナリングを用いてＣＳＩ−ＲＳ設定に関する情報がセル内の各端末に提供されるようにすることができる。例えば、端末が初期アクセス又はハンドオーバーによって基地局と接続（ｃｏｎｎｅｃｔｉｏｎ）を確立（ｅｓｔａｂｌｉｓｈ）する過程で、基地局が当該端末にＲＲＣシグナリングでＣＳＩ−ＲＳ設定を知らせるようにすることができる。又は、基地局が端末にＣＳＩ−ＲＳ測定に基づくチャネル状態フィードバックを要求するＲＲＣシグナリングメッセージを送信する時、当該ＲＲＣシグナリングメッセージでＣＳＩ−ＲＳ設定を当該端末に知らせるようにすることもできる。
【００９８】
一方、ＣＳＩ−ＲＳが存在する時間位置、すなわち、セル−特定サブフレーム設定周期及びセル−特定サブフレームオフセットは、例えば、次の表１のようにまとめることができる。
【表１】
0006336454.tif 000016
【００９９】
【数１５】
0006336454.tif 000017
【０１００】
下記の表２のように定義されるＣＳＩ−ＲＳ−Ｃｏｎｆｉｇ情報要素（ＩＥ）は、ＣＳＩ−ＲＳ設定を特定するために用いることができる。
【表２】
0006336454.tif 000018
【０１０１】
上記の表２で、アンテナポートカウント（ａｎｔｅｎｎａＰｏｒｔｓＣｏｕｎｔ）パラメータは、ＣＳＩ−ＲＳの送信のために用いられるアンテナポート（すなわち、ＣＳＩ−ＲＳポート）の個数を示し、ａｎ１は１個に該当し、ａｎ２は２個に該当する。
【０１０２】
上記の表２で、ｐ＿Ｃパラメータは、端末がＣＳＩフィードバックを誘導（ｄｅｒｉｖｅ）する時に仮定するＰＤＳＣＨ ＥＰＲＥ（Ｅｎｅｒｇｙ  Ｐｅｒ  Ｒｅｓｏｕｒｃｅ  Ｅｌｅｍｅｎｔ）とＣＳＩ−ＲＳ ＥＰＲＥとの比率を示す。
【０１０３】
上記の表２で、リソース設定（ｒｅｓｏｕｒｃｅＣｏｎｆｉｇ）パラメータは、例えば、図８のようなＲＢ対でＣＳＩ−ＲＳがマップされるリソース要素の位置を決定する値を有する。
【０１０４】
【数１６】
0006336454.tif 000019
【０１０５】
上記の表２で、ｚｅｒｏＴｘＰｏｗｅｒＲｅｓｏｕｒｃｅＣｏｎｆｉｇＬｉｓｔ及びｚｅｒｏＴｘＰｏｗｅｒＳｕｂｆｒａｍｅＣｏｎｆｉｇはそれぞれ、０の送信電力のＣＳＩ−ＲＳに対するｒｅｓｏｕｒｃｅＣｏｎｆｉｇ及びｓｕｂｆｒａｍｅＣｏｎｆｉｇに該当する。
【０１０６】
上記の表２のＣＳＩ−ＲＳ設定ＩＥに関するより具体的な事項は、標準文書ＴＳ ３６．３３１を参照することができる。
【０１０７】
ＣＳＩ−ＲＳシーケンスの生成
【数１７】
0006336454.tif 000020
【０１０８】
【数１８】
0006336454.tif 000021
【０１０９】
上記の式１４で、ｎsは、無線フレームにおけるスロット番号（又は、スロットインデックス）であり、
【数１９】
0006336454.tif 000022
【０１１０】
ＣＳＩ−ＲＳシーケンス生成に関するより具体的な事項は、標準文書ＴＳ ３６．２１１ ｖ１０．４．０を参照することができる。
【０１１１】
チャネル状態情報（ＣＳＩ）
ＭＩＭＯ方式は開−ループ（ｏｐｅｎ−ｌｏｏｐ）方式と閉−ループ（ｃｌｏｓｅｄ−ｌｏｏｐ）方式とに区別できる。開−ループＭＩＭＯ方式は、ＭＩＭＯ受信端からのチャネル状態情報のフィードバックが無しで送信端でＭＩＭＯ送信を行う方式を意味する。閉−ループＭＩＭＯ方式は、ＭＩＭＯ受信端からチャネル状態情報のフィードバックを受けて送信端でＭＩＭＯ送信を行う方式を意味する。閉−ループＭＩＭＯ方式では、ＭＩＭＯ送信アンテナの多重化利得（ｍｕｌｔｉｐｌｅｘｉｎｇ  ｇａｉｎ）を得るために送信端と受信端のそれぞれがチャネル状態情報に基づいてビームフォーミングを行うことができる。受信端（例えば、端末）がチャネル状態情報をフィードバックできるように、送信端（例えば、基地局）は受信端（例えば、端末）に上り制御チャネル又は上り共有チャネルを割り当てることができる。
【０１１２】
端末は、ＣＲＳ及び／又はＣＳＩ−ＲＳを用いて下りリンクチャネルに対する推定及び／又は測定を行うことができる。端末によって基地局にフィードバックされるチャネル情報（ＣＳＩ）は、ランク指示子（ＲＩ）、プリコーディング行列インデックス（ＰＭＩ）及びチャネル品質指示子（ＣＱＩ）を含むことができる。
【０１１３】
ＲＩは、チャネルランクに関する情報である。チャネルのランクは、同一の時間−周波数リソースを介して互いに異なる情報を送信できるレイヤ（又は、ストリーム）の最大個数を意味する。ランク値は、チャネルの長期間（ｌｏｎｇ  ｔｅｒｍ）フェーディングによって主に決定されるため、ＰＭＩ及びＣＱＩに比べてより長い周期でフィードバックされてもよい。
【０１１４】
ＰＭＩは、送信端からの送信に用いられるプリコーディング行列に関する情報であり、チャネルの空間特性を反映する値である。プリコーディングとは、送信レイヤを送信アンテナにマップさせることを意味し、プリコーディング行列によってレイヤ−アンテナマッピング関係を決定することができる。ＰＭＩとは、信号対雑音及び干渉比（Ｓｉｇｎａｌ−ｔｏ−Ｉｎｔｅｒｆｅｒｅｎｃｅ  ｐｌｕｓ  Ｎｏｉｓｅ  Ｒａｔｉｏ；ＳＩＮＲ）などの測定値（ｍｅｔｒｉｃ）を基準にして端末が好む（ｐｒｅｆｅｒｒｅｄ）基地局のプリコーディング行列インデックスに該当する。プリコーディング情報のフィードバックオーバーヘッドを減らすために、送信端と受信端の両方で、様々なプリコーディング行列を含むコードブックを予め共有しており、当該コードブックにおいて特定プリコーディング行列を示すインデックスのみをフィードバックする方式を用いることができる。例えば、最近に報告されたＲＩに基づいてＰＭＩを決定することができる。
【０１１５】
ＣＱＩは、チャネル品質又はチャネル強度を示す情報である。ＣＱＩは、予め決定されたＭＣＳ組合せとして表現することができる。すなわち、フィードバックされるＣＱＩインデックスは、該当する変調技法（ｍｏｄｕｌａｔｉｏｎ  ｓｃｈｅｍｅ）及びコードレート（ｃｏｄｅ  ｒａｔｅ）を示す。ＣＱＩは、特定リソース領域（例えば、有効のサブフレーム及び／又は物理リソースブロックによって特定される領域）をＣＱＩレファレンスリソースと設定し、当該ＣＱＩレファレンスリソースでＰＤＳＣＨ送信が存在すると仮定したうえ、所定のエラー確率（例えば、０．１）を越えることなくＰＤＳＣＨが受信され得る場合を仮定して計算することができる。一般に、ＣＱＩは、基地局がＰＭＩを用いて空間チャネルを構成する場合に得られる受信ＳＩＮＲを反映する値となる。例えば、最近に報告されたＲＩ及び／又はＰＭＩに基づいてＣＱＩを計算することができる。
【０１１６】
拡張されたアンテナ構成を支援するシステム（例えば、ＬＴＥ−Ａシステム）では、複数ユーザー−ＭＩＭＯ（ＭＵ−ＭＩＭＯ）方式を用いて更なる複数ユーザーダイバーシティを取得することを考慮している。ＭＵ−ＭＩＭＯ方式では、アンテナ領域（ｄｏｍａｉｎ）で多重化される端末間の干渉チャネルが存在するため、複数ユーザーのうち一つの端末がフィードバックするチャネル状態情報を用いて基地局で下りリンク送信を行う場合に他の端末に干渉が生じないようにする必要がある。したがって、ＭＵ−ＭＩＭＯ動作が正しく行われるためには、単一ユーザー−ＭＩＭＯ（ＳＵ−ＭＩＭＯ）方式に比べてより高正確度のチャネル状態情報がフィードバックされなければならない。
【０１１７】
このように、より正確なチャネル状態情報を測定及び報告するには、既存のＲＩ、ＰＭＩ及びＣＱＩで構成されるＣＳＩを改善した新しいＣＳＩフィードバック方案を適用することができる。例えば、受信端がフィードバックするプリコーディング情報を２個のＰＭＩ（例えば、ｉ１及びｉ２）の組合せによって示してもよい。これによって、より精度のＰＭＩがフィードバックされ、このような精度のＰＭＩに基づいてより精度のＣＱＩを計算及び報告することができる。
【０１１８】
一方、ＣＳＩは、周期的にＰＵＣＣＨで送信されてもよく、非周期的にＰＵＳＣＨで送信されてもよい。また、ＲＩ、第１のＰＭＩ（例えば、Ｗ１）、第２のＰＭＩ（例えば、Ｗ２）、ＣＱＩのいずれがフィードバックされるか、及びフィードバックされるＰＭＩ及び／又はＣＱＩが広帯域（ＷＢ）に対するものか又はサブ帯域（ＳＢ）に対するものかによって、様々な報告モードを定義することができる。
【０１１９】
ＣＱＩ計算
以下では、下りリンク受信端が端末である場合を仮定してＣＱＩ計算について具体的に説明する。しかし、本発明で説明する内容は、下りリンク受信主体としての中継機にも同一に適用することができる。
【０１２０】
端末がＣＳＩを報告する時にＣＱＩを計算する基準となるリソース（以下では、レファレンスリソース（ｒｅｆｅｒｅｎｃｅ  ｒｅｓｏｕｒｃｅ）と称する）を設定／定義する方案について説明する。まず、ＣＱＩの定義についてより具体的に説明する。
【０１２１】
端末の報告するＣＱＩは、特定インデックス値に該当する。ＣＱＩインデックスは、チャネル状態に該当する変調技法、コードレートなどを示す値である。例えば、ＣＱＩインデックス及びその解釈は、次の表３のように与えることができる。
【表３】
0006336454.tif 000023
【０１２２】
時間及び周波数で制限されない観察に基づいて、端末は、上りリンクサブフレームｎで報告されるそれぞれのＣＱＩ値に対して、上記の表３のＣＱＩインデックス１乃至１５のうち、所定の要件を満たす最高のＣＱＩインデックスを決定することができる。所定の要件は、当該ＣＱＩインデックスに該当する変調技法（例えば、ＭＣＳ）及び送信ブロックサイズ（ＴＢＳ）の組合せで、ＣＱＩレファレンスリソースと呼ばれる下りリンク物理リソースブロックのグループを占める単一ＰＤＳＣＨ送信ブロックが、０．１（すなわち、１０％）を越えない送信ブロックエラー確率で受信されるものと定めることができる。仮に、ＣＱＩインデックス１も上記の要件を満たさない場合には、端末はＣＱＩインデックス０と決定することができる。
【０１２３】
送信モード９（最大８レイヤまでの送信に該当する）及びフィードバック報告モードの場合に、端末は、ＣＳＩ−ＲＳのみに基づいて、上りリンクサブフレームｎで報告されるＣＱＩ値を計算するためのチャネル測定を行うことができる。他の送信モード及び該当する報告モードでは、端末はＣＲＳに基づいてＣＱＩ計算のためのチャネル測定を行うことができる。
【０１２４】
下記の要件を全て満たす場合に、変調技法及び送信ブロックサイズの組合せは、一つのＣＱＩインデックスに該当しうる。関連した送信ブロックサイズテーブルによってＣＱＩレファレンスリソースにおけるＰＤＳＣＨ上の送信に対して上記の組合せがシグナリングされ、変調技法が当該ＣＱＩインデックスによって指定され、及び、送信ブロックサイズ及び変調技法の組合せが上記レファレンスリソースに適用される場合に、当該ＣＱＩインデックスによって指定されるコードレートに一番近い有効チャネルコードレートを有するものが、上記の要件に該当する。送信ブロックサイズ及び変調技法の組合せの２個以上が、当該ＣＱＩインデックスによって指定されるコードレートに同程度で近い場合には、送信ブロックサイズが最小である組合せと決定されてもよい。
【０１２５】
ＣＱＩレファレンスリソースは、次のように定義される。
【０１２６】
周波数領域でＣＱＩレファレンスリソースは、導出されたＣＱＩ値が関連している帯域に該当する下りリンク物理リソースブロックのグループと定義される。
【０１２７】
時間領域でＣＱＩレファレンスリソースは、単一下りリンクサブフレームｎ−ｎＣＱＩ＿ｒｅｆと定義される。ここで、周期的ＣＱＩ報告の場合には、ｎＣＱＩ＿ｒｅｆは、４以上の値のうち、最小の値であるととともに、下りリンクサブフレームｎ−ｎＣＱＩ＿ｒｅｆが有効の下りリンクサブフレームに該当する値に決定される。非周期的ＣＱＩ報告の場合には、ｎＣＱＩ＿ｒｅｆは、上りリンクＤＣＩフォーマット（すなわち、上りリンクスケジューリング制御情報を端末に提供するためのＰＤＣＣＨ ＤＣＩフォーマット）におけるＣＱＩ要請に該当する（又は、ＣＱＩ要請が受信された）有効の下りリンクサブフレームと同じ下りリンクサブフレームが、ＣＱＩレファレンスリソースと決定される。また、非周期的ＣＱＩ報告の場合に、ｎＣＱＩ＿ｒｅｆは４であり、下りリンクサブフレームｎ−ｎＣＱＩ＿ｒｅｆは有効の下りリンクサブフレームに該当し、ここで、下りリンクサブフレームｎ−ｎＣＱＩ＿ｒｅｆは、任意接続応答グラント（ｒａｎｄｏｍ  ａｃｃｅｓｓ  ｒｅｓｐｏｎｓｅ  ｇｒａｎｔ）におけるＣＱＩ要請に該当する（又は、ＣＱＩ要請が受信された）サブフレーム以降に受信さてもよい。ここで、有効の下りリンクサブフレームとは、当該端末に対して下りリンクサブフレームと設定され、送信モード９以外はＭＢＳＦＮサブフレームではなく、ＤｗＰＴＳの長さが７６８０＊Ｔｓ（Ｔｓ＝１／（１５０００×２０４８）秒）以下である場合にＤｗＰＴＳフィールドを含まず、そして、当該端末に対して設定された測定ギャップに属しない下りリンクサブフレームを意味する。仮に、ＣＱＩレファレンスリソースのための有効の下りリンクサブフレームがないと、上りリンクサブフレームｎでＣＱＩ報告は省略されてもよい。
【０１２８】
レイヤ領域でＣＱＩレファレンスリソースは、ＣＱＩが前提とする任意のＲＩ及びＰＭＩと定義される。
【０１２９】
ＣＱＩレファレンスリソースで端末がＣＱＩインデックスを誘導するために次の事項を仮定することができる：（１）下りリンクサブフレームにおける先頭の３ ＯＦＤＭシンボルは、制御シグナリングの用途に用いられる。（２）１次同期信号、２次同期信号又は物理放送チャネルによって用いられるリソース要素はない。（３）非−ＭＢＳＦＮサブフレームのＣＰ長を有する。（４）リダンダンシバージョンは０である。（５）チャネル測定のためにＣＳＩ−ＲＳが用いられる場合、ＰＤＳＣＨ ＥＰＲＥ対ＣＳＩ−ＲＳ ＥＰＲＥの比率は、上位層によってシグナリングされる所定の値を有する。（６）送信モード別に定義されたＰＤＳＣＨ送信技法（単一アンテナポート送信、送信ダイバーシティ、空間多重化、ＭＵ−ＭＩＭＯなど）が当該端末に対して現在設定されている（デフォルトモードであってもよい）。（７）チャネル測定のためにＣＲＳが用いられる場合、ＰＤＳＣＨ ＥＰＲＥ対ＣＲＳ ＥＰＲＥは所定の要件によって決定されうる。ＣＱＩ定義に関するより具体的な事項は、３ＧＰＰ ＴＳ ３６．２１３を参照すればよい。
【０１３０】
要するに、下りリンク受信端（例えば、端末）は、現在ＣＱＩ計算を行う時点を基準に過去の特定の単一サブフレームをＣＱＩレファレンスリソースと設定し、当該ＣＱＩレファレンスリソースで基地局からＰＤＳＣＨが送信された時、そのエラー確率が１０％を越えない条件を満たすようにＣＱＩ値を計算することができる。
【０１３１】
協調マルチポイント（Ｃｏｏｒｄｉｎａｔｅｄ  Ｍｕｌｔｉ−Ｐｏｉｎｔ：ＣｏＭＰ）
３ＧＰＰ ＬＴＥ−Ａシステムの改善されたシステム性能要求条件に応じて、ＣｏＭＰ送受信技術（ｃｏ−ＭＩＭＯ、共同（ｃｏｌｌａｂｏｒａｔｉｖｅ）ＭＩＭＯ又はネットワークＭＩＭＯなどと表現されることもある）が提案されている。ＣｏＭＰ技術は、セル−境界（ｃｅｌｌ−ｅｄｇｅ）に位置している端末の性能を増加させ、平均セクター収率（ｔｈｒｏｕｇｈｐｕｔ）を増加させることができる。
【０１３２】
一般に、周波数再使用因子（ｆｒｅｑｕｅｎｃｙ  ｒｅｕｓｅ  ｆａｃｔｏｒ）が１である多重−セル環境で、セル−間干渉（Ｉｎｔｅｒ−Ｃｅｌｌ  Ｉｎｔｅｒｆｅｒｅｎｃｅ；ＩＣＩ）によって、セル−境界に位置している端末の性能と平均セクター収率が減少することがある。このようなＩＣＩを低減するために、既存のＬＴＥシステムでは、端末特定電力制御による部分周波数再使用（ｆｒａｃｔｉｏｎａｌ  ｆｒｅｑｕｅｎｃｙ  ｒｅｕｓｅ；ＦＦＲ）のような単純な受動的な技法を用いて、干渉によって制限を受けている環境でセル−境界に位置している端末が適切な収率性能を有するようにする方法が適用されてきた。しかし、セル当たり周波数リソース使用を減らすよりは、ＩＣＩを低減したり、ＩＣＩを端末が所望する信号として再使用することが一層好ましいだろう。このような目的を達成するために、ＣｏＭＰ送信技法を適用することができる。
【０１３３】
下りリンクで適用可能なＣｏＭＰ技法は、大きく、ジョイント−プロセシング（ｊｏｉｎｔ  ｐｒｏｃｅｓｓｉｎｇ；ＪＰ）技法と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）技法とに分類できる。
【０１３４】
ＪＰ技法は、ＣｏＭＰ協調単位のそれぞれのポイント（基地局）でデータを用いることができる。ＣｏＭＰ協調単位は、協調送信技法に用いられる基地局の集合を意味する。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類できる。
【０１３５】
ジョイント送信技法とは、ＰＤＳＣＨが一度に複数個のポイント（ＣｏＭＰ協調単位の一部又は全部）から送信される技法のことをさす。すなわち、単一端末に送信されるデータを複数個の送信ポイント（ｔｒａｎｓｍｉｓｓｉｏｎ  ｐｏｉｎｔ、ＴＰ）から同時に送信することができる。ジョイント送信技法によれば、コヒーレントに（ｃｏｈｅｒｅｎｔｌｙ）又はノン−コヒーレントに（ｎｏｎ−ｃｏｈｅｒｅｎｔｌｙ）受信信号の品質を向上させることができ、且つ、他の端末に対する干渉を能動的に消去することができる。
【０１３６】
動的セル選択技法とは、ＰＤＳＣＨが一度に（ＣｏＭＰ協調単位の）一つのポイントから送信される技法のことを指す。すなわち、特定時点で単一端末に送信されるデータは一つのポイントから送信され、その時点に協調単位内の他のポイントは当該端末に対してデータ送信を行わない。ここで、当該端末にデータを送信するポイントを動的に選択することができる。
【０１３７】
一方、ＣＳ／ＣＢ技法によれば、ＣｏＭＰ協調単位が単一端末に対するデータ送信のビームフォーミングを協調的に行うことができる。ここで、データはサービングセルのみで送信されるが、ユーザースケジューリング／ビームフォーミングは、当該ＣｏＭＰ協調単位におけるセルの調整によって決定されうる。
【０１３８】
一方、上りリンクでは、調整（ｃｏｏｒｄｉｎａｔｅｄ）多重−ポイント受信は、地理的に離れた複数個のポイントの調整によって送信された信号を受信することを意味する。上りリンクにおいて適用可能なＣｏＭＰ技法は、ジョイント受信（Ｊｏｉｎｔ  Ｒｅｃｅｐｔｉｏｎ；ＪＲ）と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）とに分類できる。
【０１３９】
ＪＲ技法は、ＰＵＳＣＨを介して送信された信号が複数個の受信ポイントに受信されることを意味し、ＣＳ／ＣＢ技法は、ＰＵＳＣＨが一つのポイントのみに受信されるが、ユーザースケジューリング／ビームフォーミングはＣｏＭＰ協調単位のセルの調整によって決定されることを意味する。
【０１４０】
このようなＣｏＭＰシステムを用いると、端末は、多重−セル基地局（Ｍｕｌｔｉ−ｃｅｌｌ  ｂａｓｅ  ｓｔａｔｉｏｎ）から共同にデータの支援を受けることができる。また、各基地局は、同一の無線周波数リソース（Ｓａｍｅ  Ｒａｄｉｏ  Ｆｒｅｑｕｅｎｃｙ  Ｒｅｓｏｕｒｃｅ）を用いて一つ以上の端末に同時に支援することによって、システムの性能を向上させることができる。また、基地局は、基地局と端末間のチャネル状態情報に基づいて空間分割多元接続（Ｓｐａｃｅ  Ｄｉｖｉｓｉｏｎ  Ｍｕｌｔｉｐｌｅ  Ａｃｃｅｓｓ：ＳＤＭＡ）方法を行うこともできる。
【０１４１】
ＣｏＭＰシステムでサービング基地局及び一つ以上の協調基地局はバックボーン網（Ｂａｃｋｂｏｎｅ  Ｎｅｔｗｏｒｋ）を通してスケジューラ（ｓｃｈｅｄｕｌｅｒ）に接続する。スケジューラは、バックボーン網を通して、各基地局が測定した各端末及び協調基地局間のチャネル状態に関するチャネル情報をフィードバック受けて動作することができる。例えば、スケジューラは、サービング基地局及び一つ以上の協調基地局に対して協調的ＭＩＭＯ動作のための情報をスケジューリングすることができる。すなわち、スケジューラから各基地局に協調的ＭＩＭＯ動作に関する指示を直接下すことができる。
【０１４２】
上述した通り、ＣｏＭＰシステムは、複数個のセルを一つのグループにまとめて仮想ＭＩＭＯシステムとして動作するものと見なすことができ、基本的に、ＣｏＭＰシステムには多重アンテナを用いるＭＩＭＯシステムの通信技法を適用することができる。
【０１４３】
搬送波併合
搬送波併合を説明するに先立ち、ＬＴＥ−Ａで無線リソースを管理するために導入されたセル（Ｃｅｌｌ）の概念についてまず説明する。セルは、下りリンクリソース及び上りリンクリソースの組合せと理解できる。ここで、上りリンクリソースは必須の要素ではなく、よって、セルは、下りリンクリソース単独で構成されてもよく、又は下りリンクリソース及び上りリンクリソースで構成されてもよい。下りリンクリソースは、下りリンク構成搬送波（Ｄｏｗｎｌｉｎｋ  ｃｏｍｐｏｎｅｎｔ  ｃａｒｒｉｅｒ；ＤＬ ＣＣ）と、上りリンクリソースは上りリンク構成搬送波（Ｕｐｌｉｎｋ  ｃｏｍｐｏｎｅｎｔ  ｃａｒｒｉｅｒ；ＵＬ ＣＣ）と呼ぶことができる。ＤＬ ＣＣ及びＵＬ ＣＣは、搬送波周波数（ｃａｒｒｉｅｒ  ｆｒｅｑｕｅｎｃｙ）と表現することができ、搬送波周波数は、当該セルにおける中心周波数（ｃｅｎｔｅｒ  ｆｒｅｑｕｅｎｃｙ）を意味する。
【０１４４】
セルは、プライマリ周波数（ｐｒｉｍａｒｙ  ｆｒｅｑｕｅｎｃｙ）で動作するプライマリセル（ｐｒｉｍａｒ  ｙｃｅｌｌ、ＰＣｅｌｌ）と、セカンダリ周波数（ｓｅｃｏｎｄａｒｙ  ｆｒｅｑｕｅｎｃｙ）で動作するセカンダリセル（ｓｅｃｏｎｄａｒｙ  ｃｅｌｌ、ＳＣｅｌｌ）と分類できる。ＰＣｅｌｌとＳＣｅｌｌはサービングセル（ｓｅｒｖｉｎｇ  ｃｅｌｌ）と呼ぶことができる。ＰＣｅｌｌは、端末が初期接続設定（ｉｎｉｔｉａｌ  ｃｏｎｎｅｃｔｉｏｎ  ｅｓｔａｂｌｉｓｈｍｅｎｔ）過程を行ったり、接続再設定過程又はハンドオーバー過程で指示されたセルとすることができる。すなわち、ＰＣｅｌｌは、後述する搬送波併合環境で制御関連の中心となるセルと理解すればよい。端末は、自身のＰＣｅｌｌでＰＵＣＣＨの割当を受けて送信することができる。ＳＣｅｌｌは、ＲＲＣ（Ｒａｄｉｏ  Ｒｅｓｏｕｒｃｅ  Ｃｏｎｔｒｏｌ）接続設定がなされた後に構成可能であり、追加の無線リソースを提供するために用いることができる。搬送波併合環境でＰＣｅｌｌ以外の残りのサービングセルをＳＣｅｌｌと見なすことができる。ＲＲＣ＿ＣＯＮＮＥＣＴＥＤ状態にあるが、搬送波併合が設定されていないか又は搬送波併合を支援しない端末の場合、ＰＣｅｌｌのみで構成されたサービングセルが一つだけ存在する。一方、ＲＲＣ＿ＣＯＮＮＥＣＴＥＤ状態にあるとともに搬送波併合が設定された端末の場合、一つ以上のサービングセルが存在し、全体サービングセルにはＰＣｅｌｌと全体ＳＣｅｌｌが含まれる。搬送波併合を支援する端末のために、ネットワークは、初期保安活性化（ｉｎｉｔｉａｌ  ｓｅｃｕｒｉｔｙ  ａｃｔｉｖａｔｉｏｎ）過程が開始された後、接続設定過程で初期に構成されるＰＣｅｌｌに付加して一つ以上のＳＣｅｌｌを構成することができる。
【０１４５】
図１０は、搬送波併合を説明するための図である。
【０１４６】
搬送波併合は、高い高速送信率の要求に符合するために、より広い帯域を使用するように導入された技術である。搬送波併合は、搬送波周波数が互いに異なる２個以上の構成搬送波（ｃｏｍｐｏｎｅｎｔ  ｃａｒｒｉｅｒ、ＣＣ）又は２個以上のセルの併合（ａｇｇｒｅｇａｔｉｏｎ）と定義することができる。図１０を参照すると、図１０（ａ）は、既存ＬＴＥシステムで一つのＣＣを用いる場合のサブフレームを示し、図１０（ｂ）は、搬送波併合が用いられる場合のサブフレームを示している。図１０（ｂ）には、２０ＭＨｚのＣＣ３個が用いられて総６０ＭＨｚの帯域幅を支援する例示を示している。ここで、各ＣＣは、周波数上で連続していてもよく、非連続していてもよい。
【０１４７】
端末は、下りリンクデータを複数個のＤＬ ＣＣを介して同時に受信し、モニタリングすることができる。各ＤＬ ＣＣとＵＬ ＣＣ間のリンケージ（ｌｉｎｋａｇｅ）はシステム情報で示すことができる。ＤＬ ＣＣ／ＵＬ ＣＣリンクは、システムに固定していてもよく、半−静的に構成されてもよい。また、システム全体帯域がＮ個のＣＣで構成されても、特定端末がモニタリング／受信できる周波数帯域はＭ（＜Ｎ）個のＣＣに限定されてもよい。キャリア併合に関する様々なパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）の方式で設定することができる。
【０１４８】
図１１は、クロス−搬送波スケジューリング（ｃｒｏｓｓ−ｃａｒｒｉｅｒ  ｓｃｈｅｄｕｌｉｎｇ）を説明するための図である。
【０１４９】
クロス−搬送波スケジューリングとは、例えば、複数サービングセルのいずれか一つのＤＬ ＣＣの制御領域に、他のＤＬ ＣＣの下りリンクスケジューリング割当情報を全て含むこと、又は複数サービングセルのいずれか一つのＤＬ ＣＣの制御領域に、該ＤＬ ＣＣとリンクされている複数のＵＬ ＣＣに関する上りリンクスケジューリング承認情報を全て含むことを意味する。
【０１５０】
クロス−搬送波スケジューリングに関して、搬送波指示子フィールド（ｃａｒｒｉｅｒ  ｉｎｄｉｃａｔｏｒ  ｆｉｅｌｄ、ＣＩＦ）について説明する。ＣＩＦは、ＰＤＣＣＨを介して送信されるＤＣＩフォーマットに含まれてもよく（例えば、３ビットサイズで定義される）、含まれなくてもよく（例えば、０ビットサイズで定義される）、含まれた場合、クロス−搬送波スケジューリングが適用されることを示す。クロス−搬送波スケジューリングが適用されない場合には、下りリンクスケジューリング割当情報は、現在下りリンクスケジューリング割当情報が送信されるＤＬ ＣＣ上で有効である。また、上りリンクスケジューリング承認は、下りリンクスケジューリング割当情報が送信されるＤＬ ＣＣとリンクされた一つのＵＬ ＣＣに対して有効である。
【０１５１】
クロス−搬送波スケジューリングが適用された場合、ＣＩＦは、いずれか一つのＤＬ ＣＣでＰＤＣＣＨを介して送信される下りリンクスケジューリング割当情報に関連したＣＣを示す。例えば、図１１を参照すると、ＤＬ ＣＣ Ａ上の制御領域におけるＰＤＣＣＨを介してＤＬ ＣＣ Ｂ及びＤＬ ＣＣ Ｃに関する下りリンク割当情報、すなわち、ＰＤＳＣＨリソースに関する情報が送信される。端末は、ＤＬ ＣＣ Ａをモニタリングし、ＣＩＦからＰＤＳＣＨのリソース領域及び該当のＣＣが把握できる。
【０１５２】
ＰＤＣＣＨにＣＩＦが含まれるか又は含まれないかは半−静的に設定されてもよく、ＣＩＦは上位層シグナリングによって端末−特定に活性化されてもよい。
【０１５３】
ＣＩＦが非活性化（ｄｉｓａｂｌｅｄ）された場合に、特定ＤＬ ＣＣ上のＰＤＣＣＨは、該ＤＬ ＣＣ上のＰＤＳＣＨリソースを割り当て、特定ＤＬ ＣＣにリンクされたＵＬ ＣＣ上のＰＵＳＣＨリソースを割り当てることができる。この場合、既存のＰＤＣＣＨ構造と同じコーディング方式、ＣＣＥベースのリソースマッピング、ＤＣＩフォーマットなどを適用することができる。
【０１５４】
一方、ＣＩＦが活性化（ｅｎａｂｌｅｄ）された場合に、特定ＤＬ ＣＣ上のＰＤＣＣＨは、複数個の併合されたＣＣのうち、ＣＩＦが示す一つのＤＬ／ＵＬ ＣＣ上におけるＰＤＳＣＨ／ＰＵＳＣＨリソースを割り当てることができる。この場合、既存のＰＤＣＣＨ ＤＣＩフォーマットにＣＩＦをさらに定義することができ、ＣＩＦは、固定した３ビット長のフィールドと定義されてもよく、ＣＩＦ位置がＤＣＩフォーマットサイズに関わらずに固定されてもよい。この場合にも、既存のＰＤＣＣＨ構造と同じコーディング方式、ＣＣＥベースのリソースマッピング、ＤＣＩフォーマットなどを適用することができる。
【０１５５】
ＣＩＦが存在する場合にも、基地局は、ＰＤＣＣＨをモニタリングするＤＬ ＣＣセットを割り当てることができる。これによって、端末のブラインドデコーディングの負担を減少させることができる。ＰＤＣＣＨモニタリングＣＣセットは、全体併合されたＤＬ ＣＣの一部分であり、端末は、ＰＤＣＣＨの検出／デコーディングを該当のＣＣセットのみで行うことができる。すなわち、端末に対してＰＤＳＣＨ／ＰＵＳＣＨをスケジューリングするために、基地局はＰＤＣＣＨをＰＤＣＣＨモニタリングＣＣセット上でのみ送信することができる。ＰＤＣＣＨモニタリングＤＬ ＣＣセットは、端末−特定、端末グループ−特定、又はセル−特定に設定することができる。例えば、図１１の例示のように３個のＤＬ ＣＣが併合される場合に、ＤＬ ＣＣ ＡをＰＤＣＣＨモニタリングＤＬ ＣＣと設定することができる。ＣＩＦが非活性化される場合、それぞれのＤＬ ＣＣ上のＰＤＣＣＨは、ＤＬ ＣＣ ＡにおけるＰＤＳＣＨのみをスケジューリングすることができる。一方、ＣＩＦが活性化されると、ＤＬ ＣＣ Ａ上のＰＤＣＣＨは、ＤＬ ＣＣ Ａはもとより、他のＤＬ ＣＣにおけるＰＤＳＣＨもスケジューリングすることができる。ＤＬ ＣＣ ＡがＰＤＣＣＨモニタリングＣＣと設定される場合には、ＤＬ ＣＣ Ｂ及びＤＬ ＣＣ ＣにはＰＤＣＣＨが送信されなくてもよい。
【０１５６】
ＰＤＣＣＨプロセシング
ＰＤＣＣＨをリソース要素上にマップするとき、連続した論理割当単位である制御チャネル要素（ＣＣＥ）を用いる。１個のＣＣＥは複数（例えば、９個）のリソース要素グループ（ＲＥＧ）を含み、１個のＲＥＧは、参照信号（ＲＳ）を除く状態で隣接した４個のＲＥで構成される。
【０１５７】
特定のＰＤＣＣＨのために必要なＣＣＥの個数は、制御情報のサイズであるＤＣＩペイロード、セル帯域幅、チャネル符号化率などによって異なってくる。具体的に、特定のＰＤＣＣＨのためのＣＣＥの個数を、下記の表４のように、ＰＤＣＣＨフォーマットによって定義することができる。
【表４】
0006336454.tif 000024
【０１５８】
ＰＤＣＣＨには４種類のフォーマットのいずれか一つを用いることができるが、それが端末には表示されない。そのため、端末にとってはＰＤＣＣＨフォーマットを知らないまま復号をしなければならない。これをブラインドデコーディングという。ただし、端末が下りリンクに用いられる可能な全ＣＣＥを各ＰＤＣＣＨフォーマットに対してデコーディングすることは大きな負担となるため、スケジューラに対する制約とデコーディング試行回数を考慮して探索空間（Ｓｅａｒｃｈ  Ｓｐａｃｅ）を定義する。
【０１５９】
すなわち、探索空間は、組合せレベル（Ａｇｇｒｅｇａｔｉｏｎ  Ｌｅｖｅｌ）上で端末がデコーディングを試みるべきＣＣＥからなる候補（ｃａｎｄｉｄａｔｅ）ＰＤＣＣＨの組合せである。ここで、組合せレベル及びＰＤＣＣＨ候補の数を下記の表５のように定義することができる。
【表５】
0006336454.tif 000025
【０１６０】
上記の表５からわかるように、４種類の組合せレベルが存在するので、端末は各組合せレベルによって複数個の探索空間を有する。また、上記の表５に示すように、探索空間は、端末特定探索空間と共通探索空間とに区別できる。端末特定探索空間は特定の端末のためのものであり、各端末は、端末特定探索空間をモニタリングして（可能なＤＣＩフォーマットによってＰＤＣＣＨ候補組合せに対してデコーディングを試みて）、ＰＤＣＣＨにマスクされているＲＮＴＩ及びＣＲＣを確認し、有効な場合、制御情報を取得することができる。
【０１６１】
共通探索空間は、システム情報に対する動的スケジューリングやページングメッセージなどを含め、複数の端末又は全端末がＰＤＣＣＨを受信する必要がある場合のためのものである。ただし、共通探索空間は、リソース運用上、特定端末のためのものとして用いられてもよい。また、共通探索空間は端末特定探索空間とオーバーラップしてもよい。
【０１６２】
上述した通り、端末は探索空間に対してデコーディングを試みるが、このデコーディングを試みる回数は、ＤＣＩフォーマット及びＲＲＣシグナリングによって指示される送信モード（Ｔｒａｎｓｍｉｓｓｉｏｎ  ｍｏｄｅ）によって決定される。搬送波併合が適用されない場合、端末は共通探索空間に対してＰＤＣＣＨ候補数６個のそれぞれに対して２種類のＤＣＩサイズ（ＤＣＩフォーマット０／１Ａ／３／３Ａ、及びＤＣＩフォーマット１Ｃ）を考慮するので、最大１２回のデコーディングを試みる必要がある。端末特定探索空間に対しては、ＰＤＣＣＨ候補数（６＋６＋２＋２＝１６）に対して２種類のＤＣＩサイズを考慮するので、最大３２回のデコーディングを試みる必要がある。したがって、搬送波併合が適用されない場合、最大４４回のデコーディングを試みる必要がある。
【０１６３】
改善された（Ｅｎｈａｎｃｅｄ）制御チャネル
改善された制御チャネルの一例として、Ｅ−ＰＤＣＣＨ（Ｅｎｈａｎｃｅｄ  ＰＤＣＣＨ）について説明する。
【０１６４】
前述したＤＣＩフォーマットに含まれた制御情報は、ＬＴＥ／ＬＴＥ−Ａに定義されたＰＤＣＣＨを介して送信されることを中心に説明したが、ＰＤＣＣＨではなく他の下りリンク制御チャネル、例えば、Ｅ−ＰＤＣＣＨにも適用可能である。Ｅ−ＰＤＣＣＨは、端末のためのスケジューリング割当などのＤＣＩを運ぶ（ｃａｒｒｙ）制御チャネルの新しい形態に該当し、セル間干渉調整（ＩＣＩＣ）、ＣｏＭＰ、ＭＵ−ＭＩＭＯなどの技法を效果的に支援するために導入できる。
【０１６５】
このようなＥ−ＰＤＣＣＨは、既存のＬＴＥ／ＬＴＥ−ＡシステムにおいてＰＤＣＣＨ送信のために定義される領域（例えば、図３の制御領域）以外の時間−周波数リソース領域（例えば、図３のデータ領域）に割り当てられるという点で、既存のＰＤＣＣＨと区別される（以下では、既存のＰＤＣＣＨを、Ｅ−ＰＤＣＣＨと区別するために、レガシー−ＰＤＣＣＨ（ｌｅｇａｃｙ−ＰＤＣＣＨ）と称する）。例えば、Ｅ−ＰＤＣＣＨのリソース要素へのマップは、時間領域では下りリンクサブフレームの先頭Ｎ（例えば、Ｎ≦４）個のＯＦＤＭシンボルを除いたＯＦＤＭシンボルにマップされ、周波数領域では半−静的に割り当てられたリソースブロック（ＲＢ）のセットにマップされることと表現できる。
【０１６６】
また、Ｅ−ＰＤＣＣＨの導入と類似の理由で、上りリンク送信に対するＨＡＲＱ ＡＣＫ／ＮＡＣＫ情報を運ぶ新しい制御チャネルとしてＥ−ＰＨＩＣＨを定義でき、下りリンク制御チャネル送信に用いられるリソース領域に関する情報を運ぶ新しい制御チャネルとしてＥ−ＰＣＦＩＣＨを定義することもできる。このようなＥ−ＰＤＣＣＨ、Ｅ−ＰＨＩＣＨ及び／又はＥ−ＰＣＦＩＣＨを総称してＥｎｈａｎｃｅｄ−制御チャネルと呼ぶことができる。
【０１６７】
ＥＲＥＧ（Ｅｎｈａｎｃｅｄ  ＲＥＧ）をＥｎｈａｎｃｅｄ−制御チャネルのリソース要素へのマップを定義するために用いることができる。例えば、一つの物理リソースブロック対（ＰＲＢ  ｐａｉｒ）に対して、１６個のＥＲＥＧ（すなわち、ＥＲＥＧ ０からＥＲＥＧ １５）が存在できる。一つのＰＲＢ上でＤＭＲＳ（ＤｅＭｏｄｕｌａｔｉｏｎ  Ｒｅｆｅｒｅｎｃｅ  Ｓｉｇｎａｌ）がマップされたＲＥを除いた残りのＲＥに対して、０から１５までの番号がつけられる。番号のつけられる順序は、まず、周波数の増加する順序に従い、続いて、時間の増加する順序に従う。例えば、ｉという番号がつけられたＲＥが一つのＥＲＥＧ ｉを構成する。
【０１６８】
Ｅｎｈａｎｃｅｄ−制御チャネルは１つ又は複数個のＥＣＣＥ（Ｅｎｈａｎｃｅｄ  ＣＣＥ）の組合せ（ａｇｇｒｅｇａｔｉｏｎ）を用いて送信することができる。それぞれのＥＣＣＥは、１つ又は複数個のＥＲＥＧを含むことができる。ＥＣＣＥ当たりのＥＲＥＧの個数は、例えば、４又は８であってもよい（正規ＣＰの一般サブフレームの場合は４）。
【０１６９】
Ｅｎｈａｎｃｅｄ−制御チャネルに対して利用可能なＥＣＣＥには０からＮECCE−１まで番号を付けることができる。ＮECCEの値は、例えば、１、２、４、８、１６又は３２であってもよい。
【０１７０】
Ｅｎｈａｎｃｅｄ−制御チャネルの送信のために設定されたＰＲＢ対のＲＥの個数は、次の条件、ｉ）、ｉｉ）及びｉｉｉ）を満たすＲＥの個数と定義できる。ｉ）ＰＲＢ対における１６個のＥＲＥＧのいずれか一ＥＲＥＧの一部であること、ｉｉ）ＣＲＳ（Ｃｅｌｌ−ｓｐｅｃｉｆｉｃ  Ｒｅｆｅｒｅｎｃｅ  Ｓｉｇｎａｌ）又はＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）のために用いられないこと、及びｉｉｉ）Ｅｎｈａｎｃｅｄ−制御チャネルが始まるＯＦＤＭシンボルのインデックス以上のＯＦＤＭシンボルに属すること。
【０１７１】
また、Ｅｎｈａｎｃｅｄ−制御チャネルは、ローカル（ｌｏｃａｌｉｚｅｄ）方式又は分散（ｄｉｓｔｒｉｂｕｔｅｄ）方式でＲＥにマップできる。Ｅｎｈａｎｃｅｄ−制御チャネルは、次の条件ａ）乃至ｄ）を満たすＲＥにマップできる。ａ）送信のために割り当てられたＥＲＥＧの一部であること、ｂ）物理ブロードキャストチャネル（Ｐｈｙｓｉｃａｌ  Ｂｒｏａｄｃａｓｔ  Ｃｈａｎｎｅｌ；ＰＢＣＨ）又は同期信号（ｓｙｎｃｈｒｏｎｉｚａｔｉｏｎ  ｓｉｇｎａｌ）の送信に用いられるＰＲＢ対の一部でないこと、ｃ）ＣＲＳ又は特定ＵＥに対するＣＳＩ−ＲＳのために用いられないこと、及びｄ）Ｅｎｈａｎｃｅｄ−制御チャネルが始まるＯＦＤＭシンボルのインデックス以上のＯＦＤＭシンボルに属すること。
【０１７２】
Ｅｎｈａｎｃｅｄ−制御チャネルの割当は、次のように行うことができる。基地局からの上位層シグナリングで端末に一つ又は複数個のＥｎｈａｎｃｅｄ−制御チャネル−ＰＲＢ−セットを設定することができる。例えば、Ｅ−ＰＤＣＣＨの場合は、Ｅｎｈａｎｃｅｄ−制御チャネル−ＰＲＢ−セットがＥ−ＰＤＣＣＨのモニタリングのためのものであってもよい。
【０１７３】
また、Ｅｎｈａｎｃｅｄ−制御チャネルのＲＥマップにはクロスインターリービング（ｃｒｏｓｓ  ｉｎｔｅｒｌｅａｖｉｎｇ）が適用されても、適用されなくてもよい。
【０１７４】
クロスインターリービングが適用されない場合、一つのＥｎｈａｎｃｅｄ−制御チャネルはリソースブロックの特定セットにマップされてもよく、リソースブロックのセットを構成するリソースブロックの個数は組合せレベル（ａｇｇｒｅｇａｔｉｏｎ  ｌｅｖｅｌ）１、２、４又は８に対応できる。また、他のＥｎｈａｎｃｅｄ−制御チャネルが当該リソースブロックセットで送信されない。
【０１７５】
クロスインターリービングが適用される場合は、複数個のＥｎｈａｎｃｅｄ−制御チャネルが共に多重化及びインターリービングされて、Ｅｎｈａｎｃｅｄ−制御チャネル送信のために割り当てられたリソースブロック上にマップされてもよい。すなわち、特定リソースブロックセット上で複数個のＥｎｈａｎｃｅｄ−制御チャネルが共にマップされることと表現することもできる。
【０１７６】
ＤＣＩフォーマット１Ａ
ＤＣＩフォーマット１Ａとは、一つのセルにおける一つのＰＤＳＣＨコードワードのコンパクト（ｃｏｍｐａｃｔ）スケジューリングのために用いられるＤＣＩフォーマットのことを指す。すなわち、ＤＣＩフォーマット１Ａは、単一アンテナ送信、単一ストリーム送信、又は送信ダイバーシティ送信など、ランク１送信で用いられる制御情報を含むことができる。表６は、既存の３ＧＰＰ ＬＴＥ／ＬＴＥ−Ａ標準で定義するＤＣＩフォーマット１Ａの一例を表す。
【表６】
0006336454.tif 000026
【０１７７】
上記の表６のような制御情報を含むＤＣＩフォーマット１Ａは、ＰＤＣＣＨ又はＥＰＤＣＣＨを介して基地局から端末に提供することができる。
【０１７８】
ＤＣＩフォーマット１Ａは、最も基本的な下りリンク送信（ランク１で一つのＰＤＳＣＨコードワードを送信）をスケジューリングする情報を含む。したがって、ランク２以上及び／又は複数個のコードワード送信などの複雑なＰＤＳＣＨ送信方式が正しく行われない場合、最も基本的なＰＤＳＣＨ送信方式を支援するための用途（すなわち、フォールバック（ｆａｌｌｂａｃｋ））に用いることができる。
【０１７９】
ＱＣＬ（Ｑｕａｓｉ  Ｃｏ−ｌｏｃａｔｉｏｎ）
ＱＣ又はＱＣＬ（Ｑｕａｓｉ  Ｃｏ−Ｌｏｃａｔｅｄ）関係は、信号に対する観点又はチャネルに対する観点で説明することができる。
【０１８０】
一つのアンテナポート上で受信される信号の大規模特性（ｌａｒｇｅ  ｓｃａｌｅ  ｐｒｏｐｅｒｔｉｅｓ）を、他のアンテナポート上で受信される信号から類推（ｉｎｆｅｒ）できる場合に、これら２つのアンテナポートはＱＣＬされていると見なすことができる。ここで、信号の大規模特性は、遅延拡散（ｄｅｌａｙ  ｓｐｒｅａｄ）、ドップラーシフト（Ｄｏｐｐｌｅｒ  ｓｈｉｆｔ）、周波数シフト（ｆｒｅｑｕｅｎｃｙ  ｓｈｉｆｔ）、平均受信電力（ａｖｅｒａｇｅ  ｒｅｃｅｉｖｅｄ  ｐｏｗｅｒ）、受信タイミング（ｒｅｃｅｉｖｅｄ  ｔｉｍｉｎｇ）のうち一つ以上を含むことができる。
【０１８１】
又は、一つのアンテナポート上のシンボルが送信されるチャネルの大規模特性を、他のアンテナポート上のシンボルが送信されるチャネルの特性から類推できる場合に、これら２つのアンテナポートがＱＣＬされていると見なすことができる。ここで、チャネルの大規模特性は、遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）のうち一つ以上を含むことができる。
【０１８２】
本発明でＱＣ又はＱＣＬという用語を使用するに当たり、上述した信号観点又はチャネル観点の定義は区別しない。
【０１８３】
端末の立場でＱＣＬに対する仮定が成立するアンテナポート間には、実際には２つのアンテナポートがｃｏ−ｌｏｃａｔｅｄされていなくても、ｃｏ−ｌｏｃａｔｅｄされていると仮定することができる。例えば、端末は、ＱＣＬ仮定が成立する２つのアンテナポートが同一の送信ポイント（ＴＰ）に存在すると仮定することができる。
【０１８４】
例えば、特定ＣＳＩ−ＲＳアンテナポートと、特定下りリンクＤＭＲＳアンテナポートと、特定ＣＲＳアンテナポートがＱＣＬされていると設定することができる。これは、特定ＣＳＩ−ＲＳアンテナポートと、特定下りリンクＤＭＲＳアンテナポートと、特定ＣＲＳアンテナポートが一つのサービングセル（ｓｅｒｖｉｎｇ−ｃｅｌｌ）からのものである場合であってもよい。
【０１８５】
また、ＣＳＩ−ＲＳアンテナポートと下りリンクＤＭＲＳアンテナポートがＱＣＬされていると設定されてもよい。例えば、複数個のＴＰが参加するＣｏＭＰ状況で、いずれのＣＳＩ−ＲＳアンテナポートが実際にいずれのＴＰから送信されるかは端末に明示的に知らせられない。この場合、特定ＣＳＩ−ＲＳアンテナポートと特定ＤＭＲＳアンテナポートとがＱＣＬされていることを端末に知らせることができる。これは、特定ＣＳＩ−ＲＳアンテナポートと特定ＤＭＲＳアンテナポートがいずれか一つのＴＰからのものである場合であってもよい。
【０１８６】
このような場合、端末はＣＳＩ−ＲＳ又はＣＲＳを用いて取得したチャネルの大規模特性情報を用いて、ＤＭＲＳを用いたチャネル推定の性能を高めることができる。例えば、ＣＳＩ−ＲＳから推定されたチャネルの遅延拡散を用いて、ＤＭＲＳから推定されたチャネルの干渉を抑制するなどの動作を行うことができる。
【０１８７】
例えば、遅延拡散及びドップラー拡散に関して、端末はいずれか一つのアンテナポートに対する電力−遅延−プロファイル（ｐｏｗｅｒ−ｄｅｌａｙ−ｐｒｏｆｉｌｅ）、遅延拡散及びドップラースペクトル、ドップラー拡散推定結果を、他のアンテナポートに対するチャネル推定時に用いられるウィナーフィルタ（Ｗｉｅｎｅｒ  ｆｉｌｔｅｒ）などに同一に適用することができる。また、周波数シフト及び受信タイミングに関して、端末はいずれか一つのアンテナポートに対する時間及び周波数同期化（ｓｙｎｃｈｒｏｎｉｚａｔｉｏｎ）を行った後、同一の同期化を他のアンテナポートの復調に適用することができる。また、平均受信電力に関して、端末は２個以上のアンテナポートに対して参照信号受信電力（ｒｅｆｅｒｅｎｃｅ  ｓｉｇｎａｌ  ｒｅｃｅｉｖｅｄ  ｐｏｗｅｒ；ＲＳＲＰ）測定を平均化することができる。
【０１８８】
例えば、端末がＰＤＣＣＨ（或いは、ＥＰＤＣＣＨ）を介して特定ＤＭＲＳベースのＤＬ関連ＤＣＩフォーマット（ＤＭＲＳ−ｂａｓｅｄ  ＤＬ−ｒｅｌａｔｅｄ  ＤＣＩ  ｆｏｒｍａｔ）（例えば、ＤＣＩフォーマット２Ｃ）でＤＬスケジューリンググラント情報を受信することがある。この場合、端末は、設定されたＤＭＲＳシーケンスを用いて該当のスケジューリングされたＰＤＳＣＨに対するチャネル推定を行った後、データ復調を行う。例えば、端末がこのようなＤＬスケジューリンググラントから受けたＤＭＲＳポート設定が特定ＲＳ（例えば、特定ＣＳＩ−ＲＳ、特定ＣＲＳ、又は自身のＤＬサービングセルＣＲＳなど）ポートとＱＣＬされていると仮定できるならば、端末は、当該ＤＭＲＳポートからチャネル推定時に、上記の特定ＲＳのポートから推定した遅延拡散などの大規模特性推定値をそのまま適用してＤＭＲＳベース受信の性能を向上させることができる。
【０１８９】
これは、ＣＳＩ−ＲＳ又はＣＲＳは、周波数ドメインで全帯域にわたって送信されるセル−特定信号であり、端末−特定に送信されるＤＭＲＳに比べてチャネルの大規模特性をより正確に把握できるからである。特に、ＣＲＳは、毎サブフレームで全帯域にわたって相対的に高い密度でブロードキャストされる参照信号であるから、一般に、チャネルの大規模特性に対する推定値は、ＣＲＳから安定してより正確に取得することができる。一方、ＤＭＲＳは、スケジューリングされた特定ＲＢのみで端末−特定に送信されるため、チャネルの大規模特性推定値の正確度がＣＲＳ又はＣＳＩ−ＲＳに比べて劣る。また、端末に多数のＰＲＢＧがスケジューリングされた場合であっても、基地局が送信に用いたプリコーディング行列は物理リソースブロックグループ（ＰＲＢＧ）単位に変わることもあるため、端末に受信される有効チャネルはＰＢＲＧ単位に変わることがある。そのため、広い帯域にわたってＤＭＲＳに基づいて大規模チャネル特性を推定しても、その正確性が低下しうる。
【０１９０】
一方、端末は、ＱＣＬされていない（ｎｏｎ−ｑｕａｓｉ−ｃｏ−ｌｏｃａｔｅｄ；ＮＱＣ）アンテナポート（ＡＰ）に対しては、これらのＡＰが同一の大規模チャネル特性を有すると仮定することができない。この場合、端末はタイミング取得及び追跡（ｔｉｍｉｎｇ  ａｃｑｕｉｓｉｔｉｏｎ  ａｎｄ  ｔｒａｃｋｉｎｇ）、周波数オフセット推定及び補償（ｆｒｅｑｕｅｎｃｙ  ｏｆｆｓｅｔ  ｅｓｔｉｍａｔｉｏｎ  ａｎｄ  ｃｏｍｐｅｎｓａｔｉｏｎ）、遅延推定（ｄｅｌａｙ  ｅｓｔｉｍａｔｉｏｎ）、及びドップラー推定（Ｄｏｐｐｌｅｒ  ｅｓｔｉｍａｔｉｏｎ）などについてＮＱＣ ＡＰ別に独立して処理しなければならない。
【０１９１】
ＱＣＬされているか否かは、下りリンク制御情報（例えば、ＤＣＩフォーマット２ＤのＰＱＩフィールド（ＰＤＳＣＨ ＲＥマッピング及びＱＣＬ指示子フィールド））を用いて端末に提供することができる。具体的に、ＱＣＬ設定に対するパラメータセットが上位層によって予め設定されており、ＤＣＩ ２ＤのＰＱＩフィールドを用いてそれらのＱＣＬパラメータセットの中から特定の一つのパラメータセットを示すことができる。
【０１９２】
ＱＣ関連情報のシグナリング方案
本発明の一実施例では、ＣＲＳ、ＣＳＩ−ＲＳ、ＤＭＲＳなどのＲＳ同士のＱＣ仮定情報を基地局がシグナリングすることによって、端末のＣＳＩフィードバック及び受信プロセシング性能を向上させることができる方案を提案する。
【０１９３】
ＱＣ関連情報の上位層シグナリング方案
以下では、ＱＣ関連情報を上位層（例えば、ＲＲＣ）シグナリングで設定する本発明の例示について説明する。例えば、端末が上位層によって一つ以上のＣＳＩ−ＲＳ設定（ｃｏｎｆｉｇｕｒａｔｉｏｎ（ｓ））をシグナリングされる際、それぞれのＣＳＩ−ＲＳ設定別に特定ＲＳとのＱＣ仮定が可能か否かを知らせることができる（ここで、特定ＲＳは、端末の特定セル（例えば、ＤＬサービングセル又は隣接セル）のＣＲＳ、他のＣＳＩ−ＲＳ、又はＤＭＲＳであってもよい）。このように設定された端末は、それぞれのＣＳＩ−ＲＳ設定に基づくＣＳＩフィードバックにおいて、報告する情報（例えば、ＲＩ、ＰＭＩ、ＣＱＩなど）を計算／決定する際にこのようなＱＣ仮定又はＮＱＣ仮定を適用することができる。
【０１９４】
ＱＣ関連情報の上位層シグナリング方案の一例として、ＣＳＩ−ＲＳポートとＣＲＳポート間のＱＣ／ＮＱＣの適用による動作について説明する。
【０１９５】
例えば、端末に複数個のＣＳＩ−ＲＳ設定がシグナリングされることがある。以下の説明で、ＣＳＩ−ＲＳ設定はＣＳＩ−ＲＳリソース（ｒｅｓｏｕｒｃｅ）と理解されてもよい。例えば、端末は、ＣＳＩ−ＲＳ設定１（以下では、「ＣＳＩ−ＲＳ１」と表記）及びＣＳＩ−ＲＳ設定２（以下では、「ＣＳＩ−ＲＳ２」と表記）を上位層によってシグナリングされることがある。また、ＣＳＩ−ＲＳ１は、ＤＬサービングセルＣＲＳとＱＣを仮定してもよいものと、ＣＳＩ−ＲＳ２はＤＬサービングセルＣＲＳとＮＱＣを仮定してもよいものと、上位層によってシグナリングされてもよい。
【０１９６】
この場合、端末は、ＤＬサービングセルＣＲＳとのＱＣ仮定が可能なＣＳＩ−ＲＳ１を用いるＣＳＩ計算について、次のような仮定に基づくことができる。端末は、ＣＳＩを計算する際、ＤＭＲＳベースＰＤＳＣＨを受信する場合を仮定してデータ復調時に所定のエラー率を越えないＲＩ、ＰＭＩ、ＣＱＩなどを計算／決定できるが、このとき、当該ＰＤＳＣＨ ＤＭＲＳポートとＤＬサービングセルＣＲＳとがＱＣ関係にあることを仮定した時のデータ復調時の１０％以下のＦＥＲを達成できるＲＩ、ＰＭＩ、ＣＱＩなどを計算することができる。また、ＣＳＩ−ＲＳ１を用いるＣＳＩ計算において、ＣＳＩ−ＲＳ ｃｏｎｆｉｇｕｒａｔｉｏｎに含まれるＰｃ値（上記の表２のパラメータｐ＿Ｃを参照）に、上記ＤＬサービングセルＣＲＳを考慮した所定のスケーリング（ｓｃａｌｉｎｇ）を適用する方式でＱＣ仮定を反映することもできる。
【０１９７】
一方、端末は、ＣＳＩ−ＲＳ２がＤＬサービングセルＣＲＳとＮＱＣ関係にあると設定されたため、ＣＳＩ−ＲＳ２を送信したＴＰからＤＭＲＳベースＰＤＳＣＨを受信する場合を仮定してＲＩ、ＰＭＩ、ＣＱＩを計算／決定する際、当該ＰＤＳＣＨ ＤＭＲＳポートとＤＬサービングセルＣＲＳとのＱＣ仮定を適用しない。すなわち、ＱＣ仮定無しで、ＤＭＲＳベースＰＤＳＣＨを用いたデータ復調時の１０％以下のＦＥＲを達成できるＲＩ、ＰＭＩ、ＣＱＩなどを計算／決定することができる。例えば、ＱＣ仮定を適用できる場合に比べてより低い（すなわち、より強靭な送信が予想される）ＭＣＳレベル、ＣＱＩ、ＲＩ値などを計算／決定し、それを基地局に報告することができる。
【０１９８】
ＱＣ関連情報の上位層シグナリング方案の追加的な例示として、特定ＣＳＩ−ＲＳ設定のＣＳＩ−ＲＳポートとは異なるＣＳＩ−ＲＳ設定のＣＳＩ−ＲＳポートとのＱＣ／ＮＱＣ仮定の適用を示す情報が上位層シグナリングに含まれてもよい。
【０１９９】
例えば、ＣＳＩ−ＲＳ設定別に所定のロケーション（ｌｏｃａｔｉｏｎ）情報を含み、同一のロケーション値を有するＣＳＩ−ＲＳ間には互いにＱＣを仮定してもよいと解釈するシグナリング方案を提案する。該ロケーション情報はＮビットサイズを有することができる。例えば、Ｌ×Ｍ個のアンテナを含む２次元ＵＲＡ（Ｕｎｉｆｏｒｍ  Ｒｅｃｔａｎｇｕｌａｒ  Ａｎｔｅｎｎａ  ａｒｒａｙ）を具備した基地局で３次元ビームフォーミングを行う場合を仮定することができる。この場合、基地局は一つの端末に対して、２次元ＵＲＡによって構成される複数個のＣＳＩ−ＲＳ設定間にＱＣ関係を有することを知らせることができる。これによって、端末は、一つのＣＳＩ−ＲＳ設定の特定ＣＳＩ−ＲＳポートに対して測定された大規模チャネル特性（例えば、遅延拡散、ドップラー拡散、周波数シフト、受信タイミングなど）の一部又は全部を、他のＣＳＩ−ＲＳ設定のＣＳＩ−ＲＳポートに対して適用することができる。これによって、端末のチャネル推定の複雑性を大幅に減少させることができる。ただし、互いに異なるＣＳＩ−ＲＳ設定に対して大規模チャネル特性のうち平均受信電力をＱＣ関係にあると仮定すると、３次元ビームフォーミングの利得を十分に受けることができず、平均受信電力を決定する際には、互いに異なるＣＳＩ−ＲＳ設定に属したＣＳＩ−ＲＳポートに対してはＮＱＣ関係であると仮定すればよい。
【０２００】
追加的な例示として、ＣＳＩ−ＲＳ設定別にフラグビット（ｆｌａｇ  ｂｉｔ）が含まれてもよい。フラグビットがトグル（ｔｏｇｇｌｅ）される度に、ＱＣ仮定が適用される同一グループに属するか否かを示すことができる。例えば、フラグビットの値がトグルされる場合（すなわち、以前ＣＳＩ−ＲＳ設定のフラグビットの値に比べて当該ＣＳＩ−ＲＳ設定のフラグビットの値が０から１に切り替わったり、１から０に切り替わった場合）には、以前ＣＳＩ−ＲＳ設定と異なるグループに属することを示し、フラグビットの値がトグルされない場合には、同一グループに属することを示すことができる。例えば、端末が総５個のＣＳＩ−ＲＳ設定（ＣＳＩ−ＲＳ１、ＣＳＩ−ＲＳ２、…、ＣＳＩ−ＲＳ５）をシグナリングされた場合に、ＣＳＩ−ＲＳ１及びＣＳＩ−ＲＳ２ではフラグビットが「０」であり、ＣＳＩ−ＲＳ３及びＣＳＩ−ＲＳ４に対しては「１」、ＣＳＩ−ＲＳ５に対しては「０」とトグルされた場合を仮定することができる。この場合、ＣＳＩ−ＲＳ１及びＣＳＩ−ＲＳ２間にはＱＣ仮定が可能であり、ＣＳＩ−ＲＳ３及びＣＳＩ−ＲＳ４間にもＱＣ仮定が可能であり、ＣＳＩ−ＲＳ５は他のＣＳＩ−ＲＳとＱＣ関係にない（すなわち、ＮＱＣ関係にある）ことを示すことができる。また、ＣＳＩ−ＲＳ１又はＣＳＩ−ＲＳ２と、ＣＳＩ−ＲＳ３又はＣＳＩ−ＲＳ４間にはＱＣ仮定が可能でないことがわかる。
【０２０１】
追加的な例示として、ＣＳＩ−ＲＳ設定別に含まれているＣＳＩ−ＲＳシーケンススクランブリングシード値をＸとすれば、Ｘ値が同一か否かによってＱＣ仮定が適用されるか否かを暗黙的に（ｉｍｐｌｉｃｉｔｌｙ）示すことができる。例えば、ＣＳＩ−ＲＳ設定別に含まれるＸ値が同一であれば、該当のＣＳＩ−ＲＳ設定間にはＣＳＩ−ＲＳポートのＱＣ仮定が適用されることを示すことができる。一方、ＣＳＩ−ＲＳ設定別に含まれるＸ値が互いに異なる場合には、該当のＣＳＩ−ＲＳ設定間にはＣＳＩ−ＲＳポートのＮＱＣ仮定が適用されることを示すことができる。ここで、Ｘ値は、端末−特定に設定されるＣＳＩ−ＲＳ設定に含まれる値であるから、セル特定に与えられる物理セル識別子（ＰＣＩ）とは独立的に設定される値であってもよく、仮想セル識別子（ＶＣＩ）と呼ぶことができる。また、Ｘ値は、ＰＣＩと同様に０乃至５０３の範囲のいずれか一つの整数値を有することができるが、ＰＣＩ値と同一でなくてもよい。
【０２０２】
また、特定ＣＳＩ−ＲＳ設定に含まれたＸ値が特定ＣＲＳポートのＰＣＩ値と同じ場合は、当該ＣＳＩ−ＲＳ設定のＣＳＩ−ＲＳポートと上記特定ＣＲＳポート間にＱＣ仮定が可能であることを暗黙的に示すことができる。一方、特定ＣＳＩ−ＲＳ設定に含まれたＸ値が特定ＣＲＳポートのＰＣＩ値と異なる場合は、当該ＣＳＩ−ＲＳ設定のＣＳＩ−ＲＳポートと上記特定ＣＲＳポート間にＮＱＣ仮定が適用されることを暗黙的に示すことができる。
【０２０３】
追加的に、ＣＳＩ−ＲＳスクランブリングシーケンスシード値であるＸ値は、一つのＣＳＩ−ＲＳ設定内のＣＳＩ−ＲＳポート別に個別に割り当てられてもよい。この場合、あるＣＳＩ−ＲＳポートと他のＲＳポート（例えば、他のＣＳＩ−ＲＳ設定のＣＳＩ−ＲＳポート、同一ＣＳＩ−ＲＳ設定内における他のＣＳＩ−ＲＳポート、及び／又はＣＲＳポート）とのＱＣ／ＮＱＣ仮定が適用されるか否かは、それぞれのＣＳＩ−ＲＳポートに対するＸ値（又は、特定ＣＳＩ−ＲＳポートに対するＸ値と特定ＣＲＳのＰＣＩ値）が同一か否かによって暗黙的に示すことができる。
【０２０４】
ＱＣ関連情報の上位層シグナリング方案の追加的な例示として、特定ＣＳＩ−ＲＳ設定によるＤＭＲＳポートとのＱＣ／ＮＱＣ仮定の適用を示す情報が含まれてもよい。
【０２０５】
例えば、ＣＳＩ−ＲＳ設定別に特定ＤＭＲＳポートとのＱＣ／ＮＱＣ仮定の適用をＲＲＣシグナリングで指定することができる。万一、全てのＤＭＲＳポートとのＱＣ仮定の適用が可能なＣＳＩ−ＲＳ１が設定されると、端末は、ＣＳＩ−ＲＳ１を用いた大規模チャネル特性の推定値をＤＭＲＳベースＰＤＳＣＨ受信時にも同一に適用することができる。このようなＣＳＩ−ＲＳ１が設定された端末は、基地局が半−静的に（すなわち、上位層によって再設定されない限り）ＣＳＩ−ＲＳ１を送信したＴＰから当該端末にＰＤＳＣＨを送信するという意味であると解釈することもできる。特に、ＣｏＭＰシナリオ４（すなわち、同一のセルＩＤを有する複数のＴＰからＣＲＳが同時送信される状況）では、ＣＲＳを用いたＴＰ−特定ＱＣ仮定を適用し難いため、ＣＳＩ−ＲＳポートとＱＣ仮定が設定されたＤＭＲＳポートの情報を端末に知らせ、ＤＭＲＳベースの受信プロセシングの性能を向上させることに活用することができる。
【０２０６】
追加的な例示として、端末にＣＳＩ−ＲＳ１とＣＳＩ−ＲＳ２が設定された場合、ＣＳＩ−ＲＳ１はＤＬサービングセルＣＲＳとのＱＣ仮定が適用され、ＣＳＩ−ＲＳ２はＤＬサービングセルＣＲＳとＮＱＣ仮定が適用される場合を仮定する。この場合、端末は、ＤＭＲＳポートはＣＳＩ−ＲＳ１及びＤＬサービングセルＣＲＳの両方とＱＣ仮定が適用されるという半−静的な指示を受けたと暗黙的に解釈して動作することができる。例えば、ＣＳＩ−ＲＳ１がＤＬサービングセルＣＲＳとＱＣ仮定が可能であると設定されたため、端末は、ＣＳＩ−ＲＳ１に基づくＣＳＩフィードバック時に、ＮＱＣを仮定する場合に比べてより高いＭＣＳレベル、ＣＱＩなどのＣＳＩフィードバック情報を報告することができる。したがって、基地局がＣＳＩ−ＲＳ１とＤＬサービングセルＣＲＳ間にＱＣ仮定が適用されると設定すると、（基地局が他のシグナリングをしない限り）端末は、基地局が自身にＤＬ送信をスケジューリングする際には、ＣＳＩ−ＲＳ１を送信したＴＰがＤＭＲＳベースＰＤＳＣＨを送信するようにするという一種の約束と解釈することができる。これによって、端末は、ＱＣの仮定されたＣＳＩ−ＲＳ１ベースのＣＳＩフィードバック情報を報告し、実際ＰＤＳＣＨ受信もＱＣ仮定を適用して行うことによって、受信プロセシングの性能向上を期待することができる。
【０２０７】
具体的に、ＣｏＭＰ測定セット（ｍｅａｓｕｒｅｍｅｎｔ  ｓｅｔ）における複数個のＣＳＩ−ＲＳ設定のうち一つでもＤＬサービングセルＣＲＳとのＱＣ仮定が可能であると許容された場合、端末は、ＤＭＲＳベースＰＤＳＣＨの復調を行うに当たり、当該ＤＭＲＳポートと自身のＤＬサービングセルＣＲＳポート（また、当該ＤＬサービングセルＣＲＳポートとＱＣ仮定が適用されるＣＳＩ−ＲＳポート）間のＱＣ仮定が可能であることが半−静的に指示されたと暗黙的に解釈することができる。これによって、端末には、このようなＤＬサービングセルＣＲＳ、ＤＭＲＳ、ＣＳＩ−ＲＳポート間のＱＣ仮定を考慮して受信プロセシングを行うことが許容される。また、当該端末がＣＳＩフィードバックを行う際にも、このようなＱＣ仮定が適用された受信プロセシングを仮定してＣＳＩを生成する。例えば、端末がＤＭＲＳベースＰＤＳＣＨを受信することを仮定し、当該ＤＭＲＳポートとＤＬサービングセルＣＲＳポート（また、当該ＤＬサービングセルＣＲＳポートとＱＣ仮定が適用されるＣＳＩ−ＲＳポート）間にＱＣ関係を有すると仮定し、データ復調時に１０％以下のエラー率を達成できるＭＣＳレベル、ＣＱＩ、ＲＩ、ＰＭＩなどを計算／決定してそれを報告することができる。
【０２０８】
一方、ＣｏＭＰ測定セットにおける複数個のＣＳＩ−ＲＳ設定がいずれもＤＬサービングセルＣＲＳとＮＱＣ仮定を適用することが設定された場合には、端末は、ＤＭＲＳベースＰＤＳＣＨの復調を行うに当たり、当該ＤＭＲＳポートと自身のＤＬサービングセルＣＲＳポート間にＮＱＣ仮定が適用されることが半−静的に指示されたと暗黙的に解釈することができる。また、当該端末が受信プロセシングを行うに当たり、当該ＣＳＩ−ＲＳ設定のＣＳＩ−ＲＳポートと他のＲＳポートとのＱＣ仮定を適用してはならない。また、当該端末がＣＳＩフィードバックを行う際にも、このようなＮＱＣ仮定が適用された受信プロセシングを仮定してＣＳＩを生成する。例えば、端末がＤＭＲＳベースＰＤＳＣＨを受信することを仮定し、当該ＤＭＲＳポートとＤＬサービングセルＣＲＳポート間にＮＱＣ関係を有すると仮定し、データ復調時に１０％以下のエラー率を達成できるＭＣＳレベル、ＣＱＩ、ＲＩ、ＰＭＩなどを計算／決定してそれを報告することができる。
【０２０９】
追加的な例示として、ＣＳＩ−ＲＳ設定別にサブフレームインデックス情報が含まれ、当該サブフレームでＤＭＲＳベースＰＤＳＣＨスケジューリングを受ける場合に、当該ＤＭＲＳポートと当該ＣＳＩ−ＲＳポート（また、ＤＬサービングセルＣＲＳポート）間のＱＣ／ＮＱＣ仮定の適用がＲＲＣシグナリングによって指定されてもよい。例えば、ＣＳＩ−ＲＳ１は、偶数インデックスを有するサブフレームでＤＭＲＳポートとのＱＣ仮定が可能であるとシグナリングされる場合、端末は、偶数インデックスのサブフレームではＣＳＩ−ＲＳ１のＣＳＩ−ＲＳポート及び／又はＤＬサービングセルＣＲＳポートを用いた大規模チャネル特性推定値の一部又は全部を、ＤＭＲＳベースＰＤＳＣＨ受信プロセシングに同一に適用することができる。ＣＳＩフィードバックの場合には、端末が、ＱＣ仮定を考慮したＣＳＩ、ＮＱＣ仮定を考慮したＣＳＩの両方を生成して報告することができる。又は、ＣＱＩのみに対してＱＣである場合を仮定したＣＱＩ、ＮＱＣである場合を仮定したＣＱＩの両方を計算／決定して報告することもできる。
【０２１０】
このようなシグナリングは、サブフレームビットマップ又はサブフレームインデックスセットの形態で提供することができる。例えば、サブフレームセット１は「ＤＭＲＳポートとＤＬサービングセルＣＲＳポート」間のＱＣ仮定が可能であり、サブフレームセット２は「ＤＭＲＳポートと特定ＣＳＩ−ＲＳポート」間のＱＣ仮定が可能であると設定されてもよい。又は、サブフレームセット１は「ＤＭＲＳポートとＤＬサービングセルＣＲＳポート」間のＱＣ仮定が可能であり、サブフレームセット２は「ＤＭＲＳポートとＤＬサービングセルＣＲＳポート」間のＮＱＣを仮定しなければならないと設定されてもよい。
【０２１１】
ＱＣ関連情報の動的シグナリング方案
以下では、ＱＣ関連情報を動的シグナリングを用いて設定する本発明の例示について説明する。例えば、端末がＤＭＲＳベースＰＤＳＣＨ送信に対するＤＬ−関連（又は、下りリンクグラント）ＤＣＩをＰＤＣＣＨ或いはＥＰＤＣＣＨを介して受信できるが、当該ＤＭＲＳポートと他のＲＳ（例えば、当該端末のＤＬサービングセルＣＲＳ又はＣＳＩ−ＲＳ）ポートとのＱＣ仮定の適用が可能か否かを示す情報が含まれてもよい。
【０２１２】
ＱＣ関連情報の動的シグナリング方案の一例として、１ビットサイズの情報を用いて当該ＤＭＲＳポートと特定ＲＳ（例えば、当該端末のＤＬサービングセルＣＲＳ又はＣＳＩ−ＲＳ）ポート間のＱＣ仮定の適用が可能か否かのみを動的にシグナリングすることができる。これによって、ＣｏＭＰ動的ポイント選択（ＤＰＳ）又は動的セル選択方式によるＰＤＳＣＨスケジューリングのためのＤＬ−関連ＤＣＩを提供する際、基地局は、ＱＣ仮定が可能なＴＰからのＰＤＳＣＨがＤＰＳ方式で送信される場合には、ＱＣ仮定の適用が可能であることを動的に端末に示すことによって、端末の受信プロセシング性能を高めることができる。
【０２１３】
ＱＣ関連情報の動的シグナリング方案の追加的な例示として、上位層（例えば、ＲＲＣ層）シグナリングによって「ＣＳＩ−ＲＳポート及びＤＭＲＳポート間のＱＣ−対（ｐａｉｒ）情報」又は「ＣＲＳポート及びＤＭＲＳポート間のＱＣ−ｐａｉｒ情報」を、複数個の状態（ｓｔａｔｅ）を有する情報として半−静的に予め設定しておき、ＤＣＩを用いてスケジューリンググラント情報を端末に提供する際に、これら複数個の状態のいずれか一つを動的に示す方式を適用することができる。例えば、Ｎ（例えば、Ｎ＝２）個のビット状態のうち一つを動的にトリガリングし、ここで、それぞれの状態は、ＲＲＣによって予め設定されたＲＳ間（ｉｎｔｅｒ−ＲＳ）ＱＣ−ｐａｉｒ候補（例えば、ＣＳＩ−ＲＳとＤＭＲＳ ｐａｉｒ、又はＣＲＳとＤＭＲＳ ｐａｉｒ）のうち一つに該当する。
【０２１４】
例えば、Ｎ＝２の場合、状態「００」は、ＮＱＣ（すなわち、ＤＭＲＳポートは他のＲＳポートとＱＣ仮定が適用されないこと）を、状態「０１」は、ＤＬサービングセルＣＲＳポートとＱＣ仮定が可能であることを、状態「１０」は、ＲＲＣ設定された第１セットのＲＳ（例えば、特定ＣＳＩ−ＲＳ又は特定ＣＲＳ）ポートとＱＣ仮定が可能であることを、状態「１１」は、ＲＲＣ設定された第２セットのＲＳポートとＱＣ仮定が可能であることを示すと予め設定することができる。例えば、ＲＲＣ設定された第１セットのＲＳ−間ＱＣ−ｐａｉｒは、「ＤＭＲＳポートはＣＳＩ−ＲＳ１及びＣＳＩ−ＲＳ２のＣＳＩ−ＲＳポートとＱＣ仮定が可能であること」を示すことができ、ＲＲＣ設定された第２セットのＲＳ−間ＱＣ−ｐａｉｒは、「ＤＭＲＳポートはＣＲＳポートとＱＣ仮定が可能であること」を示すことができる。
【０２１５】
また、ＱＣ情報とＣＲＳレートマッチング（ＲＭ）パターン情報がジョイントコーディングされてもよい。これによって、上記ＤＣＩフォーマットにおけるＮビットフィールドは、「ＰＤＳＣＨ ＲＥマッピング及びＱＣＬ指示子フィールド」（略して、ＰＱＩフィールド）と呼ぶことができる。
【０２１６】
例えば、Ｎ（例えば、Ｎ＝２）個のビット状態は、下記の表７のように構成することができる。
【表７】
0006336454.tif 000027
【０２１７】
上記の表７で、「ＱＣ ａｓｓｕｍｐｔｉｏｎ ｗｉｔｈ ＣＳＩ−ＲＳ」項目は、特定状態（「００」、「０１」、「１０」、「１１」）を示す情報がＤＭＲＳベースＰＤＳＣＨ送信をスケジューリングするＤＬ−関連ＤＣＩに含まれるとき、当該ＤＭＲＳポートといずれのＣＳＩ−ＲＳ設定間にＱＣ仮定の適用が可能かを示す。例えば、ＴＰ当たり一つずつの互いに異なるＣＳＩ−ＲＳが事前にＲＲＣシグナリングで端末に設定された場合を仮定することができる。ここで、特定ＴＰをインデックスｎ（ｎ＝０，１，２，…）のＴＰｎと称し、ＴＰｎに該当する設定されたＣＳＩ−ＲＳ設定をＣＳＩ−ＲＳｎと称することができる。ここで、ＴＰという用語は、セル（ｃｅｌｌ）という意味と理解してもよい。また、ＣＳＩ−ＲＳｎは、０でない送信電力の（ｎｏｎ−ｚｅｒｏ  ｐｏｗｅｒ；ＮＺＰ）ＣＳＩ−ＲＳ設定であってもよい。
【０２１８】
この場合、上記の表７で、状態「００」は、ＴＰ１で送信するＣＳＩ−ＲＳ１のＣＳＩ−ＲＳポートと当該ＤＭＲＳポート間にＱＣ仮定が可能であることを意味できる。状態「０１」は、ＴＰ２で送信するＣＳＩ−ＲＳ２のＣＳＩ−ＲＳポートと当該ＤＭＲＳポート間に、状態「１０」は、ＴＰ３で送信するＣＳＩ−ＲＳ３のＣＳＩ−ＲＳポートと当該ＤＭＲＳポート間に、ＱＣ仮定が可能であることを意味できる。すなわち、基地局は、ＤＬ−関連ＤＣＩを用いて「００」、「０１」又は「１０」のいずれか一つの状態を示すことによって、ＴＰ１、ＴＰ２又はＴＰ３のいずれか一つのＴＰからのＤＰＳ方式ＰＤＳＣＨ送信を動的にシグナリングすることができる。
【０２１９】
また、上記の表７の「ＱＣ ａｓｓｕｍｐｔｉｏｎ ｗｉｔｈ ＣＳＩ−ＲＳ」項目を特定ＴＰから送信すると知らせるなどの形態でシグナリングすることもできる。例えば、特定ＴＰを示す識別子（例えば、ＰＣＩ、ＶＣＩ、又はスクランブリングシーケンスシード値など）を用いて、ＤＭＲＳとＱＣ仮定が適用されるＣＳＩ−ＲＳを送信するＴＰを端末に知らせることもできる。
【０２２０】
また、「ＱＣ ａｓｓｕｍｐｔｉｏｎ ｗｉｔｈ ＣＳＩ−ＲＳ」項目が特定ＣＳＩプロセスを示すように用いることもできる。ここで、ＤＰＳ方式のＰＤＳＣＨ送信では一つのＣＳＩプロセスインデックスのみが指定されてもよく、ＪＰ又はジョイント送信（ＪＴ）方式のＰＤＳＣＨ送信では複数個のＣＳＩプロセスインデックスが指定されてもよい。ここで、それぞれのＣＳＩプロセスは、チャネル測定のためのＣＳＩ−ＲＳリソース及びＣＳＩ−干渉測定リソース（ＣＳＩ−ＩＭ  ｒｅｓｏｕｒｃｅ）と関連付いてもよい。具体的に、一つのＣＳＩプロセスは、所望の信号測定のための一つのＮＺＰ ＣＳＩ−ＲＳリソースと、干渉測定のための一つの干渉測定リソース（ＩＭＲ）の関連付けと定義される。それぞれのＣＳＩプロセスは、独立したＣＳＩフィードバック設定を有する。独立したＣＳＩフィードバック設定は、フィードバックモード（いかなる種類のＣＳＩ（ＲＩ、ＰＭＩ、ＣＱＩなど）をいかなる順序で送信するか）、フィードバック周期及びオフセットなどを意味する。
【０２２１】
このように「ＱＣ ａｓｓｕｍｐｔｉｏｎ ｗｉｔｈ ＣＳＩ ｐｒｏｃｅｓｓ」を示すＮ（Ｎ＝２）ビット情報がＤＭＲＳベースＰＤＳＣＨ送信をスケジューリングするＤＬ−関連ＤＣＩに含まれる場合、特定ＣＳＩプロセスに連携したＮＺＰ ＣＳＩ−ＲＳリソース及びＩＭＲのそれぞれに対してＤＭＲＳとＱＣ仮定が適用可能か否かを知らせることができる。すなわち、ＮＺＰ ＣＳＩ−ＲＳリソース及びＩＭＲの両方、又はＮＺＰ ＣＳＩ−ＲＳのみ、又はＩＭＲのみがＤＭＲＳとのＱＣ仮定の適用が可能か、それとも両方ともＤＭＲＳとＮＱＣであるかに関する情報を個別に提供することができる。
【０２２２】
ここで、ＩＭＲとＤＭＲＳ間にＱＣ仮定の適用が可能であるということは、ＤＭＲＳベースの復調を行う際、ウィナー（Ｗｉｅｎｅｒ）フィルタのようなＭＭＳＥ（Ｍｉｎｉｍｕｍ  Ｍｅａｎ  Ｓｑｕａｒｅｄ  Ｅｒｒｏｒ）フィルタなどの係数（ｃｏｅｆｆｉｃｉｅｎｔ）を決定するなどの受信プロセシングにおいて、ＩＭＲから推定されたパラメータ（例えば、干渉又は雑音分散（ｖａｒｉａｎｃｅ）値）を活用することが許容されることを意味でき、これによって、ＤＭＲＳの復調性能を向上させることができる。
【０２２３】
このようにＣＳＩプロセスに属するＮＺＰ ＣＳＩ−ＲＳ及びＩＭＲのそれぞれに対してＤＭＲＳとのＱＣ仮定が可能か否かを個別に知らせることによって、より正確なチャネル推定性能を期待することができる。例えば、ＳＵ（ｓｉｎｇｌｅ  ｕｓｅｒ）−ＭＩＭＯ送信又はＭＵ（ｍｕｌｔｉｐｌｅ  ｕｓｅｒ）−ＭＩＭＯ送信によって、ＩＭＲを用いて推定されたパラメータ（例えば、雑音分散値など）を、ＤＭＲＳを用いたデータ復調時の受信プロセシングに使用（例えば、ＭＭＳＥフィルタなどの係数として使用）する時に誤差が発生しうるからである。すなわち、ＳＵ−ＭＩＭＯ送信の場合には、ＮＺＰ ＣＳＩ−ＲＳリソースもＭＲもＤＭＲＳとのＱＣ仮定の適用が可能であるため、データ復調性能の向上を期待することができる。しかし、ＭＵ−ＭＩＭＯ送信の場合には、ＮＺＰ ＣＳＩ−ＲＳリソースとＤＭＲＳ間のＱＣ仮定の適用のみが可能であり、ＩＭＲとＤＭＲＳ間にはＮＱＣ仮定が適用されること（すなわち、ＩＭＲを用いて測定された雑音分散値などをデータ復調時に再使用することが禁止されること）が好ましい。
【０２２４】
したがって、上記の表７のそれぞれの状態に連動する追加の１ビットサイズのフラグビットを定義し、その値が「０」なら、ＮＺＰ ＣＳＩ−ＲＳリソースとＤＭＲＳ間のＱＣ仮定のみを示すものとし、その値が「１」なら、ＮＺＰ ＣＳＩ−ＲＳリソース及びＩＭＲの両方とＤＭＲＳ間のＱＣ仮定を示すと定義することができる。又は、追加のフラグビットの値が「０」なら、ＭＵ−ＭＩＭＯ送信であることを示して、「１」なら、ＳＵ−ＭＩＭＯ送信であることを示すと定義することもできる。又は、このような追加のフラグビットの値が「０」であれば、ＣＳＩプロセスインデックスとＤＭＲＳ間のＱＣ仮定の非活性化（すなわち、ＮＱＣ仮定が適用されること）を示し、その値が「１」であれば、ＳＩプロセスインデックスとＤＭＲＳ間のＱＣ仮定の活性化を示すと定義することもできる。
【０２２５】
前述したようなＱＣ情報の動的シグナリングのために定義されるＮビット（例えば、Ｎ＝２）の情報及び／又は追加の１ビットサイズのフラグ情報は、既存のＤＣＩフォーマットで定義するフィールドを再使用することもでき、又は新しいビットフィールドをさらに定義することによって構成することもできる。ここで、追加の１ビットサイズのフラグ情報が、ＳＵ−ＭＩＭＯか又はＭＵ−ＭＩＭＯかによってＱＣ仮定をスイッチングする用途に用いられる場合には、動的シグナリングに別のビットとして含まれず、上記Ｎビット情報が示す追加的な情報（すなわち、事前にＲＲＣシグナリングによってＮビット情報のそれぞれの状態が意味する情報）として半−静的に設定されてもよい。
【０２２６】
前述したように、上記の表７の例示で、ＤＰＳ方式のＰＤＳＣＨ送信においていずれのＴＰからの送信であるか（又は、ＤＭＲＳがいずれのＲＳとＱＣであると仮定するか）を示すことができる。これに加えて、上記の表７の状態「１１」の例示のように、ＴＰ１及びＴＰ２のＪＴ方式のＰＤＳＣＨ送信を示すこともできる。すなわち、上記の表７の例示のように、「ＱＣ ａｓｓｕｍｐｔｉｏｎ ｗｉｔｈ ＣＳＩ−ＲＳ」項目を「ＣＳＩ−ＲＳ１、ＣＳＩ−ＲＳ２」とシグナリングしたり、ＴＰ１とＴＰ２に該当する識別子（例えば、ＰＣＩ、ＶＣＩ、又はスクランブリングシーケンスシード値）とシグナリングしたり、「ＣＳＩ ｐｒｏｃｅｓｓ１、ＣＳＩ ｐｒｏｃｅｓｓ２」などとシグナリングしたりできる。このようなシグナリング情報をＤＣＩを用いて取得した端末は、それらＴＰとのＱＣ仮定の適用が可能であるという情報から、当該ＤＭＲＳポートが複数個のＴＰからの仮想ＤＭＲＳ形態で送信されることがわかり、それぞれのＴＰからの大規模特性推定値の平均を算出する方式などでそれらのＴＰからの大規模特性推定値を決定し、それを用いて受信性能を向上させることができる。
【０２２７】
追加的な例示として、上記のＮビット情報の特定状態（例えば、表７の状態「１１」）の「ＱＣ ａｓｓｕｍｐｔｉｏｎ ｗｉｔｈ ＣＳＩ−ＲＳ」項目を「ｎｏｎ−ＱＣ（ＮＱＣ）」に設定したり、使用不可（ｎｏｔ  ａｖａｉｌａｂｌｅ）に設定したり、又は空にしておくことによって、いかなるＴＰともＱＣ仮定を適用してはならない旨のシグナリングを与えることもできる。これは、ＪＴを指示するための用途などに用いることができる。例えば、ＪＴの場合には、特定の一つのＴＰとのＱＣ仮定情報のみを提供することが不適切であることもあるため、最初からＮＱＣ状態であると知らせることもできる。また、このように、使用不可又は空にしておく形態のシグナリングの場合には、ＮＱＣであることが暗黙的に指示され、これによって、いかなるＱＣ仮定も適用しないようにしたり、又はあるデフォルト状態が適用されるようにすることもできる。例えば、デフォルト状態は、特定ＤＬサービングセルＲＳ（例えば、ＤＬサービングセルＣＲＳ、デフォルトＴＰ（例えば、ＤＬサービングＴＰ）に該当するＣＳＩ−ＲＳ、又は特定ＣＳＩプロセスに属したＣＳＩ−ＲＳなど）のＱＣ仮定のみが可能な状態と定義されてもよい。
【０２２８】
さらに、上記の表７の例示のように、当該ＰＤＳＣＨ受信時に端末が仮定すべきＣＲＳレートマッチング（ＲＭ）パターンに関する情報がシグナリングされてもよい。ＣＲＳＲＭパターンに関する情報は、ＣＲＳポート個数、ＣＲＳｖ−ｓｈｉｆｔ（基本的なＣＲＳパターン（図６参照）を基準に周波数軸方向でシフトされる値）、ＲＭパターンが適用されるサブフレームセットなどを含むことができる。ＣＲＳ ＲＭパターンとは、ＣＲＳがマップされるＲＥを除く残りのＲＥにＰＤＳＣＨがマップされることを仮定して、ＰＤＳＣＨシンボルを構成することを意味する。したがって、ＰＤＳＣＨ受信側で正しくＰＤＳＣＨを復調するためには、当該ＰＤＳＣＨがいずれのＣＲＳパターンを考慮してレートマッチングされて送信されたかを正確に知る必要がある。
【０２２９】
例えば、ＴＰｎが送信するＣＲＳ ＲＭパターン情報をＣＲＳ−ＲＭｎとすれば、状態「００」はＴＰ１で送信するＣＲＳ ＲＭパターンに関する情報を意味するＣＲＳ−ＲＭ１、状態「０１」はＴＰ２で送信するＣＲＳ ＲＭパターンに関する情報を意味するＣＲＳ−ＲＭ２、状態「１０」はＴＰ３で送信するＣＲＳ ＲＭパターンに関する情報を意味するＣＲＳ−ＲＭ３をそれぞれシグナリングすることができる。すなわち、基地局は、状態「００」、「０１」又は「１０」のいずれか一つの状態を示すことによって、ＴＰ１、ＴＰ２又はＴＰ３のいずれかのＴＰからのＤＰＳによるＰＤＳＣＨ送信を動的にシグナリングすることができる。ここで、「ＱＣ ａｓｓｕｍｐｔｉｏｎ ｗｉｔｈ ＣＳＩ−ＲＳ」情報と併せてＣＲＳ ＲＭパターン情報を提供することによって、特に、ＣｏＭＰシナリオ３（すなわち、互いに異なるセルＩＤ（すなわち、ＰＣＩ）を有する複数のＴＰからＣＲＳが同時送信される状況）で、それぞれのＣＲＳ ＲＭパターンをＣＲＳ−ＲＭｎの形態で正しく動的に示すことができる。
【０２３０】
また、上記の表７の「ＲＭ ｐａｔｔｅｒｎ ｉｎｆｏｒｍａｔｉｏｎ」項目を特定ＴＰから送信すると知らせるなどの形態でシグナリングすることもできる。例えば、特定ＴＰを示す識別子（例えば、ＰＣＩ、ＶＣＩ、又はスクランブリングシーケンスシード値など）を用いて、ＣＲＳ ＲＭパターンが何であるかを端末に知らせることもできる。
【０２３１】
このように、上記の状態「００」、「０１」又は「１０」でＤＰＳ送信を動的に示すことができる。さらに、上記の表７の状態「１１」の例示のように、ＴＰ１とＴＰ２からのＪＴを示するための方法として、「ＲＭ ｐａｔｔｅｒｎ ｉｎｆｏｒｍａｔｉｏｎ」項目を「ＣＲＳ−ＲＭ１、ＣＲＳ−ＲＭ２」とシグナリングしたり、ＴＰ１とＴＰ２に該当する識別子（例えば、ＰＣＩ、ＶＣＩ、又はスクランブリングシーケンスシード値など）と示したりすることもできる。このようなシグナリング情報をＤＣＩから取得した端末は、例えば、ＣＲＳ−ＲＭ１とＣＲＳ−ＲＭ２の和集合に該当するＲＥでは全てＰＤＳＣＨがレートマッチングされると仮定してＰＤＳＣＨ復調を行うことができる。すなわち、ＰＤＳＣＨを受信する端末の立場では、「ＲＭ ｐａｔｔｅｒｎ ｉｎｆｏｒｍａｔｉｏｎ」項目でＣＲＳ ＲＭパターン情報が複数個示された場合には、示されたＣＲＳ ＲＭパターンのいずれか一つで示されたＲＥ位置はいずれもＰＤＳＣＨがマッピングされていない（すなわち、ＰＤＳＣＨ送信時にレートマッチングが行われていない）と仮定してＰＤＳＣＨ復調を行うことができる。
【０２３２】
さらに、上記の表７の例示における「Ｆｌａｇ ｆｏｒ ＱＣ ａｓｓｕｍｐｔｉｏｎ ｗｉｔｈ ＣＲＳ」項目のように、「ＱＣ ａｓｓｕｍｐｔｉｏｎ ｗｉｔｈ ＣＳＩ−ＲＳ」項目で示す特定ＣＳＩ−ＲＳｎと、「ＲＭ ｐａｔｔｅｒｎ ｉｎｆｏｒｍａｔｉｏｎ」項目で示す特定ＣＲＳポート（すなわち、ＰＣＩ情報によって特定されるＣＲＳポート）間のＱＣ仮定が適用可能か否かを示すフラグ指示情報が含まれてもよい。すなわち、特定状態値（例えば、「００」、「０１」、「１０」、「１１」）がトリガリングされ、その状態値が示す情報でフラグビットが活性化された場合（又は、「１」値を有する場合）、当該状態値が示すＣＳＩ−ＲＳｎのＣＳＩ−ＲＳポートと、当該状態値が示すＣＲＳ−ＲＭｎのＣＲＳポート（例えば、ＣＲＳ−ＲＭｎが示すＰＣＩｎ又はＶＣＩｎなどから当該ＣＲＳポートがわかる）間にＱＣ仮定の適用が可能であることを示すと定義できる。一方、特定状態値（例えば、「００」、「０１」、「１０」、「１１」）がトリガリングされ、その状態値が示す情報でフラグビットが非活性化された場合（又は、「０」値を有する場合）、当該状態におけるＣＳＩ−ＲＳｎのＣＳＩ−ＲＳポートと、当該状態におけるＣＲＳ−ＲＭｎが示すＣＲＳポート（例、ＣＲＳ−ＲＭｎが示すＰＣＩｎ或いはＶＣＩｎなどから当該ＣＲＳポートがわかる）間にＱＣ仮定を適用してはならないこと（すなわち、ＮＱＣ関係であること）を示すと定義できる。
【０２３３】
上記の表７の例示を参照すると、状態「００」及び「０１」の場合には、「Ｆｌａｇ ｆｏｒ ＱＣ ａｓｓｕｍｐｔｉｏｎ ｗｉｔｈ ＣＲＳ」が「１」に設定されるので、これは、それぞれＴＰ１又はＴＰ２からのＤＰＳ送信を意味する。具体的に、状態「００」でフラグビットが「１」値に設定されると、ＣＲＳ−ＲＭ１パターンによってＰＤＳＣＨがレートマッチングされたと仮定し、ＣＳＩ−ＲＳ１とＤＭＲＳポート間のＱＣ仮定の適用が可能であり、ＣＳＩ−ＲＳ１とＰＣＩ１ベースＣＲＳポートとのＱＣ仮定の適用も可能であると解釈される。状態「０１」でフラグビットが「１」値に設定されると、ＣＲＳ−ＲＭ２パターンによってＰＤＳＣＨがレートマッチングされたと仮定し、ＣＳＩ−ＲＳ２とＤＭＲＳポート間のＱＣ仮定の適用が可能であり、ＣＳＩ−ＲＳ２とＰＣＩ２ベースＣＲＳポートとのＱＣ仮定の適用も可能であると解釈される。
【０２３４】
このように、ＤＭＲＳポートと特定ＣＳＩ−ＲＳポート間のＱＣ仮定の適用が可能か否かだけでなく、当該ＣＳＩ−ＲＳポートと特定ＣＲＳポートとのＱＣ仮定の適用が可能か否か（すなわち、上記の表７のフラグビットが示す情報）が端末にシグナリングされると、端末は、ＤＭＲＳベースＰＤＳＣＨ復調を行う際に、ＱＣ仮定の適用が可能なＣＳＩ−ＲＳポートだけでなく、ＲＳ密度が遥かに高い当該ＣＲＳポートから推定された大規模チャネル特性（すなわち、より正確な大規模チャネル特性）を用いることができる点で好ましい。
【０２３５】
一方、上記の表７の例示で、状態「１０」に該当する「Ｆｌａｇ ｆｏｒ ＱＣ ａｓｓｕｍｐｔｉｏｎ ｗｉｔｈ ＣＲＳ」は「０」に設定され、これは、ＴＰ３からのＤＰＳ送信を意味し、ここで、ＣＲＳ−ＲＭ３パターンによってＰＤＳＣＨがレートマッチングされたことを仮定し、ＣＳＩ−ＲＳ３とＤＭＲＳポート間のＱＣ仮定の適用は可能であるが、ＣＳＩ−ＲＳ３とＰＣＩ３ベースＣＲＳポート間のＱＣ仮定は適用してはならないと解釈される。
【０２３６】
上記の表７の例示で、状態「１１」に該当する「Ｆｌａｇ ｆｏｒ ＱＣ ａｓｓｕｍｐｔｉｏｎ ｗｉｔｈ ＣＲＳ」は「１」に設定され、これは、ＴＰ１及びＴＰ２からのＪＴ送信を意味し、ＣＲＳ−ＲＭ１及びＣＲＳ−ＲＭ２パターンを全て考慮してＰＤＳＣＨがレートマッチングされたと仮定し、ＣＳＩ−ＲＳ１とＰＣＩ１ベースＣＲＳポート間のＱＣ仮定の適用が可能であり、ＣＳＩ−ＲＳ２とＰＣＩ２ベースＣＲＳポート間のＱＣ仮定の適用も可能であると解釈される。
【０２３７】
このように特定状態値に該当する「ＱＣ ａｓｓｕｍｐｔｉｏｎ ｗｉｔｈ ＣＳＩ−ＲＳ」項目に複数個のＣＳＩ−ＲＳｎが存在し、「ＲＭ ｐａｔｔｅｒｎ ｉｎｆｏｒｍａｔｉｏｎ」項目に複数個のＣＲＳ−ＲＭｎが存在する場合には、所定の順序でＣＳＩ−ＲＳｎとＣＲＳ−ＲＭｎ間にＱＣ−ｐａｉｒが構成されると解釈できる。例えば、ＣＳＩ−ＲＳ１とＣＲＳ−ＲＭ１間にＱＣ仮定が適用され、ＣＳＩ−ＲＳ２とＣＲＳ−ＲＭ２間にＱＣ仮定が適用されると解釈できる。仮に、フラグビットが「０」に設定された場合では、例えば、ＣＳＩ−ＲＳ１とＣＲＳ−ＲＭ１間のＱＣ仮定が適用されず、ＣＳＩ−ＲＳ２とＣＲＳ−ＲＭ２間にＱＣ仮定が適用されない（すなわち、いずれもＮＱＣ関係である）と解釈できる。又は、それぞれのＣＳＩ−ＲＳｎ及びそれぞれのＣＲＳ−ＲＭｎ間のＱＣ／ＮＱＣの適用を個別に知らせる形態で「Ｆｌａｇ ｆｏｒ ＱＣ ａｓｓｕｍｐｔｉｏｎ ｗｉｔｈ ＣＲＳ」情報が構成されてもよい。
【０２３８】
ＱＣ関連情報の動的シグナリング方案の追加的な例示として、Ｎ（例えば、Ｎ＝２）個のビット状態は、下記の表８のように構成されてもよい。
【表８】
0006336454.tif 000028
【０２３９】
上記の表８の例示で、ＣＲＳ−ＲＭ４（例えば、ＰＣＩ４）は、ＴＰ１とＴＰ２がＰＣＩ４を共有（ｓｈａｒｅ）しているＣｏＭＰシナリオ４に該当できる。また、上記の表８の状態「１１」の場合のように、ＣＲＳ ＲＭパターン情報としてＮｏ−ＣＲＳ（すなわち、ＭＢＳＦＮ）を示すこともできる。ＭＢＳＦＮサブフレームは、図３を参照して制御領域でＣＲＳ及び制御チャネル（例えば、ＰＤＣＣＨ）のみが送信され、データ領域ではＣＲＳ及びＰＤＳＣＨが送信されないサブフレームを意味する。ＪＴの場合、ＭＢＳＦＮサブフレームのみでスケジューリングをするために、Ｎｏ−ＣＲＳ（すなわち、ＭＢＳＦＮ）が指定されてもよい。この場合、端末は、データ領域でＣＲＳがないと解釈するので、ＰＤＳＣＨに対するレートマッチングを仮定するにあって、ＣＲＳポートに該当するＲＥ位置でＰＤＳＣＨのレートマッチングが行われていない（すなわち、当該ＲＥにＰＤＳＣＨがマップされる）と仮定することができる。
【０２４０】
上記の表７及び表８を参照して説明したＮビットサイズのフィールド（例えば、ＰＱＩフィールド）のそれぞれの状態には、ＤＭＲＳスクランブリングシード値ｘ（ｎ）（例えば、ｎ＝０、１）が事前に（例えば、ＲＲＣシグナリングによって）暗黙的にリンク（ｌｉｎｋ）又はタイ（ｔｉｅ）されてもよい。この場合、２＾Ｎ個の状態のうち、特定の一つの状態が動的シグナリングによって示される時、該状態値にリンクされたｘ（ｎ）値のうちいずれの値が用いられるべきかは、別の動的指示パラメータ（例えば、スクランブリング識別子値（ｎＳＣＩＤ））によって示されるなどのジョイントエンコーディング方式も可能である。
【０２４１】
上記の表７の例示で前述したようなジョイントエンコーディング方式を追加する場合、下記の表９のような例示を考慮することができる。
【表９】
0006336454.tif 000029
【０２４２】
上記の表９の例示で、ｘ（ｎ）の範囲は、ＰＣＩ範囲と同様に０乃至５０３であってもよい。上記の表９では、それぞれの状態別に割り当てられたｘ（０）及びｘ（１）の例示的な値を示す。例えば、ｎＳＣＩＤ＝１にリンク／タイされたｘ（１）の値はいずれも同一値４２０と割り当てることができる。このように複数のＴＰから共通に使用する特定識別子値を割り当てておき、ｎＳＣＩＤ＝１が指示される場合、このような共有された識別子値を使用するようにすることによって、ＴＰ間のＤＭＲＳ直交性が確保されるようにすることができる。また、上記の表９の例示のように、ｎＳＣＩＤ＝０にリンク／タイされたｘ（０）の値はそれぞれの状態別に異なる値を割り当てることができる。これによって、ＴＰ−特定ＶＣＩ（又は、スクランブリングシード値）を用いてセル−分離（ｃｅｌｌ−ｓｐｌｉｔｔｉｎｇ）利得を得るようにすることができる。また、上記の表９の例示で、状態「１１」に対するｘ（０）値を、他の状態に対するｘ（０）値と異なる値にすることによって、ＪＴのための別のＶＣＩ（又は、スクランブリングシード値）を指定することもできる。
【０２４３】
例えば、前述したようなＱＣ情報及びＣＲＳ ＲＭパターンに関する情報を示すＮビットフィールド（例えば、ＰＱＩフィールド）で、２＾Ｎ個の状態のそれぞれに対してｘ（ｎ）値が異なるようにリンク／タイされていてもよい。このとき、ＤＣＩフォーマットにおける他のフィールドによってＤＭＲＳシーケンス生成のために用いられるｎＳＣＩＤ値が動的に示されるが、このｎＳＣＩＤ値によってｘ（ｎ）値が暗黙的に決定される。例えば、ｎＳＣＩＤ＝ｎであれば、ｘ（ｎ）（例えば、ｎ＝０又は１）が指示される、と規則を定めておくことができる。このようなｘ（ｎ）に関するジョイントエンコーディングにより、例えば、端末が上記２＾Ｎ個の状態のうちの特定状態が動的に指示される場合に、当該状態にリンクされたｘ（０），ｘ（１）、…が決定される。さらに、別のフィールドで指示されるｎＳＣＩＤ値によって、ｘ（０），ｘ（１），…のうち一つが最終的に決定／選択されてもよい。
【０２４４】
ＱＣ動作方式（Ｂｅｈａｖｉｏｒ）
ＣｏＭＰ動作を支援しない既存のシステム（例えば、３ＧＰＰ ＬＴＥリリース−１０（Ｒｅｌ−１０）以前の標準に基づくシステム）におけるＲＳポート間のＱＣ仮定は、事実上、暗黙的に一つの動作方式（ｂｅｈａｖｉｏｒ）として定義されたといえる。このような一つの動作方式を本発明ではＢｅｈａｖｉｏｒ Ａと称し、Ｂｅｈａｖｉｏｒ Ａは、ＣＲＳ、ＣＳＩ−ＲＳ及びＰＤＳＣＨ ＤＭＲＳが周波数シフト、ドップラー拡散、受信タイミング、遅延拡散のうち一つ以上に対してＱＣされていると仮定することと定義できる。これは、既存のシステムではＣｏＭＰ動作を考慮せず、ＣＲＳ、ＣＳＩ−ＲＳ及びＰＤＳＣＨ ＤＭＲＳポートが全て一つのセル又はＴＰから送信されることを当然に仮定しなければならなかったためである。
【０２４５】
ＣｏＭＰ動作を支援するシステムでは、ＱＣ仮定に対して他の動作方式（例えば、ＴＰ１のＣＳＩ−ＲＳ１とＴＰ２のＣＳＩ−ＲＳ２がＱＣであると仮定する動作方式など）が定義されてもよい。したがって、本発明では、複数個のＱＣ動作方式を適用可能なシステムにおいて、Ｂｅｈａｖｉｏｒ Ａがデフォルト動作方式として定義される方案について提案する。すなわち、特定条件を満たす場合に、端末は常にデフォルト動作方式であるＢｅｈａｖｉｏｒ Ａに従うと定義できる。
【０２４６】
例えば、特定ＣＳＩプロセスインデックスに対しては、別にシグナリングされない限り、端末は常にＢｅｈａｖｉｏｒ Ａを適用するように設定することができる。これは、端末に複数個のＣＳＩプロセスが設定された場合に、当該端末が少なくとも一つのＣＳＩプロセスに対しては既存のシステム（Ｒｅｌ−１０システム）と同じＱＣ仮定に従って動作するようにし、既存のシステムと同じ性能を保障するようにするためである。例えば、ＣＳＩプロセスインデックス０に対しては常にＢｅｈａｖｉｏｒ Ａが適用されるようにすることができる。この場合、ＣＳＩプロセスインデックス０に対して、例えば、ＣｏＭＰシナリオ３の場合においてＤＬサービングセル／ＴＰから送信されるＣＲＳとＱＣ仮定を適用できる特定ＣＳＩ−ＲＳリソースが設定されていてもよい。
【０２４７】
また、デフォルト動作方式であるＢｅｈａｖｉｏｒ Ａは、ＣｏＭＰ動作を支援するシステム（例えば、３ＧＰＰ ＬＴＥ Ｒｅｌ−１１以降の標準に基づくシステム）で定義される新しい送信モード（例えば、ＴＭ１０）を除いて、既存のシステム（例えば、３ＧＰＰ ＬＴＥ Ｒｅｌ−１０以前の標準に基づくシステム）で定義された送信モード（例えば、ＴＭ９）に対して適用されるように定義されてもよい。
【０２４８】
ＣｏＭＰ動作を支援するシステムのみに適用可能なＱＣ動作方式は、次のように定義できる。
【０２４９】
新しい送信モード（例えば、ＴＭ１０）に対して適用されるＤＣＩフォーマット（例えば、ＤＣＩフォーマット２Ｄ）を介してＤＬグラントを受信する場合、端末は、新しいＱＣ動作方式（以下、Ｂｅｈａｖｉｏｒ Ｂ）を仮定することができる。Ｂｅｈａｖｉｏｒ Ｂは、ＣＲＳ、ＣＳＩ−ＲＳ、及びＰＤＳＣＨ ＤＭＲＳ（及び／又はＥＰＤＣＣＨ ＤＭＲＳ）が遅延拡散、ドップラー拡散、ドップラーシフト、平均利得、平均遅延のうち一つ以上に対して、次の例外事項を除いてはＱＣされていないと仮定することと定義できる。上記の例外事項は、ＰＤＳＣＨ ＤＭＲＳ（及び／又はＥＰＤＣＣＨ ＤＭＲＳ）と、物理層シグナリング（例えば、ＰＤＣＣＨ ＤＣＩを用いたシグナリング）によって指示される特定ＣＳＩ−ＲＳリソースは、遅延拡散、ドップラー拡散、ドップラーシフト、平均遅延のうち一つ以上に対して、ＱＣされていると仮定できるということである。すなわち、Ｂｅｈａｖｉｏｒ Ｂの場合、基本的に、ＣＲＳと他のＲＳ（例えば、ＣＳＩ−ＲＳ、ＤＭＲＳ）間にはＱＣ仮定をしてはならないと設定され、ＤＣＩフォーマット２Ｄを介してＤＬグラントを受信する時、上記の表７、表８、表９の例示のように動的シグナリングによって指示される特定ＣＳＩ−ＲＳリソースのＣＳＩ−ＲＳポートとＤＣＩフォーマット２ＤによってスケジューリングされるＰＤＳＣＨのＤＭＲＳポート間のＱＣ仮定は適用されてもよいと理解することができる。
【０２５０】
又は、特定ＣＲＳと特定ＣＳＩ−ＲＳ間のＱＣ仮定の適用可能か否かも、上記の表７、表８、表９の例示のように（又は、別のＲＲＣシグナリングによって）シグナリングされてもよい。
【０２５１】
仮に、ＤＣＩフォーマット２Ｄを介してＤＬグラントを受信する場合には、該当のＰＤＳＣＨ ＤＭＲＳポートと特定ＣＳＩ−ＲＳポート間にＱＣ仮定が可能でありうる。さらに、ＲＲＣシグナリングを通して特定ＣＳＩ−ＲＳポートと特定ＣＲＳポート間のＱＣ仮定の適用可能か否かが設定されてもよい。この場合には、ＤＭＲＳポートとＣＳＩ−ＲＳポートとＣＲＳポート間に全てＱＣ仮定が可能であるというシグナリングが与えられてもよい。このようなＢｅｈａｖｉｏｒ ＢがＤＣＩフォーマット２Ｄに対して与えられてもよく、端末は、Ｂｅｈａｖｉｏｒ Ｂに従うＱＣ仮定に基づいてデータ復調を行うことができる（例えば、他のＲＳから推定された大規模特性をウィナーフィルタ係数を決定するのに反映するなど）。仮に、Ｂｅｈａｖｉｏｒ Ｂに従う場合、特定ＣＳＩ−ＲＳと、ＣＲＳと、ＤＭＲＳ間に全てＱＣ仮定が可能であると指示されたときにも、Ｂｅｈａｖｉｏｒ Ａとの大きな違いは、特定ＣＳＩ−ＲＳと、ＣＲＳと、ＤＭＲＳが必ずしもＤＬサービングセルからのものである必要がないということである。例えば、ＣＲＳは、ＤＬサービングセルではなく隣接セルのＣＲＳポートであってもよく、ＣＳＩ−ＲＳは、複数個のＣＳＩ−ＲＳリソースのうちいずれか一つが指示されてもよい。
【０２５２】
ここで、周波数オフセット（又は、ドップラーシフト）に対して、端末はＢｅｈａｖｉｏｒ Ｂと設定されるとしても、初期（又は、概略的な（ｃｏａｒｓｅ））周波数オフセットをサービングセルＣＲＳから推定し、ここに特定周波数範囲（例えば、［−Ｎ；＋Ｎ］Ｈｚ）内でのみ当該指示されたＣＳＩ−ＲＳから精密な（ｆｉｎｅ）周波数オフセット推定をするように設定されてもよい。例えば、当該ＣＳＩ−ＲＳの送信周期が５ｍｓであれば、その逆数である２００Ｈｚだけの周波数オフセット差をＣＳＩ−ＲＳから不明瞭性（ａｍｂｉｇｕｉｔｙ）なく推定できるため、次のような端末動作を定義することができる。
【０２５３】
端末は、（Ｂｅｈａｖｉｏｒ Ｂで）指示されたＣＳＩ−ＲＳを用いて端末によって追跡された（ｔｒａｃｋｅｄ）ドップラーシフト（及び／又はドップラー拡散）がサービングセルに対する周波数オフセットの範囲（例えば、［−Ｎ；＋Ｎ］Ｈｚ）内であると予想することができる。例えば、指示されたＣＳＩ−ＲＳの周期が５ｍｓである場合には、Ｎ＝１００Ｈｚである。例えば、指示されたＣＳＩ−ＲＳの周期が１０ｍｓである場合には、Ｎ＝５０Ｈｚである。例えば、指示されたＣＳＩ−ＲＳの周期が２０ｍｓである場合には、Ｎ＝２５Ｈｚである。例えば、指示されたＣＳＩ−ＲＳの周期が４０ｍｓである場合には、Ｎ＝１２．５Ｈｚである。例えば、指示されたＣＳＩ−ＲＳの周期が８０ｍｓである場合には、Ｎ＝６．２５Ｈｚである。要するに、指示されたＣＳＩ−ＲＳがＴ［ｍｓ］の周期を有する場合、Ｎ＝１／（ｋＴ）［Ｈｚ］と設定され、ここで、ｋは、例えば２であってもよい。
【０２５４】
このような本発明の提案は、指示されたＣＳＩ−ＲＳの周期が可変するに応じて、ＵＥが上記の周波数オフセット（又は、ドップラーシフト及び／又はドップラー拡散）の推定のためにサービングセルＣＲＳを基準に探索しなければならない周波数範囲を可変的に定めるという意味を有する。ここで、指示されたＣＳＩ−ＲＳは、上位層によって複数個のＣＳＩ−ＲＳリソースが設定された端末（例えば、ＴＭ１０が設定された端末）の場合には、ＤＣＩ（例えば、ＤＣＩフォーマット２Ｄ）によって指示されるＤＭＲＳとＱＣ仮定が可能な一つのＮＺＰ ＣＳＩ−ＲＳを意味できる。又は、指示されたＣＳＩ−ＲＳは、ＤＣＩフォーマット１Ａの場合に、ＲＲＣで設定された特定デフォルトＣＳＩ−ＲＳであってもよい。
【０２５５】
ＣＳＩ−ＲＳ周期が５ｍｓである場合に比べて、周期が１０ｍｓである場合には、端末が探索すべき範囲が半分に減る。すなわち、基地局はＣＳＩ−ＲＳ周期を大きく設定するほど、ＣＳＩ＿ＲＳは、サービングセルのＣＲＳとの周波数オフセットがより狭い範囲内で形成されなければならない。これに従って端末が動作できるようにすることによって、端末はより狭い探索範囲内でのみ周波数オフセットを推定すればよい。このような探索範囲を外れる周波数オフセットを有するＣＳＩ−ＲＳ送信によって、端末がチャネル推定を正しく行うことができず、性能劣化が発生することを防止するように、基地局が上記のようなＣＲＳとＣＳＩ−ＲＳ間の関係を保障しなければならない。
【０２５６】
基地局の立場では、ＣＲＳを送信するＴＰのオシレータと上記指示されたＣＳＩ−ＲＳを送信するＴＰのオシレータ間の周波数オフセット（又は、ドップラーシフト）が、指示されたＣＳＩ−ＲＳの周期Ｔ［ｍｓ］に従うＮ＝１／（ｋＴ）値（例えば、ｋ＝２）による［−Ｎ；＋Ｎ］Ｈｚ範囲を満たさないと、当該ＣＳＩ−ＲＳの周期をＴ［ｍｓ］に設定できないことを意味できる。この場合、基地局は、Ｔ［ｍｓ］よりも小さい値の周期を有するＣＳＩ−ＲＳを設定して送信しなければならない。
【０２５７】
又は、端末動作を統一するために、基地局は常にＴ１ｍｓ（例えば、Ｔ１＝５）の周期を有するＣＳＩ−ＲＳのみを、Ｂｅｈａｖｉｏｒ Ｂの場合に適用するＣＳＩ−ＲＳと設定するように制限することができる。この場合、端末は、指示されるＣＳＩ−ＲＳの周期に関係なく、（Ｂｅｈａｖｉｏｒ Ｂで）指示されたＣＳＩ−ＲＳを用いて、端末によって追跡された（ｔｒａｃｋｅｄ）ドップラーシフト（及び／又はドップラー拡散）がサービングセルに対する周波数オフセットの範囲（［−Ｎ；＋Ｎ］Ｈｚ、例えば、Ｎ＝１００）内であると予想できる。
【０２５８】
又は、基地局は、Ｔ１ｍｓの周期以外の他の周期を有するＣＳＩ−ＲＳを設定できるが、端末が探索すべき周波数範囲は最小の範囲と定めることもできる。例えば、基地局は、Ｔ＝５、１０、２０、４０、８０ｍｓの周期を有するＣＳＩ−ＲＳを様々に設定できるが、Ｎ値は少なくとも最も狭い範囲（すなわち、Ｔ＝８０ｍｓ時のＮ＝６．２５Ｈｚ値）を常に保障するようにすることもできる。この場合、端末は、指示されるＣＳＩ−ＲＳの周期に関係なく、（Ｂｅｈａｖｉｏｒ Ｂで）指示されたＣＳＩ−ＲＳを用いて端末によって追跡された（ｔｒａｃｋｅｄ）ドップラーシフト（及び／又はドップラー拡散）がサービングセルに対する周波数オフセットの範囲（［−Ｎ；＋Ｎ］Ｈｚ、例えば、Ｎ＝６．２５）内であると予想できる。仮に、基地局がＴ＝５、１０ｍｓの周期を有するＣＳＩ−ＲＳを様々に設定できるなら、最小限の探索周波数範囲を保障するためのＮ＝５０Ｈｚと設定できる。すなわち、いかなる周期を有するＣＳＩ−ＲＳが指示されるかにかかわらず、端末は特定［−Ｎ；＋Ｎ］Ｈｚ範囲内でのみ探索を行えばいいといえる。これによって、基地局は、端末の上記動作を保障できる周期を有するＣＳＩ−ＲＳのみを、端末がＢｅｈａｖｉｏｒ Ｂに活用するように設定することができる。
【０２５９】
一方、新しい送信モード（例えば、ＴＭ１０）を適用可能なシステムでも、システム性能が低い場合や他の問題がある場合などに備えて安定的に動作できるように、デフォルト送信モードで動作することが支援されなければならず、これをフォールバック（ｆａｌｌｂａｃｋ）動作モードと称することができる。例えば、フォールバックＤＣＩフォーマット（例えば、ＤＣＩフォーマット１Ａ）を介してＭＢＳＦＮサブフレームでＤＬグラントを受信する場合には、端末はＢｅｈａｖｉｏｒ Ａ’（すなわち、上記Ｂｅｈａｖｉｏｒ Ａの変形動作方式）に従うことができる。Ｂｅｈａｖｉｏｒ Ａ’は、ＣＲＳ、ＣＳＩ−ＲＳ、及びＰＤＳＣＨ ＤＭＲＳ（及び／又はＥＰＤＣＣＨ ＤＭＲＳ）が遅延拡散、ドップラー拡散、ドップラーシフト、平均利得、平均遅延のうち一つ以上に対して、次の例外事項を除いてはＱＣされていないと仮定することと定義できる。上記例外事項は、ＣＲＳ（例えば、ＤＬサービングセルのＣＲＳ、又はＲＲＣシグナリングによって指示される特定ＣＲＳ）とＰＤＳＣＨ ＤＭＲＳが遅延拡散、ドップラー拡散、ドップラーシフト、平均遅延のうち一つ以上に対してＱＣされていると仮定することと定義できる。すなわち、Ｂｅｈａｖｉｏｒ Ａ’の場合、基本的に、ＣＳＩ−ＲＳと他のＲＳ（例えば、ＣＲＳ、ＤＭＲＳ）間にはＱＣ仮定をしてはならないと設定でき、ＤＣＩフォーマット１Ａを介してＭＢＳＦＮサブフレームでＤＬグラントを受信するとき、常に特定ＣＲＳポートとＤＣＩフォーマット１ＡによってスケジューリングされるＰＤＳＣＨのＤＭＲＳポート（例えば、ＤＭＲＳポート７）間には常にＱＣ仮定が適用されてもよいと理解すればよい。
【０２６０】
追加的な例示として、Ｂｅｈａｖｉｏｒ Ａ’が、特定ＣＳＩ−ＲＳリソースインデックスｎ（例えば、ｎ＝０）、ＣＲＳ及びＤＭＲＳ間にＱＣ仮定が追加的に可能であることと定義されてもよい。この場合、当該ＣＳＩ−ＲＳリソースのスクランブリングシード値Ｘは常にＰＣＩになるように制限されてもよい。又は、端末動作の観点では、端末がＣＳＩ−ＲＳリソースインデックスｎがＰＣＩと同一でないと予想（ｅｘｐｅｃｔ）することが許容されないと表現されてもよい。又は、上記の提案事項においてＣＳＩ−ＲＳリソースに代えて、ＣＳＩプロセス（又は、当該ＣＳＩプロセスに連携された特定ＣＳＩ−ＲＳリソース）が用いられてもよい。すなわち、Ｂｅｈａｖｉｏｒ Ａ’は、特定ＣＳＩプロセスｉ（例えば、ｉ＝０）、ＣＲＳ及びＤＭＲＳ間にＱＣ仮定がさらに可能であるものと表現されてもよい。端末はこのような仮定によってデータ復調を行う際、他のＲＳを用いて推定された大規模チャネル特性を受信プロセスに適用（例えば、ウィナーフィルタ係数決定などに反映）することができる。
【０２６１】
このようにＢｅｈａｖｉｏｒ Ａ’がＢｅｈａｖｉｏｒ Ａ又はＢとは異なる別のＢｅｈａｖｉｏｒと定義されることによって、端末のデータ復調性能をより向上させることができる。具体的に、ＤＣＩフォーマット１ＡはフォールバックＤＣＩフォーマットに該当し、これは、様々なＲＲＣ再設定が適用されている区間において不明瞭性（ａｍｂｉｇｕｉｔｙ）が発生しうる状況などで明確且つ強靭な送信を可能にするために用いることができる。このようなＤＣＩフォーマット１ＡがＭＢＳＦＮサブフレームで受信された場合に、既存システム（例えば、Ｒｅｌ−１０システム）ではＤＭＲＳポート７で復調を行うように定義されている。このとき、ＤＭＲＳスクランブリングシード値としてＰＣＩを用いるようにすることができる。この場合、当該ＰＣＩを用いて生成されるＣＲＳをブロードキャストするＤＬサービングセルＣＲＳポートとＤＭＲＳ間のＱＣ仮定が適用されてもよい。したがって、ＣＲＳを用いて測定されるより正確な大規模チャネル特性をデータ復調時にも用いることができ、データ復調性能を向上させることができる。
【０２６２】
したがって、Ｂｅｈａｖｉｏｒ Ａ’は、基本的に、ＣＲＳポートとＤＭＲＳポート間のＱＣ仮定が可能となるようにすることができ、これに加えて、特定ＣＳＩ−ＲＳリソースインデックス（例えば、ＣＳＩ−ＲＳリソースインデックス０）又は特定ＣＳＩプロセスインデックス（例えば、ＣＳＩプロセスインデックス０）に属したＣＳＩ−ＲＳポートとＤＭＲＳポート間のＱＣ仮定が可能であるという情報を提供することができる。例えば、複数個のＴＰが同一のセル識別子を用いるＣｏＭＰシナリオ４の場合に、ＣＲＳが同時送信されるＴＰからＣＳＩ−ＲＳも同時に送信される（すなわち、ＰＣＩによって生成された仮想ＣＳＩ−ＲＳが複数個のＴＰから同時に送信される）形態で動作できる。
【０２６３】
すなわち、Ｂｅｈａｖｉｏｒ Ａ’は、基本的に、Ｂｅｈａｖｉｏｒ Ａに比べて、ＣＲＳとＤＭＲＳ間には常にＱＣ仮定が可能であるという点では同一であるが、ＤＭＲＳとＱＣ仮定を適用が可能なＣＳＩ−ＲＳを指示する方式において異なると理解すればよい。すなわち、Ｂｅｈａｖｉｏｒ Ａによれば、当該ＤＭＲＳとＱＣ仮定が可能なＣＳＩ−ＲＳをＤＣＩで動的に指示できるが、Ｂｅｈａｖｉｏｒ Ａ’によれば、当該ＤＭＲＳとＱＣ仮定が可能なＣＳＩ−ＲＳを半−静的にＲＲＣシグナリングによって指示したり、又は固定的に特定ＣＳＩ−ＲＳリソースインデックス（例えば、ＣＳＩ−ＲＳリソースインデックス０）を設定することができる。
【０２６４】
Ｂｅｈａｖｉｏｒ Ａ’に関する追加的な例示として、Ｂｅｈａｖｉｏｒ Ａ’は、ＣＲＳとＤＭＲＳ間のＱＣ仮定は不可能であり、特定ＣＳＩ−ＲＳリソースインデックス（例えば、ＣＳＩ−ＲＳリソースインデックス０）とＤＭＲＳ間のＱＣ仮定は可能であることと定義されてもよい。このように定義されるＢｅｈａｖｉｏｒ Ａ’はＢｅｈａｖｉｏｒ Ｂと略同様であるが、ただし、Ｂｅｈａｖｉｏｒ Ｂによれば、当該ＤＭＲＳとＱＣ可能なＣＳＩ−ＲＳリソースをＤＣＩで動的に指示できるのに対し、Ｂｅｈａｖｉｏｒ Ａ’によれば、当該ＤＭＲＳとＱＣ仮定が可能なＣＳＩ−ＲＳを半−静的にＲＲＣシグナリングによって指示したり、又は固定的に特定ＣＳＩ−ＲＳリソースインデックス（例えば、ＣＳＩ−ＲＳリソースインデックス０）を設定することができる。
【０２６５】
前述したようなＢｅｈａｖｉｏｒ Ａ’に関する本発明の様々な例示において、特定ＣＳＩ−ＲＳリソースインデックス（例えば、ＣＳＩ−ＲＳリソースインデックス０）が固定又は半−静的に設定される代わりに、Ｂｅｈａｖｉｏｒ Ｂと同様に動的に指示されてもよい。例えば、ＭＢＳＦＮサブフレーム（又は、ＭＢＳＦＮサブフレームの端末−特定探索空間）で検出されるＤＣＩフォーマット１Ａの特定フィールドを用いて、当該ＤＭＲＳポートとＱＣ仮定の適用が可能なＣＳＩ−ＲＳリソース（又は、ＣＳＩプロセス）に属したＣＳＩ−ＲＳポートを指示することができる。このような場合には、ＭＢＳＦＮサブフレームでＤＣＩフォーマット１Ａを介してＤＬグラントを受ける場合にも、ＤＣＩフォーマット２Ｄを介してＤＬグラントを受ける場合にもＢｅｈａｖｉｏｒ Ｂが適用されるようにすることもできる。又は、ＭＢＳＦＮサブフレームでＤＣＩフォーマット１Ａを介してＤＬグラントを受ける場合や、ＴＭ９以下のＴＭに対してはいずれもＢｅｈａｖｉｏｒ Ａが適用されるようにし（この場合、ＣＳＩ−ＲＳリソースは半−静的にＲＲＣシグナリングされたり、特定ＣＳＩ−ＲＳリソースインデックスが固定的に適用されてもよい）、ＤＣＩフォーマット２ＤでＤＬグラントを受ける場合のみでＢｅｈａｖｉｏｒ Ｂが適用されるようにしてもよい。
【０２６６】
一方、Ｂｅｈａｖｉｏｒ Ａの定義でＣＳＩ−ＲＳが除外されてもよい。すなわち、Ｂｅｈａｖｉｏｒ Ａは、ＣＲＳとＰＤＳＣＨ ＤＭＲＳは、周波数シフト、ドップラー拡散、受信タイミング、遅延拡散のうち一つ以上に対してＱＣされていると仮定することと定義できる。ＣＳＩ−ＲＳに対するＱＣ仮定が除外されたことは、ＣｏＭＰシナリオ４のように、ＣＲＳは複数のＴＰから同時にＳＦＮ形態で送信されるが、ＣＳＩ−ＲＳは当該ＴＰで同時にＳＦＮ形態で送信しないように動作することを支援するためである。すなわち、Ｂｅｈａｖｉｏｒ ＡでＣＲＳとＤＭＲＳ間のＱＣ仮定だけでもデータ復調に役立てる大規模特性推定値を十分に反映でき、ＣＲＳに比べて相対的に密度の低いＣＳＩ−ＲＳを用いて測定されたチャネル特性がＤＭＲＳベースのデータ復調の性能を大きく向上させることはないと見なされるため、ＣＳＩ−ＲＳとＤＭＲＳ間のＱＣ仮定は除外されてもよい。
【０２６７】
また、このようにＣＳＩ−ＲＳを排除したＢｅｈａｖｉｏｒ Ａは、端末にいかなるＣＳＩ−ＲＳリソースも設定されない場合（例えば、ＴＤＤシステム、相互的（ｒｅｃｉｐｒｏｃｉｔｙ）システムなど）に適用されてもよい。一方、端末にＣＳＩ−ＲＳリソースが設定される場合には、最初に説明したＢｅｈａｖｉｏｒ ＡによってＣＲＳ、ＣＳＩ−ＲＳ及びＤＭＲＳ間の全てのＱＣ仮定が適用されてもよい。このようなＢｅｈａｖｉｏｒ Ａは特定ＴＭ（例えば、ＴＭ１乃至ＴＭ９、又はＴＭ１乃至ＴＭ８）のみに対して適用されるように限定することもできる。
【０２６８】
ＣＳＩ−ＲＳリソースの設定された否かによるＢｅｈａｖｉｏｒ Ａは、次の通り表現できる。すなわち、Ｂｅｈａｖｉｏｒ Ａは、ＣＲＳ、ＣＳＩ−ＲＳ（ｉｆ ｃｏｎｆｉｇｕｒｅｄ（設定された場合））及びＰＤＳＣＨ ＤＭＲＳは、周波数シフト、ドップラー拡散、受信タイミング、遅延拡散のうち一つ以上に対してＱＣされていると仮定することと定義できる。すなわち、ＣＳＩ−ＲＳに対してはｉｆ ｃｏｎｆｉｇｕｒｅｄという条件を与えることによって、前述したＣＳＩ−ＲＳリソースが設定されたか否かによるＢｅｈａｖｉｏｒ Ａを簡略に表現することができる。
【０２６９】
さらに、前述したＢｅｈａｖｉｏｒ Ａ’として説明した事項をＢｅｈａｖｉｏｒ Ａと統合すると、次のように定義できる。すなわち、Ｂｅｈａｖｉｏｒ Ａは、ＣＲＳ、ＣＳＩ−ＲＳ（ｉｆ ｏｎｌｙ ｏｎｅ ＣＳＩ−ＲＳ ｒｅｓｏｕｒｃｅ ｉｓ ｃｏｎｆｉｇｕｒｅｄ（一つのＣＳＩ−ＲＳリソースのみが設定された場合））及びＰＤＳＣＨ ＤＭＲＳは、周波数シフト、ドップラー拡散、受信タイミング、遅延拡散のうち一つ以上に対してＱＣされていると仮定することと定義できる。いい換えると、Ｂｅｈａｖｉｏｒ Ａは、ＣＲＳ、ＣＳＩ−ＲＳ（ＣＳＩ−ＲＳが設定された場合なら、そして設定されたＣＳＩ−ＲＳリソースの個数が１であれば））及びＰＤＳＣＨ ＤＭＲＳは、周波数シフト、ドップラー拡散、受信タイミング、遅延拡散のうち一つ以上に対してＱＣされていると仮定することと定義できる。いい換えると、Ｂｅｈａｖｉｏｒ Ａは、ＣＲＳ、ＣＳＩ−ＲＳ（ＣＳＩ−ＲＳが設定された場合なら、そして設定されたＣＳＩ−ＲＳリソースの個数が１であれば（又は、ＣＳＩプロセスの最大個数に対するＵＥキャパビリティＰが｛１｝であれば））及びＰＤＳＣＨ ＤＭＲＳは、周波数シフト、ドップラー拡散、受信タイミング、遅延拡散のうち一つ以上に対してＱＣされていると仮定することと定義できる。
【０２７０】
このようにＣＳＩ−ＲＳに対してはｉｆ ｏｎｅ ＣＳＩ−ＲＳ ｒｅｓｏｕｒｃｅ ｉｓ ｃｏｎｆｉｇｕｒｅｄと同じ意味を有する条件を与えることによって、前述したＣＳＩ−ＲＳリソースが設定されたか否かによるＢｅｈａｖｉｏｒ Ａを簡略に表現することができる。これによって、端末が一つのＣＳＩ−ＲＳリソースを設定された場合に限って、ＣＲＳ、ＣＳＩ−ＲＳ及びＤＭＲＳ間のＱＣ仮定を適用することができる。仮に、端末がいかなるＣＳＩ−ＲＳリソースも設定されなかった場合（例えば、ＴＤＤシステム）や２個以上のＣＳＩ−ＲＳリソースを設定された場合（例えば、ＴＭ１０）には、ＣＲＳとＤＭＲＳ間のＱＣ仮定のみを適用でき、ＣＳＩ−ＲＳとのＱＣ仮定は適用しない。
【０２７１】
このように、ＣＳＩ−ＲＳに対するＱＣ仮定を除外する場合を包括する方式としてＢｅｈａｖｉｏｒ Ａを定義すれば、このように定義されたＢｅｈａｖｉｏｒ ＡをＴＭ１０でＭＢＳＦＮサブフレーム上でＤＣＩフォーマット１Ａを通してＤＬグラントを受信する場合にも同一にＢｅｈａｖｉｏｒ Ａが適用されると整理できる。一方、ＴＭ１０のみでＤＣＩフォーマット２Ｄを介してＤＬグラントを受信する場合にのみＢｅｈａｖｉｏｒ Ｂが適用されるとすることができる。
【０２７２】
前述した提案事項のうち、ＭＢＳＦＮサブフレームでＤＣＩフォーマット１Ａを介してＤＬグラントを受信する場合における端末のＱＣ Ｂｅｈａｖｉｏｒは、非−ＭＢＳＦＮサブフレームでＤＣＩフォーマット１Ａを介してＤＬグラントを受信する場合（又は、非−ＭＢＳＦＮサブフレームで端末−特定探索空間上でＤＣＩフォーマット１Ａを介してＤＬグラントを受信する場合に限って）にも同一に適用することができる。これは、既存のシステム（例えば、Ｒｅｌ−１０以前のシステム）では非−ＭＢＳＦＮサブフレームでＤＣＩフォーマット１Ａを介してＤＬグラントが受信される場合には、ＣＲＳベースのデータ復調を行うように定義されているが、新しいシステム（例えば、Ｒｅｌ−１１以降のシステム）で新しいＴＭ（例えば、ＴＭ１０）における非−ＭＢＳＦＮサブフレームでＤＣＩフォーマット１Ａを介して（又は、非−ＭＢＳＦＮサブフレームで端末−特定探索空間上でＤＣＩフォーマット１Ａを介して）ＤＬグラントを受信する場合には、ＭＢＳＦＮサブフレームにおける動作と同様に、ＤＭＲＳベースのデータ復調が定義されうることを考慮したわけである。このように非−ＭＢＳＦＮサブフレームでＤＣＩフォーマット１Ａを介してＤＬグラントが受信される場合にも、ＤＭＲＳ（例えば、ＤＭＲＳポート７）ベースのデータ復調が定義される場合には、前述した本発明の例示においてＭＢＳＦＮサブフレームでＤＣＩフォーマット１Ａを介してＤＬグラントを受信する場合に関する説明を同一に適用することができる。
【０２７３】
ＰＤＳＣＨシンボルの位置決定
前述した本発明の様々な例示ではＤＣＩフォーマット内のＮビットフィールド（例えば、ＰＱＩフィールド）を用いて、ＱＣ仮定の適用が可能か否かに関する情報とＰＤＳＣＨ ＲＥマッピング関連情報を動的に示すことについて説明した。これに加えて、本発明では、ＤＣＩフォーマット内のＮビットフィールドを用いて、ＰＤＳＣＨ開始シンボル（ＰＤＳＣＨ  ｓｔａｒｔ  ｓｙｍｂｏｌ又はｄａｔａ  ｓｔａｒｔ  ｓｙｍｂｏｌ）（すなわち、ＰＤＳＣＨのマッピングが始まるＯＦＤＭシンボル）に関する情報をさらに示す方案について提案する。
【０２７４】
すなわち、上位層によって２＾Ｎ個のパラメータセットが端末に設定され、ＤＣＩフォーマット内のＮビットフィールド（例えば、ＰＱＩフィールド）で２＾Ｎ個のパラメータセットのいずれか一つが動的にシグナリングされるが、一つのパラメータセットのパラメータにはＰＤＳＣＨ開始シンボル情報が含まれてもよい。
【０２７５】
一つのサブフレームのＯＦＤＭシンボルインデックスが０，１，２，…と与えられることを仮定する。すなわち、正規ＣＰサブフレームの場合、第一のスロット（又は、スロットインデックスが０から始まる場合、偶数インデックスのスロット）のＯＦＤＭシンボルインデックスは、０、１、２、３、４、５、６であり、第二のスロット（又は、スロットインデックスが０から始まる場合、奇数インデックスのスロット）のＯＦＤＭシンボルインデックスは、７、８、９、１０、１１、１２、１３である。拡張ＣＰの場合、第一のスロット（又は、偶数インデックスのスロット）のＯＦＤＭシンボルインデックスは０、１、２、３、４、５であり、第二のスロット（又は、奇数インデックスのスロット）のＯＦＤＭシンボルインデックスは６、７、８、９、１０、１１である。一般には、ＯＦＤＭシンボルインデックス０、１、又は２までＰＤＣＣＨをマップできる。端末は、ＰＤＣＣＨシンボルがどこまで存在するかをＰＣＦＩＣＨからわかる。ＰＤＳＣＨ開始シンボルインデックスに関する別のシグナリングがないと、基本的には、ＰＣＦＩＣＨによって決定される最後のＰＤＣＣＨシンボルインデックスの直後のシンボルインデックスがＰＤＳＣＨ開始シンボルインデックスと決定される。
【０２７６】
本発明では、ＰＤＳＣＨ開始シンボル位置がＰＣＦＩＣＨ（すなわち、ＣＦＩ値）から決定されることとは別に、ＰＤＳＣＨ開始シンボル情報をシグナリングする方案について提案する。例えば、ＰＤＳＣＨ開始シンボル情報は、上記のＱＣ仮定関連情報を指示するＤＣＩフォーマット内のＮビットフィールド（例えば、ＰＱＩフィールド）が指示する２＾Ｎ個の状態別にそれぞれ提供されてもよい。又は、２＾Ｎ個の状態のうち複数個の状態に対して共通に適用されるＰＤＳＣＨ開始シンボル情報がＲＲＣシグナリングで設定されてもよい。
【０２７７】
本発明では、サブフレームパターン（又は、サブフレームセット）別にＰＤＳＣＨ開始シンボルインデックス情報を端末に知らせる方式を提案する。サブフレームセットは少なくても２セットが存在でき、このようなサブフレームセットに対する設定は、端末に予め知らせることができる。例えば、ＭＢＳＦＮサブフレームで構成された一つのセットと、非−ＭＢＳＦＮサブフレームで構成された他のセットを設定することができる。この場合、ＭＢＳＦＮサブフレームに対して適用されるＰＤＳＣＨ開始シンボルインデックスと、非−ＭＢＳＦＮサブフレームに対して適用されるＰＤＳＣＨ開始シンボルインデックスをそれぞれシグナリングできる。
【０２７８】
追加的な例示として、ＤＣＩフォーマット内のＮビットフィールド（例えば、ＰＱＩフィールド）によって指示される２＾Ｎ個の状態のそれぞれに対して（又は、別のＲＲＣシグナリングによって全ての状態に対して共通に適用される情報として）一つのＰＤＳＣＨ開始シンボルインデックス値（例えば、インデックスｋ）を提供することができる。また、基本的には、シグナリングされるｋ値によってＰＤＳＣＨ開始シンボルを決定するが、特定サブフレームセット（例えば、ＭＢＳＦＮサブフレーム）ではｋ＞ＫThresholdである場合には、ｋ＝KThresholdとして適用できる。すなわち、特定サブフレームでは、シグナリングされるｋ値を解釈するに当たり、上限（ＫThreshold）が存在するとすることができる。いい換えると、ｋ＝ｍｉｎ（ＫThreshold，Ｋ）であり、ここで、Ｋは、一般的なサブフレームで適用されるＰＤＳＣＨ開始シンボルインデックス値であり、ｋは、特定サブフレームで端末が決定するＰＤＳＣＨ開始シンボルインデックス値である。
【０２７９】
特定サブフレームセットは、ＭＢＳＦＮサブフレームであってもよく、又は非−ＭＢＳＦＮサブフレームであってもよい。また、特定サブフレームセットは、一つのサブフレームセットであってもよく、複数個のサブフレームセットであってもよい。
【０２８０】
例えば、ＫThreshold＝３の場合、ＤＣＩフォーマットのＮビットフィールド（例えば、ＰＱＩフィールド）の特定状態がｋ＝４を示す場合を仮定する。端末は、非−ＭＢＳＦＮサブフレームでは、シグナリングされた通り、ＰＤＳＣＨ開始シンボルインデックスが４であると見なしてＰＤＳＣＨ復調を行う。一方、端末は、ＭＢＳＦＮサブフレームではｋ＝ＫThreshold＝３であると解釈し、これによってＰＤＳＣＨ開始シンボルインデックスが３であると仮定してＰＤＳＣＨ復調を行う。ここで、ＫThreshold＝３は単なる例示であり、これに制限されない。ＫThreshold＝０、１、２、３、４であってもよい。
【０２８１】
上記の提案事項を整理して表現すると、端末は、一般的なサブフレーム（例えば、非−ＭＢＳＦＮサブフレーム）ではＲＲＣシグナリングされたＰＤＳＣＨ開始シンボルの候補の値、非−クロス−キャリアスケジューリングの場合にはサービングセルのＰＣＦＩＣＨから決定される値、又はクロス−キャリアスケジューリングの場合には上位層によって設定された値のうち一つ（これをＫと表現する）を、ＰＤＳＣＨ開始シンボルインデックス値と決定することができる。ここで、ＲＲＣシグナリングされたＰＤＳＣＨ開始シンボルの候補の値は、０又は留保された値、１、２、３、４であってもよい（４は、システム帯域幅が１０個のＰＲＢ以下である場合にのみ適用される）。一方、特定サブフレーム（例えば、ＭＢＳＦＮサブフレーム）では特定サブフレーム（例えば、ＭＢＳＦＮサブフレーム）におけるＰＤＳＣＨ開始シンボルインデックスｋを、ｋ＝ｍｉｎ（ＫThreshold，Ｋ）（例えば、ＫThreshold＝２）と決定する。
【０２８２】
追加的な例示として、このように決定されたＰＤＳＣＨ開始シンボルが他の制御チャネル領域（例えば、ＤＬサービングセル制御チャネル領域）と重なる場合には、当該制御チャネル領域の次のＯＦＤＭシンボルがＰＤＳＣＨ開始シンボルであると決定されるようにしてもよい。
【０２８３】
例えば、非−ＭＢＳＦＮサブフレームでＰＤＳＣＨ開始シンボル（すなわち、ｋ）は、Ｋ値と、非−クロス−スケジューリングの場合にはサービングセルのＰＣＦＩＣＨから決定される値又はクロス−キャリアスケジューリングの場合には上位層によって設定された値（すなわち、Ｐ）のうち最大値と決定できる（すなわち、ｋ＝ｍａｘ｛Ｋ、Ｐ｝）。ここで、Ｋ値は、０又は留保された値、１、２、３、４、（４は、システム帯域幅が１０個のＰＲＢ以下である場合にのみ適用される）、非−クロス−キャリアスケジューリングの場合にはサービングセルのＰＣＦＩＣＨから決定される値、又はクロス−キャリアスケジューリングの場合には上位層によって設定された値のうち一つであってもよい。一方、ＤＣＩによって指示されるＭＢＳＦＮサブフレームでＰＤＳＣＨ開始シンボル（すなわち、ｋ）は、ＫThreshold値及びＫ値のうち最小値と、Ｐ値のうち最大値と決定することができる（すなわち、ｍａｘ｛ｍｉｎ（ＫThreshold，Ｋ），Ｐ｝）。
【０２８４】
追加的な例示として、サービングセルのＰＣＦＩＣＨからＰＤＳＣＨ開始シンボルを決定することに関わらずにＫ値を定めるように修正することもできる。
【０２８５】
例えば、非−ＭＢＳＦＮサブフレームでＰＤＳＣＨ開始シンボル（すなわち、ｋ）は、Ｋ値と、Ｐ値のうち最大値と決定できる（すなわち、ｋ＝ｍａｘ｛Ｋ，Ｐ｝）。ここで、Ｋ値は、０又は留保された値、１、２、３、又は４（４は、システム帯域幅が１０個のＰＲＢ以下である場合にのみ適用される）のうち一つであってもよい。一方、ＤＣＩによって指示されるＭＢＳＦＮサブフレームでＰＤＳＣＨ開始シンボル（すなわち、ｋ）は、ＫThreshold値とＫ値のうち最小値と、Ｐ値のうち最大値と決定してもよい（すなわち、ｍａｘ｛ｍｉｎ（ＫThreshold，Ｋ），Ｐ｝）。
【０２８６】
前述したようにＰＤＳＣＨ開始シンボルを決定する方案は、ＴＤＤシステムにおいて特別サブフレーム（ｓｐｅｃｉａｌ  ｓｕｂｆｒａｍｅ）の設定のうちＤｗＰＴＳシンボル個数が特定値以下である場合には適用されないように制限することもできる。ＴＤＤ特別サブフレーム設定は、例えば、８種類が定義でき、そのうち、ＤｗＰＴＳシンボルの個数が３個以下である設定は、０番及び５番設定でありうる（詳細な事項はＴＳ ３６．２１１文書を参照）。すなわち、特定シンボル個数を超えるＴＤＤ特別サブフレーム設定に限って、ＰＤＳＣＨ開始シンボル情報に対してＲＲＣシグナリングによって定められる値、ＤＣＩシグナリングによって定められる値間の優先順位に関する規則が適用すれるようにすることができる。
【０２８７】
追加的な例示として、ＴＤＤシステムについては、ＤＣＩシグナリングのための２＾Ｎ状態別にいずれのＴＤＤ特別サブフレーム設定に従うようにスケジューリングするかを知らせることもできる。
【０２８８】
例えば、２＾Ｎ個の状態別に独立したＴＤＤ特別サブフレーム設定がＲＲＣシグナリングによって設定されてもよい。ＤＣＩシグナリングを用いて、２＾Ｎ状態のうちいずれの状態が現在スケジューリングされるＰＤＳＣＨ送信に対して適用されなければならないかを動的に示すことができる。仮に、特定状態が指示され、この状態がいずれの特別サブフレーム設定（例えば、特別サブフレーム設定６）を指示していると、設定されている端末のＤＬサービングセルの特別サブフレーム設定を無視し、上記ＤＣＩシグナリングされる特別サブフレーム設定によってＤｗＰＴＳ領域のＯＦＤＭシンボル長だけのＰＤＳＣＨが送信されるとオーバーライド（ｏｖｅｒｒｉｄｅ）して解釈し、これに基づいてＰＤＳＣＨ復調を行うことができる。
【０２８９】
仮に、ＤＣＩによって指示される特別サブフレーム設定が複数個であると、ＪＴ送信が行われる場合であってもよく、このような場合には常に特別サブフレーム設定間の積集合に該当するＤｗＰＴＳシンボル（すなわち、特別サブフレーム設定でＤｗＰＴＳが共通に存在するＯＦＤＭシンボル）でＰＤＳＣＨ送信が存在すると解釈したり、和集合に該当するＤｗＰＴＳシンボル（すなわち、特別サブフレーム設定のうちＤｗＰＴＳ領域が最も大きいものによるＯＦＤＭシンボル）でＰＤＳＣＨ送信が存在すると解釈できる。
【０２９０】
さらに、ＰＤＳＣＨ最後のＯＦＤＭシンボル（ＰＤＳＣＨ  ｌａｓｔ  ｓｙｍｂｏｌ、ＰＤＳＣＨ  ｅｎｄｉｎｇ  ｓｙｍｂｏｌ、又はｄａｔａ  ｌａｓｔ  ｓｙｍｂｏｌ、ｄａｔａ  ｅｎｄｉｎｇ  ｓｙｍｂｏｌ）情報を明示的に知らせることもできる。ここで、ＤＣＩシグナリングの２＾Ｎ状態別に特別サブフレーム設定と共にＰＤＳＣＨ最後シンボル情報を知らせることもでき、又は特別サブフレーム設定は知らせず、最後のＯＦＤＭシンボル情報のみを知らせることもできる。
【０２９１】
例えば、端末は、ＤＣＩシグナリングを通して指示される特別サブフレーム設定からＤｗＰＴＳ領域を決定でき、ここにＰＤＳＣＨ最後のＯＦＤＭシンボル情報が明示的にさらに与えられる場合には、これによって、ＤｗＰＴＳ領域における最後のいくつかのＯＦＤＭシンボルはＰＤＳＣＨ領域から除外されると決定したり、又はＤｗＰＴＳ領域に比べてより多いシンボルがＰＤＳＣＨ領域に含まれてもよい。すなわち、端末は、ＤＣＩシグナリングを通して特別サブフレーム設定が与えられても、ＰＤＳＣＨ最後のＯＦＤＭシンボル情報が与えられる場合には、ＰＤＳＣＨ最後のＯＦＤＭシンボルに基づいてＰＤＳＣＨ領域を決定することができる。
【０２９２】
一方、ＤＣＩフォーマットのＮビットフィールド（例えば、ＰＱＩフィールド）によって指示される２＾Ｎ状態別に特別サブフレーム設定を知らせる方式の代わりに、端末がＤＬサービングセルの特別サブフレーム設定に従い、サービングセル以外の隣接セル／ＴＰからのＰＤＳＣＨ送信であってもサービングセルの特別サブフレーム設定に従うと端末が仮定することもできる。すなわち、端末は、ＤＬサービングセルの特別サブフレーム設定と同じ設定と仮定（ａｓｓｕｍｅ）できると定義されたり、又は、ＤＬサービングセルの特別サブフレーム設定と異なる特別サブフレーム設定を予想することが許容されないと定義されてもよい。同様に、端末は、特別サブフレームのＤｗＰＴＳにＰＤＳＣＨがスケジューリングされる場合には、当該ＰＤＳＣＨは自身のＤＬサービングセル以外の他のセル／ＴＰから送信されるものと予想することが許容されない。
【０２９３】
追加的な例示として、特別サブフレームで（具体的には、ＤｗＰＴＳで）ＤＬグラントが送信される時に、当該ＤＣＩフォーマット内のＮビットフィールド（例えば、ＰＱＩフィールド）が含まれないと定義されてもよい。このような場合は、非−ＣｏＭＰ動作を意味でき、特別サブフレームではＤＬサービングセルからのＰＤＳＣＨ送信のみをスケジューリングできるという意味であってもよい。
【０２９４】
前述した本発明の様々な例示で、ＤＣＩフォーマット内のＮビットフィールド（例えば、ＰＱＩフィールド）の２＾Ｎ個の状態別に特別サブフレーム設定を知らせることによって、ＤｗＰＴＳ領域の最後のＯＦＤＭシンボルインデックスがどこまでかを端末に知らせることができる。また、ＰＤＳＣＨ開始ＯＦＤＭシンボルインデックスを決定するシグナリングも併せてＤＣＩフォーマット内のＮビットフィールド（例えば、ＰＱＩフィールド）の２＾Ｎ個の状態別にＲＲＣシグナリングによって提供することができる。すなわち、ＰＤＳＣＨ開始ＯＦＤＭシンボルインデックスを知らせる情報と、ＰＤＳＣＨ最後のＯＦＤＭシンボルインデックスを決定するためのＴＤＤ特別サブフレーム設定に関する情報が共に２＾Ｎ個の状態別にＲＲＣ−設定パラメータセットに含まれてもよい。これによって、端末は、ＤＣＩ動的シグナリングされる状態値に該当するパラメータセットに含まれるＰＤＳＣＨ開始シンボル及び／又はＰＤＳＣＨ最後のシンボルを決定し、これによってＰＤＳＣＨ復調を正しく行うことができる。
【０２９５】
ＥＰＤＣＣＨ関連ＰＱＩパラメータの適用
ＤＭＲＳとＣＳＩ−ＲＳ間のＱＣＬ情報、ＰＤＳＣＨ ＲＥマッピング（又は、ＣＲＳ ＲＭパターン（例えば、ＣＲＳポートの個数、ＣＲＳ周波数シフト、セル識別子など））情報、ＭＢＳＦＮサブフレーム設定に関する情報、ＮＺＰ ＣＳＩ−ＲＳ設定情報、ＺＰ（Ｚｅｒｏ−Ｐｏｗｅｒ）ＣＳＩ−ＲＳ設定情報、ＴＤＤ特別サブフレーム設定情報、ＰＤＳＣＨ開始シンボル情報、及び／又はＰＤＳＣＨ最後シンボル情報などは、一つのパラメータセット（又は、パラメータリスト）に含まれるＰＱＩパラメータと定義できる。このようなパラメータセットをＰＱＩ（ＰＤＳＣＨ ＲＥマッピング及びＱＣＬ指示子）パラメータセットと称することができる。複数個の（例えば、２＾Ｎ個の）ＰＱＩパラメータセットが上位層によって半−静的に設定されてもよい。２＾Ｎ個のＰＱＩパラメータセットのうち一つのパラメータセットは、ＤＣＩフォーマット（例えば、ＤＣＩフォーマット２Ｄ）内のＮビットサイズのＰＱＩフィールドの状態値（以下、「ＰＱＩ状態値」と称する）によって動的に指示されてもよい。
【０２９６】
また、このようなＰＱＩパラメータセットに関する情報は、ＤＣＩフォーマット１Ａによってスケジューリングされる場合に端末が従うべき情報として別途のＲＲＣ−設定されたパラメータセットの形態で半−静的に設定されてもよい。又は、ＤＣＩフォーマット１Ａの場合に従うべきデフォルト情報としていずれのＰＱＩパラメータセットが設定されてもよい。デフォルトＰＱＩパラメータセットは、例えば、サービングセルの設定に従うようにしたものであってもよく、デフォルト設定として別に定義されてもよい。このようなＤＣＩフォーマット１Ａの場合に対するデフォルトＰＱＩパラメータセットは、ＤＣＩフォーマット２Ｄの場合に対する上位層設定された複数個のＰＱＩパラメータセットのうちいずれか一つのパラメータセット（例えば、最も低いＰＱＩ状態値（例えば、「００」）に対応するパラメータセット）（例えば、パラメータセット１）であってもよい。
【０２９７】
ＥＰＤＣＣＨを介してＤＣＩフォーマット１Ａに該当するスケジューリング情報が端末にシグナリングされてもよい。ＥＰＤＣＣＨの場合には、ＥＰＤＣＣＨセット別に適用される特定ＰＱＩパラメータセットが上位層シグナリングによって設定されうる。ＥＰＤＣＣＨセット（又は、ＥＰＤＣＣＨ−ＰＲＢ−ｓｅｔ）は、例えば、ローカル方式ＥＰＤＣＣＨマッピングＲＢセット又は分散方式ＥＰＤＣＣＨマッピングＲＢセットを意味する。
【０２９８】
ＥＰＤＣＣＨを介してＤＣＩフォーマット１Ａに該当するスケジューリング情報が端末にシグナリングされる場合、ＰＱＩパラメータの一つ以上が、事前にＲＲＣシグナリングなどによってＥＰＤＣＣＨセット別に設定されてもよい。したがって、ＤＣＩフォーマット１ＡがいずれのＥＰＤＣＣＨセットを介して端末に送信されるかによって、当該ＥＰＤＣＣＨセット別に設定（又は、リンク又はマッピング）されているＲＲＣ設定された（ＲＲＣ−ｃｏｎｆｉｇｕｒｅｄ）パラメータセットに含まれたパラメータの一部又は全部を端末が従うように動作できる。より具体的に、端末は、事前に設定されたＥＰＤＣＣＨセットのそれぞれに対する探索空間でブラインドデコーディングを行い、ブラインドデコーディング結果、成功的に検出されたＤＣＩフォーマット１Ａが存在する場合、当該探索空間を説明（ｄｅｓｃｒｉｂｅ）するＥＰＤＣＣＨセットにリンクされたＲＲＣ−設定されたパラメータセットに含まれたパラメータの一部又は全部に従う仮定を、当該ＤＣＩフォーマット１ＡによってスケジューリングされるＰＤＳＣＨ復調時に反映して受信プロセシングを行うことができる。
【０２９９】
このようにＥＰＤＣＣＨセット別に設定されたＰＱＩパラメータを従うようにすることは、ＤＣＩフォーマット１ＡがＴＭ１０でＥＰＤＣＣＨを介して送信される場合に限って適用されると限定してもよい。ＴＭ１０の場合には、複数個のＥＰＤＣＣＨセットが設定された場合に、それぞれのＥＰＤＣＣＨのセット別にＰＱＩパラメータセットがＲＲＣ−設定され、端末は、ＤＣＩフォーマット１Ａが上記複数個のＥＰＤＣＣＨセットのうちいずれのＥＰＤＣＣＨセットから検出されたかによって、当該ＥＰＤＣＣＨセットに該当するＲＲＣ−設定されたパラメータセットに含まれるパラメータの一部又は全部に従う仮定を、当該ＤＣＩフォーマット１ＡによってスケジューリングされるＰＤＳＣＨ復調時に反映することができる。一方、ＴＭ１乃至ＴＭ９の場合には、複数個のＥＰＤＣＣＨセットが設定された場合であっても、ＰＱＩパラメータセットに含まれるパラメータの一部又は全部が上記複数個のＥＰＤＣＣＨセットに共通に適用されるように設定されてもよい。端末は、当該ＤＣＩフォーマット１ＡがいずれのＥＰＤＣＣＨセットを介して受信及びデコーディングされたかにかかわらず、上記の共通に設定されたＰＱＩパラメータセットに含まれるパラメータの一部又は全部に従う仮定を、当該ＤＣＩフォーマット１ＡによってスケジューリングされるＰＤＳＣＨ復調時に反映して受信プロセシングを行うことができる。
【０３００】
前述したＥＰＤＣＣＨセット−特定に又はＥＰＤＣＣＨセット−共通にＰＱＩパラメータセットがＲＲＣ−設定される本発明の例示に関する説明においてＤＣＩフォーマット１Ａを例に挙げているが、同一の例示がＤＣＩフォーマット２Ｃ又は２Ｄに対しても適用されてもよい。
【０３０１】
また、レガシー−ＰＤＣＣＨを介して送信されるＤＣＩに対するＰＱＩパラメータセットと、ＥＰＤＣＣＨを介して送信されるＤＣＩに対するＰＱＩパラメータセットが独立してＲＲＣ−設定されてもよい。すなわち、レガシー−ＰＤＣＣＨを介して送信されるＤＣＩのＰＱＩ状態値にマップされるＰＱＩパラメータセットは、ＥＰＤＣＣＨを介して送信されるＤＣＩのＰＱＩ状態値にマップされるＰＱＩパラメータセットとは別に設定されるため、互いに異なってもよい。
【０３０２】
また、ＥＰＤＣＣＨセット別にＥＰＤＣＣＨＱＣ動作方式（ｂｅｈａｖｉｏｒ）が定義されてもよい。例えば、ＥＰＤＣＣＨセット別にＥＰＤＣＣＨ Ｂｅｈａｖｉｏｒ Ａ又はＥＰＤＣＣＨ Ｂｅｈａｖｉｏｒ Ｂが適用されるとＲＲＣ−設定されてもよい。ここで、ＥＰＤＣＣＨ Ｂｅｈａｖｉｏｒ Ａは、ＥＰＤＣＣＨ ＤＭＲＳとサービングセルＣＲＳ間のＱＣＬを仮定する動作方式である。ＥＰＤＣＣＨ Ｂｅｈａｖｉｏｒ Ｂは、ＥＰＤＣＣＨ ＤＭＲＳとＣＳＩ−ＲＳ間のＱＣＬを仮定する動作方式である。また、複数個のＥＰＤＣＣＨセット全てに対してＥＰＤＣＣＨ Ｂｅｈａｖｉｏｒ ＡがデフォルトＱＣ動作方式として設定され、それぞれのＥＰＤＣＣＨセット別に独立して特定ＣＳＩ−ＲＳに対するＥＰＤＣＣＨ Ｂｅｈａｖｉｏｒ Ｂが設定されてもよい。ＥＰＤＣＣＨ ＱＣ動作方式については別途の項目で詳しく説明する。
【０３０３】
さらに、ＥＰＤＣＣＨセット別にＱＣＬ動作方式だけでなく、ＰＱＩパラメータの一部又は全部が設定されてもよい。このとき、いずれのＤＣＩの２＾Ｎ個のＰＱＩ状態値に対応するようにＲＲＣ−設定されたＰＱＩパラメータセットの一部又は全部がＥＰＤＣＣＨ自体のデコーディングに適用されるように設定されてもよい。例えば、レガシー−ＰＤＣＣＨを介して（又は、ＥＰＤＣＣＨを介して）ＤＣＩ（例えば、ＤＣＩフォーマット２Ｄ）が送信される場合に、該ＤＣＩの特定ＰＱＩ状態値に対応するようにＲＲＣ−設定されたパラメータセットのパラメータの一部又は全部が特定ＥＰＤＣＣＨセットにそのまま適用されうるように、それぞれのＥＰＤＣＣＨセット別に上記ＰＱＩ状態値のうち特定状態値によって指示されるＰＱＩパラメータセットが設定されるようにすることができる。
【０３０４】
すなわち、それぞれのＥＰＤＣＣＨセット別にＲＲＣ設定によって上記ＰＱＩ状態値のうち特定状態値を指定することができる。また、該特定ＰＱＩ状態値が示すＰＱＩパラメータ（ＤＭＲＳとＣＳＩ−ＲＳ間のＱＣＬ情報、ＰＤＳＣＨ ＲＥマッピング（又は、ＣＲＳ ＲＭパターン（例えば、ＣＲＳポートの個数、ＣＲＳ周波数シフト、セル識別子など））情報、ＭＢＳＦＮサブフレーム設定に関する情報、ＮＺＰ ＣＳＩ−ＲＳ設定情報、ＺＰ（Ｚｅｒｏ−Ｐｏｗｅｒ）ＣＳＩ−ＲＳ設定情報、ＴＤＤ特別サブフレーム設定情報、ＰＤＳＣＨ開始シンボル情報、及び／又はＰＤＳＣＨ最後シンボル情報など）の一部又は全部がそのままＥＰＤＣＣＨデコーディング自体に適用されるようにすることができる。
【０３０５】
例えば、上記ＰＱＩパラメータのうちＺＰ ＣＳＩ−ＲＳ設定情報によってＥＰＤＣＣＨ自体のＲＥマッピングを決定し（すなわち、ＺＰ ＣＳＩ−ＲＳが指示するＲＥにはＥＰＤＣＣＨがマップされないという仮定の下に）、ＥＰＤＣＣＨのデコーディングを行うことができる。
【０３０６】
また、上記ＰＱＩパラメータのうちＣＲＳ ＲＭパターン情報によって、ＥＰＤＣＣＨ自体のＲＥマッピングを決定し、ＥＰＤＣＣＨデコーディングを行うことができる。
【０３０７】
また、上記ＰＱＩパラメータのうちＭＢＳＦＮサブフレーム設定情報によって、ＥＰＤＣＣＨが送信されるサブフレームがＭＢＳＦＮサブフレームか又は非−ＭＢＳＦＮサブフレームかを決定し、これによってＣＲＳがマップされるＲＥが存在するか否かを決定し、最終的にＥＰＤＣＣＨ自体のＲＥマッピングを決定してＥＰＤＣＣＨデコーディングを行うことができる。
【０３０８】
また、上記ＰＱＩパラメータのうちＰＤＳＣＨ開始シンボル情報に基づいてＥＰＤＣＣＨ自体の開始シンボルを決定し、これによってＥＰＤＣＣＨ自体のＲＥマッピングを決定してＥＰＤＣＣＨデコーディングを行うことができる。例えば、ＰＱＩパラメータセットに含まれたＰＤＳＣＨ開始シンボル情報からＰＤＳＣＨ開始シンボル値ｋを決定できるが、このｋ値をそのままＥＰＤＣＣＨの開始シンボル値として適用することができる。ここで、ＥＰＤＣＣＨの開始シンボルインデックス値ｋは、ＭＢＳＦＮサブフレームと非−ＭＢＳＦＮサブフレームに共通に適用されてもよい。又は、非−ＭＢＳＦＮサブフレームに対してはｋ＝Ｋと決定され、ＭＢＳＦＮサブフレームに対してはｋ＝ｍｉｎ（ＫThreshold，Ｋ）と決定されてもよい。ここで、Ｋ値は、０又は留保された値、１、２、３、４、（４は、システム帯域幅が１０個のＰＲＢ以下である場合にのみ適用される）、非−クロス−キャリアスケジューリングの場合にはサービングセルのＰＣＦＩＣＨから決定される値、又はクロス−キャリアスケジューリングの場合には上位層によって設定された値のうち一つであってもよい。例えば、ＫThreshold＝２であってもよい。
【０３０９】
また、上記ＰＱＩパラメータに一つのＮＺＰ ＣＳＩ−ＲＳ設定情報が含まれる場合、このようなＮＺＰ ＣＳＩ−ＲＳ設定情報は、ＥＰＤＣＣＨ自体のデコーディングのために無視してもよい（又は、考慮しなくてもよい）。すなわち、ＥＰＤＣＣＨセット別にＢｅｈａｖｉｏｒ Ａ又はＢｅｈａｖｉｏｒ Ｂが個別にＲＲＣ設定される場合、ＰＤＳＣＨ復調のためのＰＱＩパラメータセットのうち一つのＮＺＰ ＣＳＩ−ＲＳ設定情報は、ＥＰＤＣＣＨデコーディングのために適用しない。
【０３１０】
又は、ＥＰＤＣＣＨ Ｂｅｈａｖｉｏｒ Ｂが指示された特定ＥＰＤＣＣＨセットに対しては、ＮＺＰ ＣＳＩ−ＲＳ設定情報を考慮してもよい。ＮＺＰ ＣＳＩ−ＲＳ設定情報がＰＱＩパラメータセットに含まれることは選択的（ｏｐｔｉｏｎａｌ）であるから、場合を分けて説明する。上記ＰＱＩパラメータに一つのＮＺＰ ＣＳＩ−ＲＳ設定情報が含まれる場合は、これを考慮してＥＰＤＣＣＨ自体のＲＥマッピングを決定し、ＥＰＤＣＣＨデコーディングを行うことができる。すなわち、ＥＰＤＣＣＨセット別にＲＲＣ−設定されたＰＱＩパラメータセットに属した一つのＮＺＰ ＣＳＩ−ＲＳ設定情報が存在すると、ＥＰＤＣＣＨ ＤＭＲＳと上記一つのＮＺＰ ＣＳＩ−ＲＳ間のＱＣＬを仮定するＢｅｈａｖｉｏｒ Ｂを適用してＥＰＤＣＣＨデコーディングを行う。上記ＰＱＩパラメータに一つのＮＺＰ ＣＳＩ−ＲＳ設定情報が含まれない場合には、ＥＰＤＣＣＨ ＤＭＲＳとデフォルトＣＳＩ−ＲＳ間のＱＣＬを仮定するＢｅｈａｖｉｏｒ Ｂを適用してＥＰＤＣＣＨデコーディングを行う。ここで、デフォルトＣＳＩ−ＲＳは、最も低いインデックスのＣＳＩ−ＲＳリソース（例えば、ＣＳＩ−ＲＳリソースインデックス０）、特定ＣＳＩ−ＲＳリソース（例えば、ＣＳＩ−ＲＳリソースインデックスｎ、ここで、ｎは予め指定された値）、最も低いＣＳＩプロセスインデックスに属したＣＳＩ−ＲＳリソース（例えば、ＣＳＩプロセスインデックス０に属したＣＳＩ−ＲＳリソース）、又は特定ＣＳＩプロセスに属したＣＳＩ−ＲＳリソース（例えば、ＣＳＩプロセスインデックスｎに属したＣＳＩ−ＲＳリソース、ここで、ｎは予め指定された値）のうち一つと設定できる。
【０３１１】
前述したように、本発明によれば、ＥＰＤＣＣＨセットのそれぞれに対して（又は、共通に）上位層によって設定されたＰＱＩパラメータセットを、ＥＰＤＣＣＨ自体のＲＥマッピング及びＥＰＤＣＣＨアンテナポートＱＣＬを決定するために用いることができ、これによってＥＰＤＣＣＨデコーディング性能を高めることができる。
【０３１２】
ＰＤＳＣＨ開始シンボル決定の優先順位
ＤＣＩ内のＮビットサイズのＰＱＩフィールドは、２＾Ｎ個のＰＱＩ状態値のうちいずれか一つの値を有することができて、これは、２＾Ｎ個のＰＱＩパラメータセットのうちいずれか一つを示すことができる。このような２＾Ｎ個のＰＱＩパラメータセットは、上位層（例えば、ＲＲＣ層）によって予め設することができる。
【０３１３】
仮に、いずれのＰＱＩパラメータセットに特定パラメータが含まれない場合には、該特定パラメータのためにデフォルト規則によって決定された値を適用することができる。
【０３１４】
例えば、特定ＰＱＩフィールドの状態値に対応するＰＱＩパラメータセットにおいてＰＤＳＣＨ開始シンボルインデックス情報が含まれない（又は、与えられない）場合、端末は、ＰＤＳＣＨ開始シンボルインデックスがサービングセルのＰＤＳＣＨ開始位置に従うと仮定することができる。これは、ＰＱＩパラメータではなくても、別途のＲＲＣシグナリングによってＥＰＤＣＣＨ開始シンボルが端末に設定されていると、ＰＱＩパラメータにＰＤＳＣＨ開始シンボルが含まれない場合に、ＤＬサービングセルのＰＣＦＩＣＨからＰＤＳＣＨ開始シンボルを決定するよりは、既にＲＲＣシグナリングで与えられたＥＰＤＣＣＨ開始シンボル位置がＰＤＳＣＨ開始シンボルの位置と同一であると決定するようにするという意味である。
【０３１５】
例えば、特定ＰＱＩフィールドの状態値に対応するＰＱＩパラメータセットにおいてＰＤＳＣＨ開始シンボルインデックス情報が含まれない（又は、与えられない）場合、端末は、ＰＤＳＣＨ開始シンボルインデックスが、ＤＬサービングセルのＰＣＦＩＣＨで示すＰＤＣＣＨの最後シンボルインデックスの次のシンボルインデックス（すなわち、ＰＤＣＣＨの最後シンボルインデックス＋１）であると決定することができる。
【０３１６】
このように本発明で提案するＰＱＩパラメータを適用する優先順位は、次のように設定することができる。一番目の優先順位は（すなわち、他の場合に比べて優先的に適用される動作は）、ＰＱＩ状態値に対応する特定ＰＱＩパラメータが与えられる場合にはそれに従うことである。二番目の優先順位は（すなわち、上記一番目の優先順位による動作が適用されない場合に適用される動作は）、ＰＱＩ状態値に対応する特定ＰＱＩパラメータが与えられない場合に適用されることであり、上記特定ＰＱＩパラメータと関連して（ＰＱＩパラメータ設定ではない他の目的のためでも）別途に設定された値が存在する場合には、それによって上記特定ＰＱＩパラメータの値を決定することである。
【０３１７】
ＰＱＩパラメータのうちＰＤＳＣＨ開始シンボル情報を例に上げて本発明に係る動作を説明する。
【０３１８】
まず、一番目の優先順位による動作又は二番目の優先順位による動作を適用するか否かを決定するために、ＤＣＩ内のＰＱＩフィールドの特定状態値に対応するＰＱＩパラメータセットでＰＤＳＣＨ開始シンボル値が含まれるか（又は、与えられるか）否かを決定する。
【０３１９】
一番目の優先順位による動作として、仮にＤＣＩ内のＰＱＩフィールドの特定状態値に対応するＰＱＩパラメータセットでＰＤＳＣＨ開始シンボル値が提供されると、端末はそれを用いてＰＤＳＣＨ復調（又は、ＥＰＤＣＣＨデコーディング）を行うことができる。
【０３２０】
ここで、非−ＭＢＳＦＮサブフレームに対してＲＲＣシグナリングされたＰＤＳＣＨ開始シンボル情報（例えば、上記例示でＫ値と表現された情報）は、０又は留保された値、１、２、３、４（４は、システム帯域幅が１０個のＰＲＢ以下である場合にのみ適用される）、非−クロス−キャリアスケジューリングの場合にはサービングセルのＰＣＦＩＣＨから決定される値、又はクロス−キャリアスケジューリングの場合には上位層によって設定された値のうち一つであってもよい。
【０３２１】
又は、Ｋ値は、０又は留保された値、１、２、３、４（４はシステム帯域幅が１０個のＰＲＢ以下である場合にのみ適用される）、非−クロス−キャリアスケジューリングの場合には特定セル又はＴＰのＰＣＦＩＣＨから決定される値、又はクロス−キャリアスケジューリングの場合には上位層によって設定された値のうち一つであってもよい。ここで、特定セル又はＴＰのＰＣＦＩＣＨによって与えられる情報（又は、制御領域のＯＦＤＭシンボル個数を示す他のパラメータ／値／変数）によって動的にＰＤＳＣＨ開始シンボル個数を決定する方式は、上記特定セル又はＴＰのＲＳ（例えば、ＣＲＳ、ＣＳＩ−ＲＳ、トラッキング（ｔｒａｃｋｉｎｇ）ＲＳなど）を確実に検出できる場合に（例えば、干渉消去受信機（ｉｎｔｅｒｆｅｒｅｎｃｅ  ｃａｎｃｅｌａｔｉｏｎ  ｒｅｃｅｉｖｅｒ）を備える端末で）適用するようにすることができる。
【０３２２】
一方、このように特定セル又はＴＰのＰＣＦＩＣＨによって動的にＰＤＳＣＨ開始シンボル値Ｋを決定する動作は、ＤＬ制御チャネル領域とＰＤＳＣＨ領域の重複を防止するための他の実施例にも適用することができる。
【０３２３】
例えば、非−ＭＢＳＦＮサブフレームでＰＤＳＣＨ開始シンボル値ｋ＝ｍａｘ｛Ｋ，Ｐ｝と決定することができる。ＭＢＳＦＮサブフレームでＰＤＳＣＨ開始シンボル値ｋ＝ｍａｘ｛（ｍｉｎ（ＫThreshold，Ｋ））と決定することができる。ここで、Ｋ値は、０又は留保された値、１、２、３、４（４はシステム帯域幅が１０個のＰＲＢ以下である場合にのみ適用される）、非−クロス−キャリアスケジューリングの場合には特定セル又はＴＰのＰＣＦＩＣＨから決定される値、又はクロス−キャリアスケジューリングの場合には上位層によって設定された値のうち一つであってもよい。Ｐは、非−クロス−スケジューリングの場合にはサービングセルのＰＣＦＩＣＨから決定される値、又はクロス−キャリアスケジューリングの場合には上位層によって設定された値であってもよい。ＫThreshold値は、例えば、２であってもよい。
【０３２４】
二番目の優先順位による動作として、ＤＣＩ内のＰＱＩフィールドの特定状態値に対応するＰＱＩパラメータセットでＰＤＳＣＨ開始シンボル値が提供されない場合では、端末は、（ＰＱＩパラメータ設定でない他の目的のためでも）別途に設定されたＰＤＳＣＨ開始シンボル値が存在すると、それを用いてＰＤＳＣＨ復調（又は、ＥＰＤＣＣＨデコーディング）を行うことができる。
【０３２５】
例えば、ＰＱＩパラメータ以外の別に設定されたＰＤＳＣＨ開始シンボル値は、ＥＰＤＣＣＨ開始シンボル値を示すための情報であってもよい。すなわち、ＥＰＤＣＣＨ開始シンボル＝ＰＤＳＣＨ開始シンボルと決定するが、そのために、端末にＥＰＤＣＣＨ開始シンボル情報が半−静的に設定されている場合には、端末は、それによってＰＤＳＣＨ開始シンボルを決定してＰＤＳＣＨ復調などを行うことができる。
【０３２６】
他の例示として、ＤＬサービングセルに対するＰＤＳＣＨ開始シンボル情報がなくても、他のセル又はＴＰ（例えば、ＣＳＩ−ＲＳとのＱＣ情報などを用いてＰＤＳＣＨを送信するセル又はＴＰ）に対して設定されたＰＤＳＣＨ開始シンボル情報が存在すると、端末はそれによってＰＤＳＣＨ復調などを行うことができる。これは、搬送波併合（ＣＡ）システムでＳＣｅｌｌのＰＤＳＣＨ開始シンボル情報がＲＲＣシグナリングによって与えられる方式に似ていると理解すればよく、ここで、ＳＣｅｌｌを、同一周波数帯域におけるＣｏＭＰ測定セット内の隣接ＴＰと見なすことができる。
【０３２７】
例えば、フォールバック動作のためにＤＣＩフォーマット１Ａが用いられる場合を仮定することができる。この場合、ＣｏＭＰのような動作モードのための情報（特に、ＰＤＳＣＨ開始シンボルに関する情報）が提供されないことがある。又は、ＣｏＭＰモードのためのＰＤＳＣＨをスケジューリングするＤＣＩであっても、他の端末と共にスケジューリングメッセージの検出を試みる共通探索空間で送信されるときには、他のスケジューリング情報との長さを同一に維持するためにＰＤＳＣＨ開始シンボル情報などが含まれないこともある。このようにＰＤＳＣＨ開始シンボルに関する情報が存在しないスケジューリング情報によってＰＤＳＣＨがスケジューリングされる場合、ＥＰＤＣＣＨとＰＤＳＣＨは同一のセル（又は、ＣＣ）上で同一の開始点を有するとして動作することができる。
【０３２８】
三番目の優先順位による動作として、ＰＱＩパラメータも与えられず、他の目的のために設定された値も存在しない場合には、最も基本的な動作を支援するための方式によって、ＰＤＳＣＨ開始シンボルインデックスを、ＤＬサービングセルのＰＣＦＩＣＨで示すＰＤＣＣＨの最後シンボルインデックスの次のシンボルインデックス（すなわち、ＰＤＣＣＨの最後シンボルインデックス＋１）と決定することができる。
【０３２９】
他の例示として、ＰＣＦＩＣＨのＣＦＩ値が示す最大値に１を加えた値（すなわち、ＰＤＣＣＨ最大スパン（ｓｐａｎ）＋１）をＰＤＳＣＨ開始シンボルインデックスの値と決定することもできる。ＰＤＣＣＨ最大スパン＋１と決定する方式は、実際にＰＤＣＣＨが最大スパンよりも少ないシンボルを用いる場合にはリソース活用度が低下することがあるが、端末動作が単純化及び安定化するという長所を有する。例えば、ＰＤＣＣＨのために使用可能なＯＦＤＭシンボルの個数は、下記の表１０のように定義できるが、そのうち、ＰＤＣＣＨのためのＯＦＤＭシンボル個数の最大値は、下りリンクシステム帯域幅が１０個のＲＢ以下である場合
【数２０】
0006336454.tif 000030
４個である。したがって、ＰＤＳＣＨ開始シンボルは５番目ＯＦＤＭシンボル（ＯＦＤＭシンボルインデックスが０から始める場合には、シンボルインデックス４）であると決定することができる。
【表１０】
0006336454.tif 000031
【０３３０】
他の例示として、上記の表１０で、フレーム構造、ＭＢＳＦＮか又は非−ＭＢＳＦＮサブフレームか、ＣＲＳアンテナポート個数などの条件によってＣＦＩが示す値（すなわち、ＰＤＣＣＨのためのＯＦＤＭシンボルの個数）のうち、当該条件での最大値を決定し、該決定された最大値に該当するシンボルインデックス＋１をＰＤＳＣＨ開始シンボル位置と決定することもできる。このように条件による最大値は、上記の表１０の特定行（ｒｏｗ）における最大値又は特定列（ｃｏｌｕｍｎ）における最大値などと決定することができる。
【０３３１】
他の例示として、ＤＬサービングセルではなく、他のセル又はＴＰのＰＤＳＣＨ開始シンボル位置情報を用いることもできる。例えば、他のセル又はＴＰは、ＣＳＩ−ＲＳとのＱＣ情報などによってＰＤＳＣＨを送信するセル又はＴＰであってもよい。他のセル又はＴＰに対する特定シグネチャ値（例えば、当該セル又はＴＰの物理セル識別子、仮想セル識別子などのスクランブリングシード値など）が示されるとき、当該セル又はＴＰのＲＳ（例えば、ＣＲＳ、トラッキングＲＳ、ＣＳＩ−ＲＳなど）を用いてＰＣＦＩＣＨをデコーディングできるなら、ＰＣＦＩＣＨで示されるＣＦＩ値によって決定されるＰＤＣＣＨの最後シンボルインデックスの次のシンボルインデックスをＰＤＳＣＨ開始シンボル位置と決定することができる。
【０３３２】
追加的な例示として、端末が特定ＰＤＳＣＨスケジューリング情報（例えば、特定ＤＣＩフォーマットを介した下りリンクスケジューリング情報）を受信した場合、ＰＤＳＣＨを送信するセルが当該端末のサービングセルではなく特定セルであると事前に定めることが可能である。この場合、事前に定められた特定セルがどのセルであるかは、上位層（例えば、ＲＲＣ層）によって設定することができる。
【０３３３】
また、ＥＰＤＣＣＨではなくＰＤＣＣＨを介して送信されるＤＣＩによってＰＤＳＣＨがスケジューリングされる場合には、ＥＰＤＣＣＨ開始シンボルに関する情報がＰＤＳＣＨ開始シンボルと異なるか、又はＥＰＤＣＣＨ開始シンボルに関する情報自体が存在しない場合に該当しうる。この場合には、上記の二番目の優先順位で別途に設定されたＰＤＳＣＨ開始シンボル値を用いることができず、上記の三番目の優先順位によってＰＤＳＣＨ開始シンボル位置を決定すればよい。
【０３３４】
フォールバックモードでスケジューリングされたＰＤＳＣＨに対するＰＱＩパラメータの適用
端末に対して送信モード再設定などが行われる状況で基地局と端末の動作モード設定が一致しない場合が生じうる。このような場合には、安定した動作のために、端末、基地局の両方が基本的に支援するフォールバックモードで動作できる。本発明では、フォールバックモードでスケジューリングされるＰＤＳＣＨに対してＰＱＩパラメータを適用する動作を提案する。
【０３３５】
フォールバックモードで動作する場合、上記の一番目の優先順位による動作（例えば、ＰＤＳＣＨ開始シンボル情報）が直接与えられる場合の動作）が適用されないことがある。ここで、フォールバックモードで動作する場合には、上記の一番目の優先順位による動作が適用されない場合、上記の二番目の優先順位による動作（例えば、ＥＰＤＣＣＨ開始シンボル情報によってＰＤＳＣＨ開始シンボル位置を決定する動作）を行わず、上記の三番目の優先順位による動作（例えば、ＰＣＦＩＣＨが示すＣＦＩ値によって決定されるＰＤＣＣＨの最後シンボルインデックスの直後のシンボルインデックスをＰＤＳＣＨ開始シンボル位置と決定する動作）が行われてもよい。
【０３３６】
例えば、フォールバックモードのためのＤＣＩフォーマット（例えば、ＤＣＩフォーマット１Ａ）によってスケジューリングされたＰＤＳＣＨ送信開始シンボル位置は、より安定したフォールバック動作のために同一のセル（又は、ＣＣ）上のＥＰＤＣＣＨ開始シンボルと異なるように設定されてもよい。例えば、フォールバックモードのためのＤＣＩフォーマット１ＡによってＰＤＳＣＨがスケジューリングされる場合、このＰＤＳＣＨは事前に定められた特定セル（例えば、当該端末のサービングセル）から送信されると指定されてもよく、これは、フォールバックモードではサービングセルが端末の動作を管理するようにすることが適切であるからである。このような場合、ＤＣＩフォーマット１ＡでスケジューリングされたＰＤＳＣＨの開始シンボル位置は、サービングセルのＰＤＳＣＨ開始シンボル位置と同一に設定されることが好ましい。
【０３３７】
これによって、端末は、ＤＣＩフォーマット１ＡによってＰＤＳＣＨがスケジューリングされた場合には、別にＲＲＣ−設定されるＥＰＤＣＣＨの開始シンボル位置にかかわらず、サービングセルのＰＣＦＩＣＨのＣＦＩが示す値によってＰＤＳＣＨ開始シンボル位置を決定することができる。
【０３３８】
又は、上位層（例えば、ＲＲＣ層）シグナリングを用いてサービングセルのＰＤＳＣＨ開始シンボル情報を知らせ、それに従うようにすることもできる。ここで、上位層信号が示すサービングセルＰＤＳＣＨ開始シンボル情報は、ＤＣＩフォーマット１Ａでスケジューリングされた場合に適用しなければならないＰＤＳＣＨ開始シンボル位置と与えられたり、又は、サービングセルの特定ＲＳ（例えば、ＣＲＳ又は基準となる特定ＣＳＩ−ＲＳ）と同一の位置でＰＤＳＣＨが送信されると仮定できる場合に用いるＰＤＳＣＨ開始シンボル位置と与えられてもよい。ここで、上記基準となるＣＳＩ−ＲＳは、サービングセルが送信すると暗黙的に仮定し、最初の（又は、最も低い）ＣＳＩ−ＲＳ設定インデックスのように、特定ＣＳＩ−ＲＳ設定インデックスに該当するものであってもよい。
【０３３９】
また、ＰＤＳＣＨスケジューリングメッセージが共通探索空間（ＣＳＳ）上で検出され、ＰＤＳＣＨスケジューリングメッセージにＰＤＳＣＨ開始シンボル位置に関する情報が含まれない場合にも、上記と類似の方式で動作できる。すなわち、非−ＭＢＳＦＮサブフレームでＣＳＳ上で送信されるＤＣＩフォーマット１Ａの場合は、ＣＲＳベースで動作し、いかなる種類の送信モードでも同一の動作を保障するフォールバック動作を提供しなければならず、よって、必ずサービングセルのＰＣＦＩＣＨ情報によってＰＤＳＣＨ開始シンボル位置を決定するようにすることが好ましい。
【０３４０】
前述した本発明の提案を整理し、フォールバックモードでＰＱＩパラメータ適用に関する本発明の第１例示による端末動作を次のように定義できる。
【０３４１】
−  非−ＭＢＳＦＮサブフレームで共通探索空間上のＤＣＩフォーマット１ＡによってＰＤＳＣＨがスケジューリングされる場合、該ＰＤＳＣＨの開始シンボルは、ＤＬサービングセルのＰＣＦＩＣＨ情報（すなわち、ＣＦＩ）に基づいて決定される。
【０３４２】
−  ＭＢＳＦＮサブフレームで又は非−ＭＢＳＦＮサブフレームで端末−特定探索空間上のＤＣＩフォーマット１ＡによってＰＤＳＣＨがスケジューリングされる場合、該ＰＤＳＣＨの開始シンボルは、ＤＣＩフォーマット２Ｄに対して設定されたＰＱＩ状態値のうち、予め決定された一つに従うＰＱＩパラメータによって決定される。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。
【０３４３】
フォールバックモードにおけるＰＱＩパラメータ適用に関する本発明の第２例示として、非−ＭＢＳＦＮサブフレームで端末−特定探索空間上で送信されるＤＣＩによってＰＤＳＣＨがスケジューリングされる場合にもフォールバックモードとして動作できるように次の端末動作を定義することができる。これによって、ＭＢＳＦＮサブフレームである場合と非−ＭＢＳＦＮサブフレームである場合とに条件を分け、次のように端末動作を定義することもできる。
【０３４４】
−  非−ＭＢＳＦＮサブフレームでＤＣＩフォーマット１ＡによってＰＤＳＣＨがスケジューリングされる場合、該ＰＤＳＣＨの開始シンボルはＤＬサービングセルのＰＣＦＩＣＨ情報（すなわち、ＣＦＩ）に基づいて決定される。
【０３４５】
−  ＭＢＳＦＮサブフレームでＤＣＩフォーマット１ＡによってＰＤＳＣＨがスケジューリングされる場合、該ＰＤＳＣＨの開始シンボルは、ＤＣＩフォーマット２Ｄに対して設定されたＰＱＩ状態値のうち予め決定された一つに従うＰＱＩパラメータによって決定される。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。
【０３４６】
前述した本発明の例示で提案する事項は、ＣＲＳベースでＰＤＳＣＨ復調を行う場合には、サービングセルのＰＣＦＩＣＨ情報（すなわち、ＣＦＩ）に基づいてＰＤＳＣＨ開始シンボルを決定すべきだということである。また、ＴＭ１０の場合にも、ＴＭ９と同様、非−ＭＢＳＦＮサブフレームでＤＣＩフォーマット１ＡによってＰＤＳＣＨがスケジューリングされる場合、共通探索空間でＤＣＩフォーマット１Ａが検出されるか又は端末−特定探索空間でＤＣＩフォーマット１Ａが検出されるかにかかわらず、ＣＲＳ−ベースＰＤＳＣＨ送信（例えば、アンテナポート０送信又は送信ダイバーシティモード）が行われるとすれば、上記のフォールバックモードでＰＱＩパラメータ適用に関する本発明の第２例示で説明したようにＰＱＩパラメータを適用するのではなく、サービングセルのＰＣＦＩＣＨ情報（すなわち、ＣＦＩ）に基づいてＰＤＳＣＨ開始シンボルを決定することができる。一方、非−ＭＢＳＦＮサブフレームでＥＰＤＣＣＨを介して送信されるＤＣＩフォーマット１Ａは端末−特定探索空間のみを通して送信されるため、上記フォールバックモードでＰＱＩパラメータ適用に関する本発明の第１例示で説明した通り、非−ＭＢＳＦＮサブフレームで共通探索空間を通して受信されたＤＣＩフォーマット１ＡによってスケジューリングされたＰＤＳＣＨに対しては、サービングセルのＰＣＦＩＣＨ情報（すなわち、ＣＦＩ）に基づいてＰＤＳＣＨ開始シンボルを決定し、その他のＤＣＩフォーマット１ＡによってスケジューリングされたＰＤＳＣＨに対しては、特定ＰＱＩ状態値に対応するＰＱＩパラメータを適用することができる。
【０３４７】
上記のフォールバックモードでＰＱＩパラメータ適用に関する本発明の第１及び第２例示について、ＤＣＩフォーマット１ＡがＥＰＤＣＣＨ上で送信されるか又はＰＤＣＣＨ上で送信されるかの細部的な条件を考慮した本発明の追加的な例示による端末動作は、次のように定義できる。
【０３４８】
上記フォールバックモードでＰＱＩパラメータ適用に関する本発明の第１例示は、次のような変形例と定義することもできる。
【０３４９】
−  非−ＭＢＳＦＮサブフレームで共通探索空間上のＥＰＤＣＣＨを介して送信されるＤＣＩフォーマット１ＡによってＰＤＳＣＨがスケジューリングされる場合、該ＰＤＳＣＨの開始シンボルは、ＥＰＤＣＣＨ開始シンボルによって決定する。ここで、ＥＰＤＣＣＨ開始シンボルは、サービングセルのＰＣＦＩＣＨ情報（すなわち、ＣＦＩ）に基づいて決定してもよく、又はＲＲＣ−設定されたＥＰＤＣＣＨ開始シンボル値によって決定してもよい。
【０３５０】
−  非−ＭＢＳＦＮサブフレームで共通探索空間上のＰＤＣＣＨを介して送信されるＤＣＩフォーマット１ＡによってＰＤＳＣＨがスケジューリングされる場合、該ＰＤＳＣＨの開始シンボルは、ＤＬサービングセルのＰＣＦＩＣＨ情報（すなわち、ＣＦＩ）に基づいて決定する。
【０３５１】
−  ＰＤＣＣＨを介した送信かＥＰＤＣＣＨを介した送信かにかかわらず、ＭＢＳＦＮサブフレームで又は非−ＭＢＳＦＮサブフレームで端末−特定探索空間上のＤＣＩフォーマット１ＡによってＰＤＳＣＨがスケジューリングされる場合、該ＰＤＳＣＨの開始シンボルは、ＤＣＩフォーマット２Ｄに対して設定されたＰＱＩ状態値のうち予め決定された一つに従うＰＱＩパラメータによって決定する。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。
【０３５２】
上記フォールバックモードでＰＱＩパラメータ適用に関する本発明の第２例示は、次のような変形例と定義することもできる。
【０３５３】
−  非−ＭＢＳＦＮサブフレームでＥＰＤＣＣＨを介して送信されるＤＣＩフォーマット１ＡによってＰＤＳＣＨがスケジューリングされる場合、該ＰＤＳＣＨの開始シンボルは、ＥＰＤＣＣＨ開始シンボルによって決定する。ここで、ＥＰＤＣＣＨ開始シンボルは、サービングセルのＰＣＦＩＣＨ情報（すなわち、ＣＦＩ）に基づいて決定してもよく、又はＲＲＣ−設定されたＥＰＤＣＣＨ開始シンボル値によって決定してもよい。
【０３５４】
−  非−ＭＢＳＦＮサブフレームでＰＤＣＣＨを介して送信されるＤＣＩフォーマット１ＡによってＰＤＳＣＨがスケジューリングされる場合、該ＰＤＳＣＨの開始シンボルは、ＤＬサービングセルのＰＣＦＩＣＨ情報（すなわち、ＣＦＩ）に基づいて決定する。
【０３５５】
−ＰＤＣＣＨを介した送信か又はＥＰＤＣＣＨを介した送信かにかかわらず、ＭＢＳＦＮサブフレームでＤＣＩフォーマット１ＡによってＰＤＳＣＨがスケジューリングされる場合、該ＰＤＳＣＨの開始シンボルは、ＤＣＩフォーマット２Ｄに対して設定されたＰＱＩ状態値のうち予め決定された一つに従うＰＱＩパラメータによって決定する。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。
【０３５６】
前述したように、フォールバックモード（例えば、ＤＣＩフォーマット１ＡによってＰＤＳＣＨがスケジューリングされる場合）でＰＤＳＣＨ開始シンボルを決定する方案に関する本発明の様々な例示は、ＣＲＳ ＲＭ（Ｒａｔｅ  Ｍａｔｃｈｉｎｇ）パターン（例えば、ＣＲＳポート個数、ＣＲＳ周波数シフト情報、ＭＢＳＦＮ設定情報など）を決定する動作についても同様に適用することができる。これは、フォールバックモードＤＣＩフォーマット１ＡによってスケジューリングされるＣＲＳ−ベースＰＤＳＣＨ送信（例えば、アンテナポート０送信又は送信ダイバーシティモード）に対してはサービングセルのＰＣＦＩＣＨ情報（すなわち、ＣＦＩ）によってＰＤＳＣＨ開始シンボルを決定し、不明瞭性の除去及び安全性を図るということであるから、ＣＲＳ ＲＭパターンの決定も、これと同様の目的で、サービングセルのＣＲＳ ＲＭパターンによってＰＤＳＣＨ ＲＥマッピングを決定することが適切である。すなわち、ＤＣＩフォーマット２Ｄに対して設定された特定ＰＱＩ状態値（例えば、最初のＰＱＩ状態値、又は最も低いＰＱＩ状態値）に対応するＰＱＩパラメータ（例えば、ＰＤＳＣＨ開始シンボル情報又はＣＲＳ ＲＭパターンなど）は、ＣＲＳ−ベースＰＤＳＣＨ送信（例えば、アンテナポート０送信又は送信ダイバーシティモード）に対しては適用せず、その他のＰＤＳＣＨ送信（例えば、ＤＭＲＳベースＰＤＳＣＨ送信）のみに対して限定的に適用することが好ましい。このようにＣＲＳ ＲＭパターンが決定されると、それに従ってＰＤＳＣＨ ＲＥマッピングを決定すればよい。
【０３５７】
ここで、ＣＲＳ−ベースに送信されるＰＤＳＣＨの復調については、ＰＱＩパラメータのうち一部は用いるが、その他のパラメータはＰＱＩパラメータに従わず、サービングセルの情報に従うように動作することもできる。例えば、ＣＲＳ−ベースに送信されるＰＤＳＣＨの復調については、ＰＱＩパラメータセットに含まれるパラメータのうちＺＰ ＣＳＩ−ＲＳ設定及び／又はＰＤＳＣＨ開始シンボルに関する情報のみを適用し、ＣＲＳ ＲＭパターンに関する情報は適用しないように（すなわち、ＣＲＳ ＲＭパターンに対してはサービングセルの情報に従うように）することができる。これによる端末動作を次のように定義することができる。
【０３５８】
−非−ＭＢＳＦＮサブフレームで共通探索空間上のＤＣＩフォーマット１ＡによってＰＤＳＣＨがスケジューリングされる場合、ＣＲＳ ＲＭパターンは、ＤＬサービングセルのＣＲＳ ＲＭパターン情報によって決定する。ここで、サービングセルのＣＲＳ ＲＭパターン情報は、例えば、サービングセルのＣＲＳポート個数、サービングセルのＣＲＳ周波数シフト、サービングセルのＭＢＳＦＮサブフレーム設定などを含むことができる。
【０３５９】
−  ＭＢＳＦＮサブフレームで又は非−ＭＢＳＦＮサブフレームで端末−特定探索空間上のＤＣＩフォーマット１ＡによってＰＤＳＣＨがスケジューリングされる場合、ＣＲＳ ＲＭパターンは、ＤＣＩフォーマット２Ｄに対して設定されたＰＱＩ状態値のうち予め決定された一つに従うＰＱＩパラメータのうちＣＲＳ ＲＭパターンに関連したパラメータによって決定する。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。また、ＰＱＩパラメータのうちＣＲＳ ＲＭパターンに関連したパラメータは、ＣＲＳポート個数（例えば、１、２、４、又は留保された値）、ＣＲＳ周波数シフト、ＭＢＳＦＮサブフレーム設定などに該当する。
【０３６０】
上記のＣＲＳ ＲＭパターンの決定に関する本発明の例示において、非−ＭＢＳＦＮサブフレームで端末−特定探索空間上で送信されるＤＣＩによってＰＤＳＣＨがスケジューリングされる場合にもフォールバックモードとして動作できるように下記の端末動作を定義することができる。これによって、ＭＢＳＦＮサブフレームである場合と非−ＭＢＳＦＮサブフレームである場合とに条件を分けて、次のように端末動作を定義することもできる。
【０３６１】
−  非−ＭＢＳＦＮサブフレームでＤＣＩフォーマット１ＡによってＰＤＳＣＨがスケジューリングされる場合、ＣＲＳ ＲＭパターンは、ＤＬサービングセルのＣＲＳ ＲＭパターン情報によって決定する。ここで、サービングセルのＣＲＳ ＲＭパターン情報は、例えば、サービングセルのＣＲＳポート個数、サービングセルのＣＲＳ周波数シフト、サービングセルのＭＢＳＦＮサブフレーム設定などを含むことができる。
【０３６２】
−  ＭＢＳＦＮサブフレームでＤＣＩフォーマット１ＡによってＰＤＳＣＨがスケジューリングされる場合、ＣＲＳ ＲＭパターンは、ＤＣＩフォーマット２Ｄに対して設定されたＰＱＩ状態値のうち予め決定された一つに従うＰＱＩパラメータのうちＣＲＳ ＲＭパターンに関連したパラメータによって決定する。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。また、ＰＱＩパラメータのうちＣＲＳ ＲＭパターンに関連したパラメータは、ＣＲＳポート個数（例えば、１、２、４、又は留保された値）、ＣＲＳ周波数シフト、ＭＢＳＦＮサブフレーム設定などに該当する。
【０３６３】
本発明の他の変形例として、サブフレームタイプ（例えば、ＭＢＳＦＮ又は非−ＭＢＳＦＮ）及び探索空間のタイプ（例えば、共通探索空間又は端末−特定探索空間）に対する条件にかかわらず、ＤＣＩフォーマット１ＡによってＰＤＳＣＨがスケジューリングされる場合には、常にＤＣＩフォーマット２Ｄに対して設定されたＰＱＩ状態値のうち予め決定された一つ（例えば、最も低いＰＱＩ状態値）に該当するＰＱＩパラメータに従うようにするが、ＣＲＳ−ベースＰＤＳＣＨがスケジューリングされた場合には、上記のＰＱＩパラメータのうちＰＤＳＣＨ開始シンボル情報及び／又はＣＲＳ ＲＭパターン情報は、サービングセル以外の他のセルの情報によってＲＲＣ−設定されると予想することが許容されないと定義することもできる。これによる端末動作を次のようにまとめることができる。
【０３６４】
まず、ＣＲＳ ＲＭ情報に対する端末動作を次のように定義できる。
【０３６５】
−  非−ＭＢＳＦＮサブフレームでＤＣＩフォーマット１ＡによってＰＤＳＣＨがスケジューリングされる場合、端末は、ＤＣＩフォーマット２Ｄに対して設定されたＰＱＩ状態値のうち予め決定された一つによって指示されるＣＲＳ ＲＭパターンに関連したパラメータは、当該端末のサービングセルのＣＲＳ ＲＭ情報と異なると予想する（ｅｘｐｅｃｔ）ことが許容されない。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。また、ＰＱＩパラメータのうちＣＲＳ ＲＭパターンに関連したパラメータは、ＣＲＳポート個数（例えば、１、２、４、又は留保された値）、ＣＲＳ周波数シフト、ＭＢＳＦＮサブフレーム設定などに該当する。
【０３６６】
上記の端末動作を次のように表現することもできる。
【０３６７】
−  ＴＭ１０と設定された端末がポート０乃至３で復調されるＰＤＳＣＨを受信する場合、端末は、当該ＰＤＳＣＨのＲＥマッピングを定義するＰＱＩ状態のＣＲＳポート個数、ｖ−ｓｈｉｆｔ（又は、周波数シフト）、ＭＢＳＦＮサブフレーム設定情報がサービングセルのそれと同一に与えられると仮定することができる。ここで、ポート０乃至３はＣＲＳアンテナポートインデックスを意味する。
【０３６８】
次に、ＰＤＳＣＨ開始シンボル情報に対する端末動作は、次のように定義できる。
【０３６９】
−  非−ＭＢＳＦＮサブフレームでＤＣＩフォーマット１ＡによってＰＤＳＣＨがスケジューリングされる場合、端末は、ＤＣＩフォーマット２Ｄに対して設定されたＰＱＩ状態値のうち予め決定された一つによって指示されるＰＤＳＣＨ開始シンボル情報は、当該端末のサービングセルのＰＤＳＣＨ開始シンボル情報と異なると予想する（ｅｘｐｅｃｔ）ことが許容されない。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。
【０３７０】
上記の端末動作を次のように表現することもできる。
【０３７１】
−ＴＭ１０と設定された端末がポート０乃至３で復調されるＰＤＳＣＨを受信する場合、端末は、当該ＰＤＳＣＨの開始シンボルを定義するＰＱＩ状態の開始シンボル情報がサービングセルのそれと同一に与えられると仮定することができる。ここで、ポート０乃至３は、ＣＲＳアンテナポートインデックスを意味する。
【０３７２】
本発明の他の変形例として、ＤＣＩフォーマット１ＡによってＰＤＳＣＨがスケジューリングされる場合には、常にＤＣＩフォーマット２Ｄに対して設定されたＰＱＩ状態値のうち予め決定された一つ（例えば、最も低いＰＱＩ状態値）に該当するＰＱＩパラメータに従うようにするが、非−ＭＢＳＦＮサブフレームで共通探索空間上で送信されるＤＣＩフォーマット１ＡによってＰＤＳＣＨがスケジューリングされる場合には、上記ＰＱＩパラメータのうちＰＤＳＣＨ開始シンボル情報及び／又はＣＲＳ ＲＭパターン情報はサービングセル以外の他のセルの情報によってＲＲＣ−設定されると予想することが許容されないと定義されてもよい。これによる端末動作は、次のように整理できる。
【０３７３】
まず、ＣＲＳ ＲＭ情報に対する端末動作は、次のように定義できる。
【０３７４】
−  非−ＭＢＳＦＮサブフレームで共通探索空間上のＤＣＩフォーマット１ＡによってＰＤＳＣＨがスケジューリングされる場合、端末は、ＤＣＩフォーマット２Ｄに対して設定されたＰＱＩ状態値のうち予め決定された一つによって示されるＣＲＳ ＲＭパターンに関連したパラメータは当該端末のサービングセルのＣＲＳ ＲＭ情報と異なると予想する（ｅｘｐｅｃｔ）ことが許容されない。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。また、ＰＱＩパラメータのうちＣＲＳ ＲＭパターンに関連したパラメータは、ＣＲＳポート個数（例えば、１、２、４、又は留保された値）、ＣＲＳ周波数シフト、ＭＢＳＦＮサブフレーム設定などに該当する。
【０３７５】
次に、ＰＤＳＣＨ開始シンボル情報に対する端末動作を次のように定義できる。
【０３７６】
−  非−ＭＢＳＦＮサブフレームで共通探索空間上のＤＣＩフォーマット１ＡによってＰＤＳＣＨがスケジューリングされる場合、端末は、ＤＣＩフォーマット２Ｄに対して設定されたＰＱＩ状態値のうち予め決定された一つによって示されるＰＤＳＣＨ開始シンボル情報は当該端末のサービングセルのＰＤＳＣＨ開始シンボル情報と異なると予想する（ｅｘｐｅｃｔ）ことが許容されない。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、又は最も低いＰＱＩ状態値などと定義できる。
【０３７７】
ＰＤＳＣＨ ＱＣＬ動作方式（Ｂｅｈａｖｉｏｒ）とＥＰＤＣＣＨ ＱＣＬ動作方式
前述した本発明の様々な提案のうち、ＰＤＳＣＨに対するＱＣ動作方式（又は、ＰＤＳＣＨ ＱＣＬ動作方式）としてＢｅｈａｖｉｏｒ Ａ、Ｂｅｈａｖｉｏｒ Ｂを定義した。簡略に再び整理すると、ＰＤＳＣＨ ＱＣＬ Ｂｅｈａｖｉｏｒ Ａは、サービングセルＣＲＳ、ＣＳＩ−ＲＳ及びＰＤＳＣＨ ＤＭＲＳ間のＱＣＬを仮定する動作方式であり、ＰＤＳＣＨ ＱＣＬ Ｂｅｈａｖｉｏｒ Ｂは、ＣＳＩ−ＲＳ（例えば、特定セルのＣＲＳとＱＣＬされたＣＳＩ−ＲＳ）とＰＤＳＣＨ ＤＭＲＳ間のＱＣＬを仮定する動作方式である。
【０３７８】
前述した本発明の様々な提案のうち、ＥＰＤＣＣＨに対するＱＣ動作方式（又は、ＥＰＤＣＣＨ ＱＣＬ動作方式）としてＢｅｈａｖｉｏｒ Ａ、Ｂｅｈａｖｉｏｒ Ｂを定義した。簡略に再び整理すると、ＥＰＤＣＣＨ ＱＣＬ Ｂｅｈａｖｉｏｒ Ａは、ＥＰＤＣＣＨ ＤＭＲＳとサービングセルＣＲＳ間のＱＣＬを仮定する動作方式であり、ＥＰＤＣＣＨ ＱＣＬ Ｂｅｈａｖｉｏｒ Ｂは、ＥＰＤＣＣＨ ＤＭＲＳとＣＳＩ−ＲＳ間のＱＣＬを仮定する動作方式である。
【０３７９】
本発明の追加的な提案として、ＥＰＤＣＣＨ ＱＣＬ Ｂｅｈａｖｉｏｒ ＡとＥＰＤＣＣＨ ＱＣＬ Ｂｅｈａｖｉｏｒ Ｂは、いずれのＰＤＳＣＨ ＱＣＬ ＢｅｈａｖｉｏｒがＲＲＣ−設定されるかによって、制約（ｒｅｓｔｒｉｃｔｉｏｎ）をもって設定されるようにすることができる。
【０３８０】
例えば、端末がＰＤＳＣＨ ＱＣＬ Ｂｅｈａｖｉｏｒ Ａ（すなわち、サービングセルＣＲＳ、ＣＳＩ−ＲＳ及びＤＭＲＳ間のＱＣＬ）と設定される場合、ＥＰＤＣＣＨ ＱＣＬ Ｂｅｈａｖｉｏｒ Ａ（すなわち、サービングセルＣＲＳとＥＰＤＣＣＨ ＤＭＲＳ間のＱＣＬ）が自動的に設定されるようにすることができる。いい換えると、端末がＰＤＳＣＨ ＱＣＬ Ｂｅｈａｖｉｏｒ Ａと設定される場合、ＥＰＤＣＣＨ ＱＣＬ Ｂｅｈａｖｉｏｒは必ずＥＰＤＣＣＨ ＱＣＬ Ｂｅｈａｖｉｏｒ Ａのみと設定されなければならない。すなわち、端末がＰＤＳＣＨ ＱＣＬ Ｂｅｈａｖｉｏｒ Ａと設定される場合、当該端末はＥＰＤＣＣＨ ＱＣＬ Ｂｅｈａｖｉｏｒ Ｂ（すなわち、ＣＳＩ−ＲＳとＥＰＤＣＣＨ ＤＭＲＳ間のＱＣＬ）として設定されると予想することが許容されない。端末がＰＤＳＣＨ ＱＣＬ Ｂｅｈａｖｉｏｒ Ａと設定されると、ＰＱＩパラメータでＱＣＬ目的のＮＺＰ ＣＳＩ−ＲＳ設定に関する情報が含まれないこともあるため、ＥＰＤＣＣＨ ＱＣＬ Ｂｅｈａｖｉｏｒ Ｂと設定される場合、いずれのＣＳＩ−ＲＳとＥＰＤＣＣＨ ＤＭＲＳとがＱＣＬであるかを特定できなくなる。そのため、このような不明瞭性を防止するために、ＰＤＳＣＨ ＱＣＬ Ｂｅｈａｖｉｏｒ Ａと設定されると、ＥＰＤＣＣＨ ＱＣＬ Ｂｅｈａｖｉｏｒ Ａが設定されることが適切である。これと類似の目的で、ＥＰＤＣＣＨ Ｂｅｈａｖｉｏｒ Ａが設定される場合にはＰＤＳＣＨＢｅｈａｖｉｏｒ Ａが設定されるようにすることもできる。
【０３８１】
追加的な例示として、端末がＰＤＳＣＨ ＱＣＬ Ｂｅｈａｖｉｏｒ Ｂ（すなわち、ＣＳＩ−ＲＳ及びＤＭＲＳ間のＱＣＬ）と設定される場合、ＥＰＤＣＣＨ ＱＣＬ Ｂｅｈａｖｉｏｒ Ｂ（すなわち、ＣＳＩ−ＲＳとＥＰＤＣＣＨ ＤＭＲＳ間のＱＣＬ）が自動的に設定されるようにすることができる。いい換えると、端末がＰＤＳＣＨ ＱＣＬ Ｂｅｈａｖｉｏｒ Ｂと設定される場合、ＥＰＤＣＣＨ ＱＣＬ Ｂｅｈａｖｉｏｒは必ずＥＰＤＣＣＨ ＱＣＬ Ｂｅｈａｖｉｏｒ Ｂのみと設定されなければならない。すなわち、端末がＰＤＳＣＨ ＱＣＬ Ｂｅｈａｖｉｏｒ Ｂと設定される場合、当該端末はＥＰＤＣＣＨ ＱＣＬ Ｂｅｈａｖｉｏｒ Ａ（すなわち、サービングセルＣＲＳとＥＰＤＣＣＨ ＤＭＲＳ間のＱＣＬ）と設定されると予想することが許容されない。これは、ＰＤＳＣＨ ＱＣＬ ＢｅｈａｖｉｏｒとＥＰＤＣＣＨ ＱＣＬ Ｂｅｈａｖｉｏｒの統一性を維持するためである。同様に、ＥＰＤＣＣＨ Ｂｅｈａｖｉｏｒ Ｂが設定される場合にはＰＤＳＣＨＢｅｈａｖｉｏｒ Ｂが設定されるようにすることもできる。
【０３８２】
このような本発明の提案を次のように表現することもできる。すなわち、ＰＤＳＣＨ ＱＣＬ ＢｅｈａｖｉｏｒとＥＰＤＣＣＨ ＱＣＬ ＢｅｈａｖｉｏｒがいずれもＱＣＬ Ｂｅｈａｖｉｏｒ Ａと設定されたり、或いはいずれもＱＣＬ Ｂｅｈａｖｉｏｒ Ｂと設定されるように制約をおくことができる。すなわち、ＰＤＳＣＨ ＱＣＬ ＢｅｈａｖｉｏｒとＥＰＤＣＣＨ ＱＣＬ Ｂｅｈａｖｉｏｒを、互いに連結又は依存性を有するようにＲＲＣ−設定することができる。
【０３８３】
一方、端末がＰＤＳＣＨ ＱＣＬ Ｂｅｈａｖｉｏｒ Ｂ（すなわち、ＣＳＩ−ＲＳ及びＤＭＲＳ間のＱＣＬ）と設定される場合、ＥＰＤＣＣＨ ＱＣＬ Ｂｅｈａｖｉｏｒは、ＥＰＤＣＣＨ ＱＣＬ Ｂｅｈａｖｉｏｒ Ａ（すなわち、サービングセルＣＲＳとＥＰＤＣＣＨ ＤＭＲＳ間のＱＣＬ）又はＥＰＤＣＣＨ ＱＣＬ Ｂｅｈａｖｉｏｒ Ｂ（すなわち、ＣＳＩ−ＲＳとＥＰＤＣＣＨ ＤＭＲＳ間のＱＣＬ）のいずれか一つと設定されてもよい。すなわち、ＰＤＳＣＨ ＱＣＬ Ｂｅｈａｖｉｏｒ Ｂである場合に限って、ＥＰＤＣＣＨ ＱＣＬ ＢｅｈａｖｉｏｒはＡ又はＢのいずれかがＲＲＣ−設定されるように制約を緩和することもできる。
【０３８４】
これと同様に、ＥＰＤＣＣＨ ＱＣＬ Ｂｅｈａｖｉｏｒ Ｂが設定される場合には、ＰＤＳＣＨ ＱＣＬ Ｂｅｈａｖｉｏｒ Ａ又はＢのいずれか一つと設定されてもよい。
【０３８５】
又は、ＰＤＳＣＨ ＱＣＬ ＢｅｈａｖｉｏｒとＥＰＤＣＣＨ ＱＣＬ Ｂｅｈａｖｉｏｒ間の設定上の独立性を提供するためには、前述したような制約を置かなくてもよい。すなわち、端末がＰＤＳＣＨ ＱＣＬ Ｂｅｈａｖｉｏｒ Ａ（すなわち、サービングセルＣＲＳ、ＣＳＩ−ＲＳ及びＤＭＲＳ間のＱＣＬ）と設定される場合、ＥＰＤＣＣＨ ＱＣＬ Ｂｅｈａｖｉｏｒは、ＥＰＤＣＣＨ ＱＣＬ Ｂｅｈａｖｉｏｒ Ａ（すなわち、サービングセルＣＲＳとＥＰＤＣＣＨ ＤＭＲＳ間のＱＣＬ）又はＥＰＤＣＣＨ ＱＣＬ Ｂｅｈａｖｉｏｒ Ｂ（すなわち、ＣＳＩ−ＲＳとＥＰＤＣＣＨ ＤＭＲＳ間のＱＣＬ）のいずれか一つと設定されてもよい。
【０３８６】
同様に、ＥＰＤＣＣＨ ＱＣＬ Ｂｅｈａｖｉｏｒ Ａが設定される場合には、ＰＤＳＣＨ ＱＣＬ Ｂｅｈａｖｉｏｒ Ａ又はＢのうちいずれか一つと設定されてもよい。
【０３８７】
一方、それぞれのＥＰＤＣＣＨセット別に適用される（ＥＰＤＣＣＨを介して送信されるＤＣＩによってスケジューリングされるＰＤＳＣＨの復調のために用いられる、及び／又はＥＰＤＣＣＨ自体のデコーディングのために用いられる）特定の一つのＰＱＩ状態値がＲＲＣ−設定されてもよい。この場合、ＥＰＤＣＣＨ Ｂｅｈａｖｉｏｒ Ａ（すなわち、サービングセルＣＲＳとＥＰＤＣＣＨ ＤＭＲＳ間のＱＣＬ）が設定されていると、端末はＰＤＳＣＨ復調及び／又はＥＰＤＣＣＨデコーディングのために、上記指示された特定の一つのＰＱＩ状態値にリンクされたＰＱＩパラメータセットに含まれるＰＱＩパラメータのうち一部には従うが、他のＰＱＩパラメータはＤＬサービングセルのものに従うように動作できる。
【０３８８】
ここで、ＲＲＣ指示された特定の一つのＰＱＩ状態値にリンクされたＰＱＩパラメータセットに含まれるＰＱＩパラメータは、ＣＲＳポートの個数、ＣＲＳ周波数シフト、ＭＢＳＦＮサブフレーム設定情報、ＮＺＰ ＣＳＩ−ＲＳ設定情報、ＺＰ ＣＳＩ−ＲＳ設定情報、ＰＤＳＣＨ開始シンボル情報などを含むことができる。
【０３８９】
例えば、ＲＲＣ指示された特定一つのＰＱＩ状態値にリンクされたＰＱＩパラメータセットに含まれるＰＱＩパラメータのうち、端末は、ＰＤＳＣＨ開始シンボル情報のみに従うし、他のパラメータはサービングセルのものに従うように動作できる。
【０３９０】
他の例示として、ＲＲＣ指示された特定一つのＰＱＩ状態値にリンクされたＰＱＩパラメータセットに含まれるＰＱＩパラメータのうち、端末は、ＣＲＳ ＲＭパターン情報（例えば、サービングセルのＣＲＳポート個数、サービングセルのＣＲＳ周波数シフト、及びサービングセルのＭＢＳＦＮサブフレーム設定）のみに従うし、他のパラメータはサービングセルのものに従うように動作してもよい。
【０３９１】
他の例示として、ＲＲＣ指示された特定一つのＰＱＩ状態値にリンクされたＰＱＩパラメータセットに含まれるＰＱＩパラメータのうち、端末は一つのＺＰ ＣＳＩ−ＲＳ設定情報のみに従うし、他のパラメータはサービングセルのものに従うように動作してもよい。
【０３９２】
他の例示として、ＲＲＣ指示された特定一つのＰＱＩ状態値にリンクされたＰＱＩパラメータセットに含まれるＰＱＩパラメータのうち、端末は、ＰＤＳＣＨ開始シンボル情報とＣＲＳ ＲＭパターン情報（例えば、サービングセルのＣＲＳポート個数、サービングセルのＣＲＳ周波数シフト、及びサービングセルのＭＢＳＦＮサブフレーム設定）のみに従うし、他のパラメータはサービングセルのものに従うように動作してもよい。
【０３９３】
他の例示として、ＲＲＣ指示された特定一つのＰＱＩ状態値にリンクされたＰＱＩパラメータセットに含まれるＰＱＩパラメータのうち、端末は、ＰＤＳＣＨ開始シンボル情報と一つのＺＰ ＣＳＩ−ＲＳ設定情報のみに従うし、他のパラメータはサービングセルのものに従うように動作してもよい。
【０３９４】
他の例示として、ＲＲＣ指示された特定一つのＰＱＩ状態値にリンクされたＰＱＩパラメータセットに含まれるＰＱＩパラメータのうち、端末は、ＣＲＳ ＲＭパターン情報（例えば、サービングセルのＣＲＳポート個数、サービングセルのＣＲＳ周波数シフト、及びサービングセルのＭＢＳＦＮサブフレーム設定）と一つのＺＰ ＣＳＩ−ＲＳ設定情報のみに従うし、他のパラメータはサービングセルのものに従うように動作してもよい。
【０３９５】
他の例示として、ＲＲＣ指示された特定一つのＰＱＩ状態値にリンクされたＰＱＩパラメータセットに含まれるＰＱＩパラメータのうち、端末は、ＰＤＳＣＨ開始シンボル情報、ＣＲＳ ＲＭパターン情報（例えば、サービングセルのＣＲＳポート個数、サービングセルのＣＲＳ周波数シフト、及びサービングセルのＭＢＳＦＮサブフレーム設定）及び一つのＺＰ ＣＳＩ−ＲＳ設定情報のみに従うし、他のパラメータはサービングセルのものに従うように動作してもよい。
【０３９６】
ＰＱＩフィールドの構成
ＣｏＭＰ動作を支援することを大きな特徴とする新しい送信モード（例えば、ＴＭ１０）に対するＤＣＩフォーマット２Ｄは、ＰＱＩフィールドを含むことができる。ＰＱＩフィールドはＮビットサイズと定義でき、これによって２＾Ｎ個の状態値のうち一つを示すことができる。２＾Ｎ個のＰＱＩ状態値のそれぞれに対応するＰＱＩパラメータセットがＲＲＣ−設定されてもよい。一つのＰＱＩパラメータセットには、ＣＲＳポートの個数、ＣＲＳ周波数シフト、ＭＢＳＦＮサブフレーム設定情報、ＮＺＰ ＣＳＩ−ＲＳ設定情報、ＺＰ ＣＳＩ−ＲＳ設定情報、ＰＤＳＣＨ開始シンボル情報などが含まれてもよい。したがって、ＰＱＩ状態値によって２＾Ｎ個のＰＱＩパラメータセットのいずれか一つを動的に指示又はスイッチングすることができる。
【０３９７】
一方、ＴＭ１０におけるフォールバック動作のためのＤＣＩフォーマット１ＡにはＰＱＩフィールドが含まれないように定義される。すなわち、ＴＭ１０におけるＤＣＩフォーマット１ＡにＰＱＩフィールドがないということは、ＤＣＩフォーマット１Ａによっては非−ＣｏＭＰ動作が支援されるという意味であり、例えば、ＤＬサービングセルからの非−ＣｏＭＰ送信のみがスケジューリングされるという意味と解釈できる。
【０３９８】
他の例示として、共通探索空間上で送信されるＤＣＩフォーマット１Ａは他のＤＣＩフォーマットとの長さを同一に維持するためにＰＱＩフィールドを含まないものと定義するが、端末−特定探索空間上で送信されるＤＣＩフォーマット１Ａは、ＤＣＩフォーマット２Ｄと同様に、ＰＱＩフィールドを含むと定義でき、これによってＣｏＭＰ動作を支援することができる。
【０３９９】
他の例示として、非−ＭＢＳＦＮサブフレームで送信されるＤＣＩフォーマット１ＡはＰＱＩフィールドを含まず、ＭＢＳＦＮサブフレームで送信されるＤＣＩフォーマット１ＡはＤＣＩフォーマット２Ｄと同様に、ＰＱＩフィールドを含むと定義でき、これによってＣｏＭＰ動作を支援することができる。
【０４００】
他の例示として、非−ＭＢＳＦＮサブフレームにおいて共通探索空間上で送信されるＤＣＩフォーマット１ＡはＰＱＩフィールドを含まず、ＭＢＳＦＮサブフレームで送信されるＤＣＩフォーマット１Ａ及び非−ＭＢＳＦＮサブフレームにおいて端末−特定探索空間上で送信されるＤＣＩフォーマット１Ａは、ＤＣＩフォーマット２Ｄと同様に、ＰＱＩフィールドを含むと定義でき、これによってＣｏＭＰ動作を支援することができる。
【０４０１】
他の例示として、非−ＭＢＳＦＮサブフレームで送信されるＤＣＩフォーマット１Ａ及びＭＢＳＦＮサブフレームで共通探索空間上で送信されるＤＣＩフォーマット１Ａは、ＰＱＩフィールドを含まず、ＭＢＳＦＮサブフレームで端末−特定探索空間上で送信されるＤＣＩフォーマット１Ａは、ＤＣＩフォーマット２Ｄと同様に、ＰＱＩフィールドを含むと定義でき、これによってＣｏＭＰ動作を支援することができる。
【０４０２】
一方、ＰＱＩビット幅（すなわち、Ｎ）は、端末のキャパビリティ（ＵＥ  ｃａｐａｂｉｌｉｔｙ）によって別々に定義することができる。例えば、（ＴＭ１０で）最大限に支援されるＣＳＩプロセスの個数（Ｎ＿Ｐ）に対する端末キャパビリティが定義され、端末はそれを基地局に知らせることができる。例えば、Ｎ＿Ｐ＝１、３、又は４と定義できる。
【０４０３】
本発明では、Ｎ＿Ｐ値によってＰＱＩビット幅（Ｎ）が決定されることを提案する（Ｎは、ＰＱＩビット幅、ＰＱＩ状態の個数、又はＰＱＩ状態のエンコーディングパターンなどを示す値として定義されてもよい）。
【０４０４】
Ｎ＿Ｐ＝１の場合に、ＰＱＩのための明示的なビットはＤＣＩフォーマット上に存在しないと定義可能である（すなわち、Ｎ＝０）。この場合、ＰＱＩのための明示的なビットはないが、一つのデフォルトＰＱＩ状態に対するＰＱＩパラメータセットは、デフォルト情報としてＲＲＣシグナリングされたり、別のＲＲＣシグナリング無しで、ＤＣＩフォーマット１Ａで用いるデフォルトＰＱＩ状態に該当するＲＲＣ−設定されたパラメータがＤＣＩフォーマット２Ｄでもそのまま用いられると定義されてもよい。
【０４０５】
又は、Ｎ＿Ｐ＝１の場合に、ＰＱＩのための明示的なビットを定義しない一方、ｎＳＣＩＤフィールドの値によって連携される２個の状態値（０又は１）をＰＱＩ状態値として用いることもできる。
【０４０６】
又は、Ｎ＿Ｐ＝１の場合に、ＰＱＩのための明示的な１ビットをＤＣＩフォーマット上に含めてもよい。これによって、２個のＰＱＩ状態値を表現することができる。
【０４０７】
Ｎ＿Ｐ＝３又は４の場合に、ＰＱＩのための明示的な２ビットがＤＣＩフォーマット上に含まれると定義することもできる。
【０４０８】
又は、Ｎ＿Ｐ＝３又は４の場合に、ＰＱＩのための明示的な１ビットがＤＣＩフォーマット上に含まれ、この１ビットとｎＳＣＩＤフィールドの値によって連携される２個の状態値（０又は１）を組み合わせて３個又は４個のＰＱＩ状態のうちいずれか一つが指示されるようにすることもできる。
【０４０９】
又は、Ｎ＿Ｐ＝３の場合は、ＰＱＩのための明示的なビットを１ビットのみを適用し、２個の状態値のみを制限的に用いるようにする方案も適用可能である。
【０４１０】
前述した例示のように最大限に支援されるＣＳＩプロセス個数に対する端末キャパビリティ値Ｎ＿Ｐによって固定的にＰＱＩビット幅（又は、ＰＱＩ状態の個数）Ｎを決定する方案と同様に、Ｎ＿Ｐ値によってＰＱＩビット幅（又は、ＰＱＩ状態の個数）の最大値を決定することもできる。すなわち、ＰＱＩビット幅の最大値以内でＰＱＩパラメータセットがＲＲＣ−設定されてもよい。
【０４１１】
一方、ＤＣＩフォーマット１Ａで用いるＰＱＩ状態のＲＲＣパラメータセット情報は、ＤＣＩフォーマット２Ｄの特定ＰＱＩ状態（例えば、最も低い状態インデックス）を固定的に用いるようにすることもできる。また、ＤＣＩフォーマット１Ａの場合に適用するＰＱＩパラメータとしてＤＣＩフォーマット２Ｄの特定ＰＱＩ状態によって指示されるＰＱＩパラメータを用いるようにする動作を適用するか否かが、ＲＲＣ−設定されてもよい。
【０４１２】
図１２は、本発明に係るＰＤＳＣＨ信号送受信方法を説明するためのフローチャートである。
【０４１３】
段階Ｓ１２１０で、端末は、基地局からＤＣＩフォーマット１ＡによってＰＤＳＣＨが割り当てられうる。端末がＴＭ１０と設定された場合、ＤＣＩフォーマット１Ａによって割り当てられるＰＤＳＣＨは、フォールバックモードとスケジューリングされたＰＤＳＣＨに該当する。
【０４１４】
段階Ｓ１２２０で、端末は、ＰＤＳＣＨ受信サブフレームがＭＢＳＦＮサブフレームであるか否かを決定することができる。ＭＢＳＦＮサブフレームの場合にはデータ領域でＣＲＳが送信されないことから、ＣＲＳ−ベースＰＤＳＣＨ送信（例えば、アンテナポート０送信又は送信ダイバーシティモード）はできない。そのため、ＭＢＳＦＮサブフレームの場合にはＤＭＲＳベースＰＤＳＣＨ送信（例えば、アンテナポート７を介したＰＤＳＣＨ送信）が行われうる。
【０４１５】
段階Ｓ１２２０の結果、ＭＢＳＦＮサブフレームであると、段階Ｓ１２３０に進むことができる。
【０４１６】
段階Ｓ１２３０で、端末は、ＰＱＩパラメータセットに属したＣＲＳ位置情報（例えば、ＣＲＳポート個数情報、ＣＲＳ周波数シフト情報、ＭＢＳＦＮサブフレーム設定情報など）に基づいて、ＰＤＳＣＨのマップされるＲＥ（又は、ＰＤＳＣＨ ＲＥマッピング）を決定することができる。具体的に、端末は、ＣＲＳ位置情報に基づいて、当該下りリンクサブフレームでＣＲＳのマップされるＲＥ位置を決定でき、ＰＤＳＣＨのマップされるＲＥをＣＲＳのために用いられないＲＥと仮定することができる。このような仮定に基づいて、端末はＰＤＳＣＨをデコーディングし、ＰＤＳＣＨ信号を受信することができる。
【０４１７】
ここで、ＰＱＩパラメータセットは、端末に対して上位層によって設定された複数個のＰＱＩパラメータセットのうち、一つのデフォルト（例えば、最も低いインデックスのＰＱＩパラメータセット）であってもよい。
【０４１８】
段階Ｓ１２２０の結果、ＭＢＳＦＮサブフレームでない（すなわち、非−ＭＢＳＦＮサブフレームである）と、段階Ｓ１２４０に進むことができる。
【０４１９】
段階Ｓ１２４０で、端末は、サービングセルのＣＲＳ設定に基づいて、ＰＤＳＣＨのマップされるＲＥ（又は、ＰＤＳＣＨ ＲＥマッピング）を決定することができる。具体的に、端末は、サービングセルのＣＲＳポート個数、サービングセルのＣＲＳ周波数シフト、サービングセルのＭＢＳＦＮサブフレーム設定などに基づいて、当該下りリンクサブフレームでＣＲＳのマップされるＲＥ位置を決定でき、ＰＤＳＣＨのマップされるＲＥをＣＲＳのために用いられないＲＥと仮定することができる。このような仮定に基づいて、端末はＰＤＳＣＨをデコーディングし、ＰＤＳＣＨ信号を受信することができる。
【０４２０】
このように、ＤＣＩ １Ａによって割り当てられるＰＤＳＣＨに対して、端末はサブフレームタイプ（例えば、ＭＢＳＦＮ又は非−ＭＢＳＦＮ）によってＰＤＳＣＨ ＲＥマッピングを決定でき、これによってＰＤＳＣＨ信号を受信することができる。
【０４２１】
図１２を参照して説明したＰＤＳＣＨ信号送受信方法に対して、前述した本発明の様々な実施例で説明した事項が独立して適用されてもよく、２以上の実施例が同時に適用されてもよい。ここで、重複する説明は省略する。
【０４２２】
図１３は、本発明に係る端末装置及び基地局装置の好適な実施例の構成を示す図である。
【０４２３】
図１３を参照すると、本発明に係る基地局装置１０は、受信モジュール１１、送信モジュール１２、プロセッサ１３、メモリー１４及び複数個のアンテナ１５を含むことができる。受信モジュール１１は、外部装置（例えば、端末）から各種の信号、データ及び情報を受信することができる。送信モジュール１２は、外部装置（例えば、端末）に各種の信号、データ及び情報を送信することができる。プロセッサ１３は、基地局装置１０全般の動作を制御することができる。複数個のアンテナ１５は、基地局装置１０がＭＩＭＯ送受信を支援するということを意味する。
【０４２４】
本発明の一例に係る基地局装置１０は、端末装置２０にＰＤＳＣＨ信号を送信するように構成できる。プロセッサ１３は、ＰＤＳＣＨ割当に関する情報をＤＣＩフォーマット１Ａを介して端末装置２０に知らせるように送信モジュール１２を制御できる。プロセッサ１３は、ＰＤＳＣＨの送信されるサブフレームがＭＢＳＦＮサブフレームである場合には、上位層シグナリングによって端末に設定されたＰＱＩパラメータセットのうち一つのデフォルトに属したＣＲＳ位置情報によってＰＤＳＣＨ ＲＥマッピングを決定し、これによってＰＤＳＣＨ信号を下りリンクサブフレームにマップし、送信モジュール１２を通して端末装置２０に送信できる。プロセッサ１３は、ＰＤＳＣＨの送信されるサブフレームが非−ＭＢＳＦＮサブフレームである場合には、サービングセルのＣＲＳ設定によってＰＤＳＣＨ ＲＥマッピングを決定し、これによって、ＰＤＳＣＨ信号を下りリンクサブフレームにマップし、送信モジュール１２を通して端末装置２０に送信できる。
【０４２５】
基地局装置１０のプロセッサ１３は、その他にも、基地局装置１０が受信した情報、外部に送信する情報などを演算処理する機能を果たし、メモリー１４は、演算処理された情報などを所定の時間記憶することができ、バッファ（図示せず）などの構成要素に取り替えられてもよい。
【０４２６】
図１３を参照すると、本発明に係る端末装置２０は、受信モジュール２１、送信モジュール２２、プロセッサ２３、メモリー２４及び複数個のアンテナ２５を含むことができる。受信モジュール２１は、外部装置（例えば、基地局）から各種の信号、データ及び情報を受信することができる。送信モジュール２２は、外部装置（例えば、基地局）に各種の信号、データ及び情報を送信することかできる。プロセッサ２３は、端末装置２０全般の動作を制御することができる。複数個のアンテナ２５は、端末装置２０がＭＩＭＯ送受信を支援するということを意味する。
【０４２７】
本発明の一例に係る端末装置２０は、基地局装置１０からＰＤＳＣＨ信号を受信するように構成できる。プロセッサ２３は、下りリンクサブフレームでＰＤＳＣＨ ＲＥマッピングを決定するように設定できる。プロセッサ２３は、ＰＤＳＣＨ ＲＥマッピングを仮定してＰＤＳＣＨ信号を受信モジュール２１を通して受信するように設定できる。プロセッサ２３は、ＰＤＳＣＨ割当情報を下りリンク制御情報（ＤＣＩ）を介して受信することができる。プロセッサ２３は、ＤＣＩがＤＣＩフォーマット１Ａによって構成され、下りリンクサブフレームがＭＢＳＦＮサブフレームである場合に、ＰＤＳＣＨ ＲＥマッピングを上位層によって設定されたＰＱＩパラメータセットに含まれるＣＲＳ位置情報によって決定することができる。プロセッサ２３は、ＤＣＩがＤＣＩフォーマット１Ａによって構成され、下りリンクサブフレームが非−ＭＢＳＦＮサブフレームである場合に、ＰＤＳＣＨ ＲＥマッピングをサービングセルのＣＲＳ設定によって決定することができる。
【０４２８】
端末装置２０のプロセッサ２３は、その他にも、端末装置２０が受信した情報、外部に送信する情報などを演算処理する機能を果たし、メモリー２４は、演算処理された情報などを所定の時間記憶することができ、バッファ（図示せず）などの構成要素に取り替えられてもよい。
【０４２９】
このような基地局装置１０及び端末装置２０の具体的な構成は、前述した本発明の様々な実施例で説明した事項が独立して適用されたり又は２以上の実施例が同時に適用されるように具現することができ、重複する内容については説明を省略する。
【０４３０】
また、本発明の様々な実施例の説明において、下りリンク送信主体（ｅｎｔｉｔｙ）又は上りリンク受信主体は主に基地局を例に挙げて説明し、下りリンク受信主体又は上りリンク送信主体は主に端末を例に挙げて説明したが、本発明の範囲がこれに制限されるものではない。例えば、基地局に関する説明は、セル、アンテナポート、アンテナポートグループ、ＲＲＨ、送信ポイント、受信ポイント、アクセスポイント、中継機などが端末への下りリンク送信主体となったり、端末からの上りリンク受信主体となる場合にも同一に適用することができる。また、中継機が端末への下りリンク送信主体となったり端末からの上りリンク受信主体となる場合、又は中継機が基地局への上りリンク送信主体となったり基地局からの下りリンク受信主体となる場合にも、本発明の様々な実施例で説明した本発明の原理を同一に適用することができる。
【０４３１】
上述した本発明の実施例は様々な手段によって具現することができる。例えば、本発明の実施例は、ハードウェア、ファームウェア（ｆｉｒｍｗａｒｅ）、ソフトウェア又はそれらの結合などによって具現することができる。
【０４３２】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０４３３】
ファームウェアやソフトウェアによる具現の場合、本発明の一実施例は、以上で説明された機能又は動作を実行するモジュール、手順、関数などの形態として具現することができる。ソフトウェアコードは、メモリーユニットに記憶させ、プロセッサによって駆動することができる。メモリーユニットは、プロセッサの内部又は外部に設けられ、公知の様々な手段によってプロセッサとデータを授受することができる。
【０４３４】
以上開示した本発明の好ましい実施例についての詳細な説明は、当業者が本発明を具現して実施できるように提供された。以上では本発明の好適な実施例を参照して説明したが、当該技術の分野における熟練した当業者にとっては本発明の領域から逸脱しない範囲内で本発明を様々に修正及び変更できるということは明らかである。例えば、当業者にとっては上記の実施例に記載された各構成を互いに組み合わせる方式で用いることができる。したがって、本発明は、ここに開示されている実施の形態に制限されるものではなく、ここに開示されている原理及び新規な特徴と一致する最も広い範囲を与えるためのものである。
【０４３５】
本発明は、本発明の精神及び必須特徴から逸脱しない範囲で他の特定の形態として具体化できる。したがって、上記の詳細な説明は、いずれの面においても制約的に解釈してはならず、例示的なものとして考慮しなければならない。本発明の範囲は、添付した請求項の合理的な解釈によって決定しなければならず、本発明の等価的範囲内における変更はいずれも本発明の範囲に含まれる。本発明は、ここに開示されている実施の形態に制限されるものではなく、ここに開示されている原理及び新規な特徴と一致する最も広い範囲を与えるためのものである。また、特許請求の範囲で明示的な引用関係にない請求項を結合して実施例を構成してもよく、出願後の補正によって新しい請求項として含めてもよい。
【産業上の利用可能性】
【０４３６】
上述したような本発明の実施の形態は、様々な移動通信システムに適用可能である。
【図１】
0006336454.tif 000032
【図２】
0006336454.tif 000033
【図３】
0006336454.tif 000034
【図４】
0006336454.tif 000035
【図５（ａ）】
0006336454.tif 000036
【図５（ｂ）】
0006336454.tif 000037
【図６】
0006336454.tif 000038
【図７】
0006336454.tif 000039
【図８】
0006336454.tif 000040
【図９】
0006336454.tif 000041
【図１０】
0006336454.tif 000042
【図１１】
0006336454.tif 000043
【図１２】
0006336454.tif 000044
【図１３】
0006336454.tif 000045